(57)【要約】ネットワークによって他のネットワーク電話装置に相互接続している自己構築式の電話装置。ネットワーク電話装置は、特に、中央コントローラまたは二次配線を設けることなく、ネットワーク上の類似した他の装置、例えばローカルエリアネットワークに接続するために採用される。ネットワーク電話は、ネットワーク上で、所定の番号を用いて同報通信を送信する。ネットワーク上に他の電話がない場合には、ネットワーク電話が、所定の番号を自己に割り当て、その旨をネットワークに通知する。ネットワーク上に他の電話がある場合には、その電話が、その旨を示したメッセージと、その中から重複しない電話番号を選択できる番号のディレクトリとを受信する。重複しない番号が見つかったら、その電話がその番号を採用し、ネットワークに通知する。外線とネットワーク電話との間において、ボイスメールおよび通話もサポートされる。一実施形態は、電話通信インターフェース、ネットワークインターフェース、ローカルエリアネットワーク（ＬＡＮ）を含む。電話通信インターフェースは、１台または複数のネット電話と、ＰＳＴＮ電話システム等の外部電話ネットワークとの間の接続性を提供する。ネットワークインターフェースは、１台または複数のコンピュータと、インターネット等の外部コンピュータネットワークとの間の接続性を提供する。ローカルエリアネットワークは、ネット電話（単数または複数）、コンピュータ（単数または複数）、電話通信インターフェース、ネットワークインターフェース間の相互接続性を提供する。
2005538646.tif 000002
【特許請求の範囲】
【請求項１】
ネットワーク電話システムを自動構築する方法であって、
ネットワークに接続した電話により、所定の電話番号を含むコマンドを、ネットワークを介して同報通信し、
タイムアウト期間中にネットワークの応答を受信した場合に、
応答から、所定の電話番号が、ネットワークに接続した別の電話に既に割り当てられていることを決定し、
番号割り当て済み応答を受信後に、ネットワーク上でディレクトリメッセージを受信し、該ディレクトリメッセージは、ネットワークに接続している電話に割り当てられた番号を含む電話ディレクトリを含んでおり、
受信した電話ディレクトリから、重複しない電話番号を探し、
発見した番号を、その電話の番号として採用し、
採用した番号をネットワーク上で同報通信する方法。
【請求項２】
所定の電話番号を含むコマンドの同報通信が、ブロードキャストフレームを「電話番号トライアウトコマンド」と共に送信することよって実施される、請求項１に記載の構築方法。
【請求項３】
タイムアウト期間中に受信したネットワーク応答が「番号が既に存在するコマンド」である、請求項１に記載の構築方法。
【請求項４】
ディレクトリメッセージが「ディレクトリ送信コマンド」である、請求項１に記載の構築方法。
【請求項５】
採用された番号のネットワーク上での同報通信が、「電話番号送信コマンド」と共にブロードキャストフレームを送信することで実行される、請求項１に記載の構築方法。
【請求項６】
タイムアウト期間中に応答がない場合に、さらに、
所定の電話番号を電話用の番号として選択し、
所定の番号をネットワーク上で同報通信し、
電話ディレクトリの送信を要求し、
応答がない場合に、選択した番号を電話用の番号として使用する、請求項１に記載の構築方法。
【請求項７】
ネットワーク上での所定の番号の同報通信が、「電話番号同報通信コマンド」と共にブロードキャストフレームを送信することで実行される、請求項６に記載の構築方法。
【請求項８】
重複しない電話番号を探すステップにおいて、
電話ディレクトリから次に使用可能な番号を選択し、
選択した番号を含むコマンドをネットワーク上で同報通信し、
タイムアウト期間中にネットワークから応答がない場合に、選択した番号を電話用の番号として採用する、請求項１に記載の構築方法。
【請求項９】
コマンドの同報通信において、ブロードキャストフレームを「電話番号トライアウトコマンド」と共に送信することで、選択された番号が実行される、請求項８に記載の構築方法。
【請求項１０】
ディレクトリメッセージの受信後に、該ディレクトリメッセージを確認するステップをさらに含む、請求項１に記載の構築方法。
【請求項１１】
ディレクトリメッセージの受信の承認が、「ディレクトリ受信完了コマンド」を送信することで実行される、請求項１０に記載の構築方法。
【請求項１２】
ネットワーク電話システムを自動構築する方法であって、
ネットワーク上でディレクトリメッセージを受信し、該ディレクトリメッセージが、ネットワークに接続している電話に割り当てられた番号を含む電話ディレクトリを含み、
受信した電話ディレクトリから重複しない電話番号を探し、
見つけた番号を電話用の番号として採用し、
採用した番号をネットワーク上で同報通信する、ネットワーク電話システムを自動構築する方法。
【請求項１３】
さらに、ネットワーク上でディレクトリメッセージを受信する前に、番号割り当て完了応答をネットワーク上で受信する、請求項１２に記載のネットワーク電話システム自動構築方法。
【請求項１４】
さらに、番号割り当て完了応答を受信する前に、所定の電話番号を含むメッセージをネットワーク上で同報通信する、請求項１３に記載の方法。
【請求項１５】
重複しない電話番号を探すステップは、
電話ディレクトリから次に使用可能な番号を選択し、
選択した番号を含むコマンドをネットワーク上で同報通信し、
タイムアウト期間中にネットワークから応答がない場合に、選択した番号を電話用の番号として採用する、請求項１２に記載の構築方法。
【請求項１６】
ボイスメール装置と、少なくとも２台のネットワーク電話とを相互接続しているネットワーク上でボイスメールシステムを操作する方法であって、
第２ネットワーク電話にて、第１ネットワーク電話から呼び出しコマンドを受信し、
呼び出しコマンドの数が所定の数を超えると、ボイスメール装置にボイスメール記憶要求を送信し、
ボイスメール装置から通話接続完了状態を受信し、通話接続完了状態を第１ネットワーク電話に送信し、
音声データ挨拶を受信し、該音声データ挨拶を第１ネットワーク電話に送信し、
音声データ挨拶を受信すると、第１電話から音声データメッセージを受信し、該音声データメッセージをネットワーク上でボイスメール装置へ送信し、
第１電話から通話切断コマンドを受信し、通話切断コマンドをボイスメール装置に送信し、
ボイスメール装置からボイスメールメッセージ使用可能コマンドを受信し、ボイスメールメッセージ使用可能コマンドが、第２ネットワーク電話上のボイスメールメッセージ有りインジケータを点灯させる方法。
【請求項１７】
ボイスメール装置と、少なくとも２台のネットワーク電話とを相互接続するネットワーク上でボイスメールシステムを操作する方法であって、
第１ネットワーク電話から第２ネットワーク電話へ呼び出しコマンドを送信し、所定数の呼び出しコマンドが第２ネットワーク電話にて上回り、
ボイスメール装置から音声データ挨拶を受信し、第２電話が、音声メッセージ記憶要求をボイスメール装置に送信しており、
音声データメッセージをボイスメール装置へ送信し、
通話切断メッセージをボイスメール装置へ送信し、第２ネットワーク電話上の音声メッセージ有りインジケータが点灯する、方法。
【請求項１８】
ネットワークによって相互接続されている少なくとも２台のネットワーク電話間で音声メッセージを送信する方法であって、
第２電話の電話番号を第１電話に入力し、電話番号をネットワーク上で送信し、
第２電話へ音声メッセージ記憶要求コマンドを送信し、第２電話が、該記憶要求コマンドを、該ネットワークに接続したボイスメール装置へ転送し、
第２電話から通話接続完了メッセージを受信し、第２電話が、該ボイスメール装置から受信した通話切断済みメッセージを転送し、
第２電話から音声データ挨拶を受信し、第２電話が、ボイスメール装置から受信した音声データ挨拶を転送し、
第２電話に音声メッセージを送信し、該第２電話がこの音声メッセージをボイスメール装置へ転送し、
第２電話へ通話切断メッセージを送信し、第２電話がこの通話切断メッセージをボイスメール装置へ送信する、方法。
【請求項１９】
ネットワークにより相互接続している少なくとも２台のネットワーク電話間で、ボイスメッセージを送信する方法であって、
第２電話の電話番号を第１電話に入力し、該電話番号をネットワーク上で送信し、
音声メッセージ記憶要求コマンドを第２電話に送信し、該第２電話が、記憶要求コマンドを、ネットワークに接続したボイスメール装置へ転送し、
ボイスメール装置から通話接続完了メッセージを受信し、
ボイスメール装置から音声データ挨拶を受信し、
ボイスメール装置へ音声メッセージを送信し、
通話切断メッセージをボイスメール装置へ送信する方法。
【請求項２０】
ネットワークによって相互接続している少なくとも２台のネットワーク電話間で文字メッセージを送信する方法であって、
第１電話に文字メッセージを入力し、該メッセージを保存し、
第２電話の電話番号を第１電話に入力し、電話番号をネットワーク上で送信し、
ネットワーク上で、データメッセージ記憶要求を第２電話へ送信し、
第２電話からデータメッセージ記憶準備完了コマンドを受信し、
保存したメッセージを該第２電話へ送信し、
第２電話からデータメッセージ承認コマンドを受信する、方法。
【請求項２１】
ボイスメール装置とネットワーク電話を相互接続しているネットワークのためにボイスメール装置を自動構築する方法であって、
装置タイプコマンドをネットワーク上で同報通信し、
電話ディレクトリ要求コマンドをネットワーク上で同報通信し、
ネットワーク電話から電話ディレクトリを受信し、
ネットワーク電話へ承認メッセージを送信する、方法。
【請求項２２】
トランク回線カード装置とネットワーク電話を相互接続しているネットワークのためにトランク回線カード装置を自動構築する方法であって、
装置タイプコマンドをネットワーク上で同報通信し、
電話ディレクトリ要求コマンドをネットワーク上で同報通信し、
ネットワーク電話から電話ディレクトリを受信し、
ネットワーク電話へ承認メッセージを送信し、
ネットワークに接続した任意の電話の通話状態を決定するために、標準のポーリングを行う、方法。
【請求項２３】
ネットワークによって相互接続している第１電話と第２電話の間で電話通話を実施する方法であって、
ネットワーク上で第１電話から第２電話へ呼び出しコマンドを送信し、
第２電話から呼び出し状態を受信し、
第２電話から通話接続完了状態を受信し、
第１電話と第２電話の間で音声データを送信し、
第２電話へ通話切断コマンドを送信する、方法。
【請求項２４】
ネットワーク外の宛先電話とネットワークに接続している電話との間で電話通話を完了する方法であって、
ネットワークと宛先電話との間で接続しているトランク回線カードへリンク要求を送信し、
トランク回線カードからリンク要求承認を受信し、
トランク回線カードへＤＴＭＦデータを送信し、
中央オフィスから、トランク回線カードを介して呼び出しトーンを受信し、
トランク回線カードから通話接続完了メッセージを受信し、
ネットワーク電話とネットワーク外の宛先電話との間で、トランク回線カードを介して音声データを転送し、
トランク回線カードを介して、ネットワーク外の宛先に通話切断メッセージを送信する、方法。
【請求項２５】
少なくとも１台のネット電話と少なくとも１台のコンピュータを関連付けるために有用な装置であって、
少なくとも１台のネット電話を外部の電話システムと接続するための電話通信インターフェースと、
少なくとも１台のコンピュータを外部コンピュータネットワークと接続するためのネットワークインターフェースと、
少なくとも１台のネット電話、少なくとも１台のコンピュータ、電話通信インターエース、およびネットワークインターフェースを相互接続するためのローカルエリアネットワークとを備える、装置。
【請求項２６】
ネットワークインターフェースが無線である、請求項２５に記載の装置。
【請求項２７】
ネットワークインターフェースがダイアルアップモデムプロトコルに基づいている、請求項２５に記載の装置。
【請求項２８】
ネットワークインターフェースがケーブルモデムプロトコルに基づいている、請求項２５に記載の装置。
【請求項２９】
ネットワークインターフェースがＩＳＤＮプロトコルに基づいている、請求項２５に記載の装置。
【請求項３０】
ネットワークインターフェースがｘＤＳＬプロトコルに基づいている、請求項２５に記載の装置。
【請求項３１】
ネットワークインターフェースがイーサネットプロトコルに基づいている、請求項２５に記載の装置。
【請求項３２】
外部コンピュータネットワークがインターネットである、請求項２５に記載の装置。
【請求項３３】
外部電話システムがＰＳＴＮ電話システムである、請求項２５に記載の装置。
【請求項３４】
外部電話システムがＰＢＸ電話システムである、請求項２５に記載の装置。
【請求項３５】
ローカルエリアネットワークがイーサネットプロトコルに基づいている、請求項２５に記載の装置。
【請求項３６】
ローカルエリアネットワークが無線である、請求項２５に記載の装置。
【発明の詳細な説明】
【技術分野】
【０００１】
本発明は、ローカルエリアネットワークにより接続された電話システムおよび方法に関する。より詳細には、本発明は、イーサネットネットワークで使用する自己構築型ローカルエリアネットワーク電話システムについて記載している。
【背景技術】
【０００２】
電話システムをサポートするためのローカルエリアネットワーク（ＬＡＮ）の使用は、ＬＡＮで利用可能な速度が高速化するに従い、益々人気を増している。最新のイーサネットベースの１００Ｍｂｉｔ／秒〜１０００Ｍｂｉｔ／秒（１Ｇｂｉｔ／秒）のデータ速度が可能なネットワークを見つけることは珍しくない。これにより、やはり同じネットワーク上を流れている主要データトラフィックと重複することなく、デジタル化した音声トラフィックをこれらのネットワーク上に統合させることがより実用的になった。多くの企業および組織において、ほとんどのユーザがＬＡＮシステムに接続したコンピュータシステムを使用している。従来、これらのユーザは、事務所に接続した電話回線も所有している。ＬＡＮシステムまたは電話配線システムを排除することができれば、ＬＡＮと電話配線システムの両方の維持に関するコストを低減することが可能になる。従来の電話ネットワークでは、多くのオフィスコンピュータのネットワーキングの必要性を満たすことができないため、これは、電話配線システムを排除して、電話システムをＬＡＮ上で動作させなければならない。この配置の利点には、既存のＬＡＮ配線を使用できること、新規ユーザの拡張性が容易であること、潜在的に増加する機能性、コストの低減が含まれる。
【発明の開示】
【発明が解決しようとする課題】
【０００３】
ＬＡＮ上で電話システムを動作させるシステムの１つに、ＬＡＮに接続しており、アナログ電話に接続するためのインターフェースモジュールを備えたパーソナルコンピュータ（ＰＣ）が挙げられる。このようなシステムの欠点は、ユーザが、自分の電話を使用する際に、ＰＣをオンにし、動作状態にしなければならないことである。さらに、ＬＡＮに複数の電話を接続するにはハブ装置が必要である。ハブ装置が必要であることの欠点は、ＬＡＮ以外に、各々のアナログ電話をハブに接続するための二次配線システムを設けなければならないことである。これにより、ＬＡＮベースの通信のコスト効率性が低減してしまう。
【０００４】
イーサネット接続を介してＬＡＮに直接接続した電話ユニットを使用するという他のシステムもあるが、しかし、これには、全ての通話トラフィックを管理するために、やはりＬＡＮに接続した中央コントローラが必要である。加入電話回線（ＰＳＴＮ）へのインターフェースを有するインターフェース中央コントローラは、サポートできる発信機の数が限定されている。複数のコントローラを相互接続することでシステムの容量を増加できるが、コストも増加してしまう。
【０００５】
より小規模な事務所では、上述のシステムではやはり複雑かつ高額過ぎる。多くの小規模事務所組織は、これらシステムの設定および動作に必要な専用情報技術（ＩＴ）サポートを設ける余裕がない。より規模の大きな組織であっても、スタートアップおよび構築時間を大幅に短縮することで得られる、より複雑性の低いシステムで十分である。したがって、上述したシステムよりも総コストが低く、設定および構築が短時間で行え、ＩＴサポートの必要性がより低いＬＡＮベースの電話システムが必要である。
【課題を解決するための手段】
【０００６】
本発明による方法は、ネットワーク電話システムを自動構築する方法を含む。この方法では、ネットワークに接続した電話により、所定の電話番号を含むコマンドを、ネットワークを介して同報通信し、タイムアウト期間中にネットワークの応答を受信した場合に、応答から、所定の電話番号が、ネットワークに接続した他の電話に既に割り当てられていることを決定する。番号が割り当て済み応答を受信後に、ネットワーク上でディレクトリメッセージを受信し、このディレクトリメッセージには、該ネットワークに接続している電話に割り当てられた番号を含む電話ディレクトリが含まれており、また、受信した電話ディレクトリから、重複しない電話番号を見つける。この発見した番号がその電話の番号として採用され、採用された番号がネットワーク上で同報通信される。
【０００７】
一実施形態では、所定の電話番号を含むコマンドを同報通信するステップは、ブロードキャストフレームを「電話番号トライアウトコマンド」と共に送信することよって実施され、該タイムアウト期間中に受信したネットワーク応答は「番号が既に存在する」コマンドであり、ディレクトリメッセージが「ディレクトリ送信コマンド」であり、ネットワーク上での採用された番号の同報通信が、「電話番号同報通信コマンド」と共にブロードキャストフレームを送信することで実行される。
【０００８】
重複しない電話番号を見つけるステップでは、所定の電話番号を電話用の番号として選択し、この所定の番号をネットワーク上で同報通信し、電話ディレクトリの送信を要求し、応答がない場合に、選択した番号を電話用の番号として使用する。
【０００９】
本発明の１つの利点は、電話システムの確立に必要なものは、ネットワーク電話装置とネットワークだけであるという点である。通常、ネットワークは既存のネットワークを利用するので、ネットワーク電話だけを追加すればよく、したがって、システムのコストが低く抑えられる。他の利点は、ネットワークベースの電話システムの設定に要する時間が従来のシステムよりも短くて済む点である。
【００１０】
本発明の一実施形態は、電話インターフェース、ネットワークインターフェースおよびローカルエリアネットワーク（ＬＡＮ）を含む。この電話通信インターフェースは、１台または複数のネット電話と、ＰＳＴＮ電話システム等の外部電話ネットワークとの間の接続性を提供する。さらに、このネットワークインターフェースは、１台または複数のコンピュータと、インターネット等の外部コンピュータネットワークとの間の接続性を提供する。ローカルエリアネットワークは、ネット電話（単数または複数）、コンピュータ（単数または複数）、電話通信インターフェース、ネットワークインターフェースの間の相互接続性を提供する。
【００１１】
いくつかの実施形態では、外線電話ネットワークとの通信に加えて、ＬＡＮを介して相互に内線通信できる２台以上のネット電話を設けることができる。同様に、外部コンピュータネットワークに加えて、やはりＬＡＮを介して相互に内線通信できる２台以上のコンピュータを設けることができる。
【発明の効果】
【００１２】
本発明の一利点は、ネット電話（単数または複数）とコンピュータ（単数または複数）両方の内部および外部両方の接続性を組み合わせることにより、ユーザが、例えばＤＳＬモデム、ルータ、イーサネットスイッチ、電話スイッチを設置する必要がなく、これにより、ネット電話（単数または複数）およびコンピュータ（単数または複数）の両方を設置する初期コストを大幅に削減できることである。
【００１３】
他の利点は、一度ネットワークインフラストラクチャを設置してしまえば、必要性が生じた際に、既存のネット電話（単数または複数）とコンピュータ（単数または複数）をネットワーク内で非常に簡単に再配置することができ、また、ネットワークの変更を最小に抑えながら、新規のネット電話（単数または複数）とコンピュータ（単数または複数）をネットワークに追加できる。
【００１４】
本発明の様々な特徴は、単独で、または組み合わせて実現することができる。以降で、本発明のこれらの特徴について、図面を参照しながら、本発明の詳細な記述においてより詳細に説明する。
【００１５】
本発明のこれらおよびこれ以外の特徴、態様、利点は、以降の記述、添付の請求項、添付の図面に関連してより理解することができる。
【発明を実施するための最良の形態】
【００１６】
図１は、本発明の一実施形態による、ＬＡＮ（ローカルエリアネットワーク）に接続するための電話装置１０のブロック線図である。電話装置１０とのネットワーク接続は、ＬＡＮの１０／１００／１０００メガビット／秒のイーサネットケーブル２４を介して実行されるが、これ以外の、高速光ケーブル等のネットワーク配線技術を使用することもできる。イーサネットネットワークには、ＲＪ−４５タイプのコネクタを使用して、電話装置１０をＬＡＮケーブル２４に接続するが、しかし、これ以外にも、当業者に周知の許容し得るコネクタも使用可能である。イーサネットコントローラ１８は、マイクロコントローラ＆メモリ回路要素１４を、標準のデータ、アドレス、制御バス１５を介して、ＬＡＮにインターフェースする。このような装置の例として、ＡＳＩＸ  ＡＸ８８７９６Ｌローカルバス高速イーサネットコントローラ（ＡＤＳＰ−２１０６５Ｌ搭載）またはＩｎｔｅｌ  ＬＸＴ９７１Ａ高速イーサネットトランシーバ（ＰＰＣ８５５Ｔ搭載）が挙げられる。
【００１７】
マイクロコントローラ＆メモリ回路要素１４は、ディスプレイインターフェース回路要素２０、キーパッドインターフェース回路要素２２、電話回路要素１６、ＵＳＢ（ユニバーサルシリアルバス）インターフェース回路要素２６に接続している。電源モジュール１２内の電源機能およびクロック機能が、パワーバス１３を介して、マイクロコントローラ＆メモリ回路要素１４、電話回路要素１６、イーサネット回路要素１８、ディスプレイ回路要素２０、キーボード回路要素２２、ＵＳＢインターフェース回路要素２６に供給される。マイクロコントローラ＆メモリ回路要素１４は、内部または外部メモリ内に常駐しているプログラムを取り出し、復号化し、実行するＣＰＵ／ＤＳＰ（中央処理ユニット／デジタル信号プロセッサ）を備える。このような装置の一例には、アナログ装置ＡＤＳＰ−２１０６５ＬまたはＭｏｔｏｒｏｌａ  ＰＰＣ８５５Ｔ  ＣＰＵが挙げられる。メモリコンフィギュレーションは、フラッシュ、ＥＰＲＯＭ（電子プログラム可能読取専用メモリ）、ＥＥＰＲＯＭ（電子消去可能読み取り専用メモリ）、ＲＡＭ（ランダムアクセスメモリ）、ＤＲＡＭ（ダイナミックランダムアクセスメモリ）、ＳＲＡＭ（静的ランダムアクセスメモリ）、ＳＤＲＡＭ（同期ＤＲＡＭ）が挙げられる（しかし、これらに限定されるものではない）。マイクロコントローラ＆メモリ回路要素１４の主要機能は、電話装置１０内の電話回路要素１６、イーサネット回路要素１８、ディスプレイ回路要素２０、キーパッドインターフェース回路要素２２、ＵＳＢインターフェース回路要素２６を制御し、これらと通信し、さらに、ＬＡＮに接続しているこれ以外のネットワーク装置と通信することである。例えば、これには、キーパッドインターフェース回路要素２２からのキーパッド信号の復号化、受信、復号化、電話回線要素１６との間における音声データ（音声認識を介する）およびトーン信号の転送、ＵＳＢインターフェース回路要素２６からのＵＳＢデータの受信／送信、入ってくるネットワークデータおよびキーパッド入力の表示、ヘルプメニューの表示、およびこれ以外のディスプレイ回路要素２０上の機能の表示を含む。別個のキーボード２８をキーパッドインターフェース回路要素２２に取り付けてもよい。
【００１８】
ＵＳＢインターフェース回路要素２６は、ＵＳＢデバイス２７と通信して、ＬＡＮとの間におけるデータ転送を可能にするために使用される。このような装置の一例には、Ａｇｅｒｅ  Ｓｙｓｔｅｍｓ社から販売されているＵＳＳ−８２０Ｄ  ＵＳＢデバイスコントローラが挙げられる。ＵＳＢデバイス２７の例には、プリンタ、デジタルカメラ、スキャナ、ビデオ装置、メモリ装置、パーソナルアシスタント、ポータブルパーソナルコンピュータが含まれる。例えば、一アプリケーションでは、ビデオおよび音声を送信できるように、ネットワーク電話を介してビデオ入力／出力装置に接続している。所望であれば、ＵＳＢポートに独自の別個の電話番号を割り当てることもできる。他のアプリケーションでは、ＵＳＢスキャナをＵＳＢデバイス２７として使用して、文書がＬＡＮ上のどこか他の宛先へ送信される。この文書は、デバイス２７に接続しているプリンタを介して、別のネットワーク電話にて印刷されるか、または、ＬＡＮに直接接続した印刷サーバにて印刷される。
【００１９】
電源回路要素１２は、全てのモジュール、パワーオンＲＥＳＥＴ機能、クロック同期、日付を含むリアルタイムクロック情報に直流電力を供給する。さらに、電源回路要素１２は、電力損失動作のための電池バックアップシステムを備えることもできる。電話回路要素１６は、標準ハンドセットおよびスピーカ／マイクロフォンインターフェース、さらにアナログ／デジタル変換を提供する。
【００２０】
図２は、本発明の一実施形態による、アナログ電話セット３２からＬＡＮにインターフェースする装置３０の機能ブロック線図である。アナログ電話ＬＡＮインターフェース装置３０は、標準のアナログ電話セット３４をＬＡＮシステム、好ましくはイーサネットＬＡＮシステムとインターフェースするためのコンポーネントを含む。アナログ電話インターフェース回路要素３２は、音声およびキー入力ＤＴＭＦ（デュアルトーン多周波）コマンドを、ＬＡＮ上でデジタル送信するために復号化する。アナログ電話インターフェース回路要素３２はさらに、ダイアルトーン機能、ビジートーン機能、呼び出し音機能をアナログ電話セット３４に提供する。アナログ電話インターフェース回路要素３２の一例には、Ｓｉｌｉｃｏｎ  Ｌａｂｏｒａｔｏｒｉｅｓ  Ｓｉ３２１０（呼び出し／電池電圧生成を備えたプログラム可能ＣＭＯＳ  ＳＬＩＣ／Ｃｏｄｅｃ）が挙げられる。アナログ電話セット３４または複数セットを、標準ＲＪ１１コネクタと電話線４０を介して装置３０と接続してもよい。アナログ電話セット（単数または複数）３４は、さらに、ファックスマシンまたはコードレス電話を備えることができる。
【００２１】
さらにアナログ電話ＬＡＮインターフェース装置３０は、スピーカおよびマイクロフォン３８に接続するハンドフリーインターフェース回路要素３６を備えているため、多くのアナログ電話セットには装備されていないハンドフリー操作の提供が可能である。ほとんどのアナログ電話セット３４には数字キーパッドが既設されているため、このアナログ電話ＬＡＮインターフェース装置３０では、数字キーパッドはオプションになっている。
【００２２】
図３は、本発明の一実施形態による、デジタル電話５４をＬＡＮにインターフェースする装置５０の機能ブロック線図である。デジタル電話セット用の通信プロトコルは非標準であり、各製造業者によって異なるため、カスタム型のデジタル電話インターフェース回路要素５２を使用して、デジタル電話セット５４用に音声およびキー入力コマンドを復号化する。多くの場合デジタル電話セット５４に装備されているため、ハンドフリーインターフェース回路要素３６は不要であるかもしれない。デジタル電話ＬＡＮインターフェース装置５０のこれ以外の機能は、電話装置１０およびアナログ電話ＬＡＮインターフェース装置３０について記述したものと類似している。
【００２３】
図４Ａは、本発明の一実施形態による、ネットワーク電話装置のキーパッドおよびディスプレイ６２のレイアウト６０を示す。キーパッドはキー６３、６６、６８を含む。標準の電話数字キーパッド６８を使用して英数字情報を入力する。キー６６は固定された機能キーであり、キー６３はプログラム可能な機能キーＡ〜Ｆである。インジケータランプ６５は、Ａ〜Ｆのどの機能が起動中であるかを表示するために使用される。電話装置１０、アナログ電話ＬＡＮインターフェース装置３０、またはデジタル電話ＬＡＮインターフェース装置５０等の任意の電話構造では、全てのキーを表示する必要も、使用する必要もない。さらに、文字ベースの情報６４を見るためのディスプレイ６２を設けている。ディスプレイは、液晶、プラズマ、発光ダイオード、またはこれ以外の任意の適当な技術であってよい。メッセージランプ６７は、ボイスメールメッセージの状態を示す。表１は、図４Ａに示したキーの制御キー値の一例を１６進法にて示す。
【００２４】
図４Ｂは、本発明の一実施形態による、図４Ａのディスプレイ６２上に文字ＰＱＲＳ７を入力する工程ブロック線図を示す。パッド６８上の各キーは複数の英数字を含んでおり、その各々の区別をこの例に示している。図４Ｂのステップ７０から開始して、７キー上に設定したＰＱＲＳ列の最初の文字を示すために、‘７’キー（または７ＰＱＲＳキー）を、続いて‘１’キーを押下することで、ディスプレイ上に文字Ｐが入力される。ステップ７１では、ディスプレイはＰを表示している。ステップ７２では、‘７’キーを、続いて‘２’キーを押下して、ディスプレイにＱが追加されることで、ステップ７３に示すように、ディスプレイ上にＰＱと表示される。ステップ７４では、‘７’キーと‘３’キーを押下することで、ステップ７５に示すように、ディスプレイ上にＰＱＲが表示される。ステップ７６では、‘７’キーと‘４’キーを押すことにより、ステップ７７に示すように、ディスプレイ上にＰＱＲＳと表示される。さらにステップ７８では、‘７’キーと‘５’キーを押下することで、ステップ７９に示すように、ディスプレイ上にＰＱＲＳ７が表示される。これ以降の説明では、ディスプレイ上に文字を入力した場合には、「ＡＢＣをタイプする」のように短い記述を参照した場合でも、図４Ｂと類似したプロセスが使用されると仮定する。
【００２５】
【表１】
2005538646.tif 000003
【００２６】
図５は、本発明の一実施形態による、ＬＡＮハブ８６に接続した一対のネットワーク電話８２、８４を示すブロック線図８０である。ＬＡＮハブ８６はイーサネットハブであることが好ましいが、しかし、別の技術であってもよい。以下の説明は、例証の方法によるイーサネットシステムに限定されているが、別の高速ネットワークシステムも適しているため、このアプリケーションはイーサネットシステムのみに限定されるものでは決してない。ネットワーク電話８２、８４は、１０／１００／１０００Ｍｂｉｔ／秒の遮蔽または非遮蔽より対ケーブル、または他の互換性を有する高速データケーブルを介して、ＬＡＮイーサネット回線８８に接続している。ケーブル８８は、例えばＲＪ−４５コネクタを介して電話８２、８４に接続しているが、これ以外の互換性を有するコネクタの使用も可能である。ネットワーク電話８２、８４は、ＬＡＮに接続した他の装置と通信するためのＬＡＮハブ８６に接続している。電話８２、８４を動作する場合、その動作を構築するため、または相互に、あるいは同一のＬＡＮシステム上の別の電話に電話をかけるために、中央スイッチ、制御ステーション、もしくはＰＢＸシステムは不要である。
【００２７】
図６は、本発明の一実施形態による、ＬＡＮハブ８６に接続した一対のネットワーク電話Ｐ１  ８２とＰ２  ８４、パーソナルコンピュータＰＣ１  ９２とＰＣ２  ９４を示すブロック線図９０である。ネットワーク電話Ｐ１、Ｐ２は、ハブ８６に接続したＰＣ１、ＰＣ２等の他の装置と協働して動作することができる。ネットワーク電話Ｐ１、Ｐ２は、ＰＣ１、ＰＣ２のネットワーク通信を干渉することなく（ネットワークデータトラフィックの若干の増加は除く）、相互に対して、または同一のＬＡＮに接続している他の電話（図示せず）に電話をかけることが可能である。Ｐ１、Ｐ２はさらに、ボイスメール等のサービスを受けるため、または、例えばネットワーック電話８２、８４に接続したＵＳＢデバイス２７とＰＣの間のデータ通信を容易にするために、ＰＣ１、ＰＣ２と直接通信することもできる。電話Ｐ１、Ｐ２が設置され、構築されると、電話Ｐ１の第１ユーザは、中央切換装置にその通話をルーティングさせる必要なく、電話Ｐ２の第２ユーザに電話をかけることができる。
【００２８】
図７Ａは、本発明の一実施形態による、ＬＡＮハブ８６に接続した、２つのネットワーク電話８２、８４、ボイスメール／ネットワーク記憶装置搭載型のＰＣ１０２を示すブロック線図１００である。ＬＡＮハブ８６に接続したＰ１、Ｐ２は、ＰＣ１０２が装備している記憶装置内にボイスメールまたはデータメッセージを残すために、ＬＡＮを介した通信を利用する。安価な大容量メモリが入手できるため、この目的にとってこのＰＣの利用は有利である。さらに、各々の電話Ｐ１、Ｐ２内にメッセージングメモリ機能を設けることも可能であるが、その容量は小さくなる。小容量で構わない場合には、ボイスメールメッセージを局所的に電話ユニット８２、８４内に記憶させることで、ネットワークトラフィックの低減といったネットワーク通信上における利点が得られる。しかしながら、多数のユーザが使用するより大型のシステムでは、ボイスメールメッセージをこのようなシステム内にルーチン的にバックアップして、事故による損失を回避できるため、ボイスメール搭載ＰＣがより効率的かつ安全である。さらに、ＰＣの使用により、ソリッドステートＤＲＡＭよりも遥かに低価格のハードドライブメモリ記憶装置が得られる。
【００２９】
図７Ｂは、本発明の一実施形態による、２つのネットワーク電話Ｐ１  ８２、Ｐ２  ８４とボイスメール／ネットワーク記憶装置搭載ＰＣ１０２の間のボイスメールメッセージ経路を示すブロック線図である。ネットワーク電話Ｐ１上のユーザがネットワーク電話Ｐ２上のユーザにボイスメッセージを残したい場合、使用可能なメッセージ経路は潜在的に３つ存在する。ボイスメール搭載ＰＣを備えていないシステムでは、経路Ｂ１０６が唯一使用可能な経路であり、この場合、ボイスメールメッセージはＰ１からＰ２へ直接送信され、ローカルメモリ内に記憶される。ボイスメール搭載ＰＣを備えたシステムでは、経路Ａ１０４、１１０、経路Ｃ１０８が使用可能である。経路Ａでは、ボイスメールメッセージは電話Ｐ１から電話Ｐ２へルーティングされ、次いでボイスメールＰＣ１０２へルーティングされる。経路１０８では、ボイスメールは電話Ｐ１  ８２からボイスメール搭載ＰＣ１０２へ直接ルーティングされる。両経路Ａ、Ｃの詳細な工程については、以降でさらに詳しく説明する。
【００３０】
図８は、本発明の一実施形態による、イーサネットＬＡＮスイッチを介した、複数のネットワーク電話のボイスメール／ネットワーク記憶装置搭載ＰＣへの接続を示す概略ブロック線図１２０である。図８では、３つのレベルの相互接続ＬＡＮスイッチを利用して、より多数のネットワーク電話をボイスメール／ネットワーク記憶装置搭載ＰＣ１２２に接続しているが、しかしながら、このレベル数は任意であってよい。この例では、スイッチ１２４、１２８、１３０、１３２、１３４、１３６、１３８は６ポートＰ１〜Ｐ６（全てを図示せず）ユニットである。６ポートスイッチを図示しているが、これよりも多数または少数のポートを備えたスイッチを相当物として使用することも可能である。ボイスメール／ネットワーク記憶装置搭載ＰＣ１２２はスイッチ３０１  １２４のポートＰ６に接続しており、このポートＰ６は、最大で５つの、レベル２００におけるスイッチに接続することができるが、図面の明瞭性および簡略性の目的で、５つのうち２つのスイッチ、スイッチ２０１  １２８とスイッチ２０２  １３０のみを図示している。レベル２００における各スイッチ１２８、１３０の５つのポートには、最大で５つの、レベル１００における追加スイッチをさらに設けることができる。明瞭性のために、２つだけ図示している。この例では、スイッチ１０１  １３２とスイッチ１０２  １３４は、スイッチ２０１  １２８上のポートに接続している。同様の方法で、スイッチ１１１  １３６とスイッチ１１２  １３８は、スイッチ２０２  １３０に接続している。ネットワーク装置１４０〜１５４は、スイッチ１３２、１３４、１３６、１３８の各々上のレベル０におけるポートに接続している。これらの装置１４０〜１５４の全てをネットワーク電話にしてもよいし、あるいは、一部分のみをネットワーク電話にし、残りの装置をＰＣ、サーバ、または他の互換装置にすることもできる。スイッチ１２４、１２８、１３０、１３２、１３４、１３６、１３８の代わりにＬＡＮハブを使用したり、またはハブとスイッチを任意で組み合わせることも可能である。イーサネットベースのシステムの場合には、相互接続回線１２６は高速１０／１００／１０００Ｍｂｉｔ／秒のベースＴイーサネットケーブルであることが好ましい。
【００３１】
図９は、本発明の一実施形態による、複数のネットワーク電話の、イーサネットＬＡＮハブおよびスイッチへの接続を示す概略ブロック線図である。典型的なＬＡＮシステム１６０は、イーサネットスイッチ１６８に接続したファイルサーバ１６２を備える。このスイッチはＬＡＮハブ１７０〜１７４および印刷サーバ１６４に接続していてよい。６ポートハブ１７０〜１７４の各々には、最大で５つのネットワーク装置Ｄ１１  １４０、Ｄ１２  １４２、Ｄ１５  １７６、Ｄ２１  １４４、Ｄ２２  １４６、Ｄ２５  １７８、Ｄ５１  １８０、Ｄ５２  １８２、Ｄ５５  １８４を接続することができる。明瞭性のために、図中にはこの内のいくつかのみを示す。任意数のネットワーク装置１４０、１４２、１７６、１４４、１４６、１７８、１８０、１８２、１８４をネットワーク電話にし、残りをＰＣまたはサーバ等の他の適切なネットワーク装置にすることもできる。６ポートスイッチ１６８とハブ１７０、１７２、１７４を図示しているが、これよりもポート数が多いまたは少ないものを同等物として使用することも可能である。
【００３２】
図１０は、本発明の一実施形態によるイーサネットＬＡＮスイッチに接続した、複数のネットワーク電話とボイスメール／ネットワーク記憶装置搭載ＰＣを示す概略ブロック線図１９０である。図９中のハブ１７０、１７２、１７４を、イーサネットＬＡＮスイッチ１９４、１９６、１９８に交換している。ネットワーク装置１４０〜１４６、１７６〜１８４は、スイッチ１９４〜１９８に接続している。任意数のネットワーク装置１４０〜１４６、１７６〜１８４はネットワーク電話であってよい。次に、スイッチ１９４〜１９８がスイッチ１９２に接続している。ファイルサーバ１６２とプリンタサーバ１６４もスイッチ１９２に接続している。前述したように、ファイルサーバ１６２と印刷サーバ１６４は、ＬＡＮシステム１９０のスイッチ１９２〜１９８の任意のいずれかに接続することができる。データ重複（複数のＬＡＮ装置による同時送信）を低減し、ネットワークパフォーマンスを向上するために、スイッチ１９４〜１９８をハブの代わりに採用している。
【００３３】
図１１は、本発明の一実施形態による、外部ネットワークと加入電話回線が、ネットワーク電話を接続しているＬＡＮに接続した状態を示す概略ブロック線図２００である。前述したように、任意数のネットワーク装置Ｄ１１〜Ｄ１５、Ｄ２１〜Ｄ２５、Ｄ５１〜５５はネットワーク電話であってよい。
【００３４】
内部発生した通話をネットワーク電話Ｄ１１〜Ｄ５５から加入電話回線（ＰＳＴＮ）２０８に接続するために、トランク回線カード／デジタルアテンダントと呼ばれるインターフェース装置が必要である。トランク回線カードは、加入電話回線（ＰＳＴＮ）のアナログ回路要素を、デジタルアテンダントが必要とするデジタル回路要素にインターフェースする。この実施形態では、両機能は装置２０４に含まれている。デジタルアテンダントは、ＬＡＮ装置（ネットワーク電話Ｄ１１〜Ｄ５５を含む）によって使用されるＭＡＣ（メディアアクセス制御）アドレスを、標準の電話システムが理解できる電話番号に変換する。デジタルアテンダントは、トランク回線カードと共に、音声変換を表すデジタルデータストリームを外部電話回線の周波数および信号レベルに変換する。さらにトランク回線カード／デジタルアテンダント２０４は、外部からダイアルされた接続を適切なネットワーク電話のＭＡＣアドレスに変換するよう機能する。デジタルアテンダント／トランク回線カード２０４は、一緒に実装され（例えば同一の印刷回路基板上に）ＰＣ内に設置されるか、または、別個に実装される。別個に実装する場合には、デジタルアテンダントは、様々なタイプのディスプレイインジケータ（ＬＥＤ、ＬＣＤディスプレイ他）と共にスタンドアロンコンソール内に収容され、ＬＡＮシステム内で通話の傍受および割り当てを制御する。
【００３５】
同様の方法で、ネットワーク電話によって使用されるＭＡＣアドレスへ／から変換するために、外部ネットワーク２０６から発信された通話が、データネットワーク回線カード／デジタルアテンダント２０２を介してインターフェースされている。外部ネットワーク２０６は、インターネット、仮想プライベートネットワーク（ＶＰＮ）等のワイドエリアネットワーク（ＷＡＮ）であるか、または、マイクロ波、レーザ、ビルディングトゥビルディングあるいはインターキャンパス接続用の埋め込みケーブルを使用したよりローカルな通信システムであってよい。ＬＡＮの網羅範囲を例えば建物または構造内に限定して、ビルディングトゥビルディングあるいはストラクチャトゥストラクチャ通信用のマイクロ波あるいはレーザベースのシステムを使用することが有利であるかもしれない。より遠く離れた場所どうしの通信には、インターネットまたはＶＰＮの使用が適している。この場合は、データネットワーク回線カード／デジタルアテンダント回線カード２０２とネットワーク電話を、インターネットプロトコルをサポートするようにプログラムする。データネットワーク回線カード２０２とトランク回線カード／デジタルアテンダント２０４は、例えば、ＬＡＮに接続したＰＣ内に常駐するか、あるいは各々が別個の装置であってよい。この機能は、スイッチ１０  １９２に追加的に内蔵するか、または、上述したような別個のコンソールタイプの装置に内蔵することができる。
【００３６】
図１２Ａは、本発明の一実施形態によるトランク回線カード２２０の機能ブロック線図である。この実施形態は、Ｔ１／Ｅ１回線２２２への接続を提供するが、しかし、機能性を損失することなく、他のＰＳＴＮ電話回線コンフィギュレーションについて構成することもできる。Ｔ１／Ｅ１回線インターフェース回路２２４は、マイクロコントローラ／ＤＳＰ＆メモリ回路要素２２８に接続しており、次に、この要素がイーサネットコントローラおよびインターフェース回路要素２３０に接続している。ＲＪ４５コネクタ２３６は、トランク回線カード２２０をＬＡＮシステムに接続するために設けられている。単回線２３２または追加の補助回線２３４、あるいはこれ以上のものを設けることができる。電源、クロッキング、およびリセット回路要素が、パワーモジュール２２６を介して、コンポーネント２２４〜２３０に供給される。
【００３７】
図１２Ｂは、本発明の一実施形態によるデジタルアテンダント２１０のブロック線図である。この回路要素は図１、図１２Ａに示した実施形態のものと類似するが、しかし、追加的特徴も追加される。デジタルアテンダント２１０には、ＰＣ２１２の使用を介して、これらの追加的なインターフェース特徴を設けることができ、これにより、ユーザは、ヒューマンオペレータインターフェースをアテンド機能の一部として実現できるようになる。ＰＣ２１２により、ネットワーク内の発信者の状態をオペレータが容易に決定し、かかって来た通話を割り当てられるようにするＧＵＩプログラミングを備えたビデオ画面の表示が可能になる。回線２１６またはこれよりも多くの回線を介して中央オフィス２１４に接続するために、図１の実施形態に回路モジュール２１８が追加されている。ＰＣ２１２は、ＵＳＢインターフェース２６に接続した状態を示している。
【００３８】
図１３は、本発明の一実施形態による、電話番号をプログラミングする工程２４０を示すフローチャートである。この工程では、ユーザは、ステップ２４２から開始して、Ｐｒｏｇｒａｍキー６６ｂを押下することで、特定の内線電話番号４３０５をユーザの内線に手動でプログラムする。次のステップ２４４では、図４Ａ中の電話ディスプレイ６２が、番号（＊）または氏名（＃）の選択を表示する。ステップ２４６では、ユーザが（＊）キーを押下して、番号をプログラムする。ステップ２４８では、ディスプレイ６２が、ユーザに、番号を入力し、入力が終わったらＳａｖｅキー６６ａを押すように促す。ステップ２５０では、ユーザは、４、３、０、５キーと、Ｓａｖｅキーを押下する。ステップ２５２では、ディスプレイ６２が、ユーザに、電話がＬＡＮ上のどこかに電話番号重複がないかどうかを調べるまで少し待つように指示される。ステップ２５４では、ネットワーク電話は、「電話番号トライアウト」コマンドをＬＡＮ上の全てのネットワーク電話に送信する。ステップ２５６、２５７では、ネットワーク電話が、他のネットワーク電話からの応答を待っている。「４３０５は現在使用中」と応答する電話がない場合には、ステップ２５８にて、番号‘４３０５’がそのユーザに割り当てられる。他の全ての電話は、図２３中のステップ７２６に示すように、そのルックアップテーブル（ＬＵＴ）を新しい番号に更新する。ステップ２５９では、ユーザの電話にこの番号が表示される。重複する番号がある場合には、ステップ２５３にて、その番号が既に使用されている旨のメッセージがディスプレイにより示される。すると、ステップ２５５で、ユーザが別の電話番号を入力する。
【００３９】
図１４は、本発明の一実施形態によるページングの工程を示すフローチャートである。ユーザは、ステップ２６２で、ハンドセットを持ち上げ、Ｐａｇｅキー６６ｃを押下することでこの工程を開始する。ステップ２６４において、ディスプレイが、選択を行うようユーザを促す。この例では、ユーザは、ステップ２６６において、３キーを押下して電話＃、選択（３）を選択する。ステップ２６８にて、ディスプレイが、ページングを行う電話番号を促する。この例では、ユーザは、ステップ２７０で、２、７、８、０キーを押下して‘２７８０’を入力する。ステップ２７２にて、電話‘２７８４’が電話‘２７８０’にページングコマンドを送信する。ステップ２７４で、電話‘２７８０’が‘２７８４’の電話に、「通話接続完了」コマンドを送信する。ステップ２７６にて、‘２７８４’の電話が、‘２７８０’の電話に音声データを送信する。
【００４０】
図１５は、本発明の一実施形態による、２つの外部電話回線３０２、３０４で接続した複数のネットワーク電話を示すブロック線図３００である。電話回線３０２、３０４は、トランク回線カード／デジタルアテンダント装置３０６と接続している。トランク回線カード／デジタルアテンダント装置３０６には、通常１つのポート３０５が設けられているが、容量を増加するために、オプションの第２ポート３０７を設けている。トランク回線カード／デジタルアテンダント装置３０６は、６ポートＬＡＮスイッチ３０８に接続し、このスイッチ３０８が６ポートＬＡＮスイッチ３１０、３１２に接続している。ネットワーク電話Ｐ＃１  ３１４〜Ｐ＃５  ３１８はスイッチ３１０に接続しており、ネットワーク電話Ｐ＃６  ３１９〜Ｐ＃１０  ３２３はスイッチ３１２に接続している。
【００４１】
この実施形態では、２回線と２つの電話番号のみが電話会社によって割り当てられている。その結果、電話Ｐ＃１〜Ｐ＃１０上のユーザ間で、２本の空き回線のみが任意の１回利用可能になる。装置３０６は、発信者が、その通話を割り当てるのに適切な内線を取ることができるようにする内線識別ユーティリティを備える。このようなユーティリティは、完全に自動化されており、発信者が全ての内部電話内線のディレクトリにアクセスできるようにする選択が予め記憶されている。あるいは、それが好ましい場合には、トランク回線カード／デジタルアテンダント装置３０６を、通話のルーティングに人間のオペレータが介入するように設定することが可能である。
【００４２】
図１６は、本発明の一実施形態による、複数の外部電話を備えた図１５のシステムのブロック線図３２４である。この実施形態では、外部発信者から電話Ｐ＃１〜Ｐ＃１０の各ユーザにダイアル接続を割り当てられるようにするために、十分な数の電話番号が割り当てられている。そのため、モジュール３２６には内線アクセス機能が必要ない。
【００４３】
図１７は、本発明の一実施形態による、図１５のシステムのブロック線図３３０である、この場合は、１台の電話に最も高い優先順位が与えられている状態を示している。この実施形態では、２つのみの電話番号が提供され、ネットワーク電話Ｐ＃１  ３３４に最も高い優先順位が指定されている。そのため、全ての着信通話がＰ＃１に割り当てられ、Ｐ＃１がビジー状態の場合には、アテンダントモジュール３３２が、発信者に、その通話を割り当てる内線を選ぶよう指示する。すると、その通話が電話Ｐ＃２〜Ｐ＃１０のうちの１台に割り当てられる。この実施形態は、例えば全ての通話を受付またはオペレータを通して受けたいと望む組織にとって有利である。就業時間後や、受付が不在の場合には、その通話は発信者が選択した内線番号に直接回される。
【００４４】
図１８は、本発明の一実施形態による、ボイスメール機能の処理ステップを示すフローチャート４００である。この工程は、電話１が電話２に電話をかけるステップ４０２から開始する。ステップ４０４で、電話１が電話２に「呼び出し」コマンドを送信する。ステップ４０６に判定されるように、電話２がビジー状態でなければ、ステップ４０８にて電話２が呼び出される。次に、ステップ４２０にて、呼び出し音の回数が、事前設定された値ＮＲと比較され、ステップ４２０で判定されるように、呼び出し音回数が事前設定値を越えない場合は、工程はステップ４０４へ進む。ステップ４２０で判定されるように、呼び出し音回数が事前設定値ＮＲを超えた場合には、発信者はステップ４２２にてボイスメール機能を開始する。
【００４５】
ステップ４０６で判定されるように、電話２がビジー状態の場合には、ステップ４１０にて、電話２用のハンドセットのタイプが決定される。ステップ４１０で判定されるように、ハンドセットがアナログの場合には、ステップ４１４にて、電話２のユーザに通話待ちトーンが発せられる。ステップ４１０で判定されるように、ハンドセットがデジタルの場合は、ステップ４１２にてハンドセットの呼び出し音が鳴る。ステップ４１２、４１４の両方において、電話２のユーザは、ステップ４１６で、現在の通話を中断し、電話１から着信した通話を受けることができる。
【００４６】
ステップ４１６で判定されるように、通話が応答されるとこの工程は終了する。一方、ステップ４１６で判定されるように、電話が応答されない場合には、電話１のユーザが現在の通話を中断しないと決定したということであり、ステップ４２０にて、呼び出し音回数の試みが再び決定される。呼び出し試みの回数がＮＲを超えると、ステップ４２２にて、電話１の発信者がボイスメール機能を開始する。
【００４７】
ステップ４２２にて、電話２が「音声メッセージ記憶要求」コマンドをボイスメール装置に送信する。ステップ４２４にて、ボイスメール装置が「通話接続完了状態」メッセージを電話２に送信すると、電話２が「通話接続完了状態」メッセージを電話１に送信する。ステップ４２６で、ボイスメール装置が音声データ（「メッセージを残す」挨拶）を電話２に送信し、電話２がこの音声データ（挨拶）を電話１に転送する。ステップ４２８にて、電話１が音声データ（メッセージ）を電話２へ送信すると、電話２がこれをボイスメール装置へ送信する。ステップ４３０で、電話１が電話２に「通話切断」コマンドを送信し、電話２がこの「通話切断」コマンドをボイスメール装置へ転送する。ステップ４３２にて、ボイスメール装置が「ボイスメール使用可能」コマンドを電話２へ送信し、電話２に設けられている音声メッセージ使用可能インジケータランプ６７が点灯し、その旨を示す。任意で、ディスプレイ６２が「１通のメッセージ使用可能」メッセージを表示する。
【００４８】
別の実施形態では、ステップ４２２に続くステップ４２７にて、ボイスメール装置が、通話接続完了状態および音声データ（挨拶）を電話１に直接送信する。ステップ４２９で、電話１が音声データ（メッセージ）をボイスメール装置へ送信し、ステップ４３１で、電話１が「通話接続」コマンドをボイスメール装置に送信する。ステップ４３２では、ボイスメール装置が「音声メッセージ使用可能」コマンドを電話２へ送信し、電話２が音声メッセージ使用可能インジケータランプ６７を点灯させる。
【００４９】
図１９は、本発明の一実施形態による、ネットワーク電話間で音声メッセージを送信する工程を示すフローチャート４５０である。この工程では、電話＃１のユーザが、電話＃２を鳴らさずに、電話＃２のユーザに音声メッセージを残す。ステップ４５２で、電話＃１のユーザがＭｅｓｓａｇｅキー６６ｅを押下する。ステップ４５４にて、電話＃１のディスプレイ６２が「取得（＊）または送信（＃）」と促す。ステップ４５６で、ユーザが（＃）キーを押して、メッセージを送信する選択を行う。次に、ステップ４５８で、ディスプレイが「音声（＊）またはデータ（＃）」と促す。ステップ４６０で、ユーザは（＊）キーを押し、音声メッセージの送信を選択する。ステップ４６２にて、ディスプレイはユーザに電話番号を入力し、Ｓｅｎｄキー６６ｄを押すよう促す。ステップ４６４にて、ユーザは電話＃２の番号（この場合は‘２００３’）を入力し、Ｓｅｎｄキーを押す。
【００５０】
ステップ４６６は、電話＃１と電話＃２の間における次のメッセージトラフィックを示す。まず、電話＃１が「音声メッセージ記憶要求」コマンドを電話＃２へ送信する。次に、電話＃２が「音声メッセージ記憶要求」コマンドをボイスメール装置へ送信する。
【００５１】
ステップ４６６に続く第１選択肢では、ボイスメール装置が「通話接続完了」メッセージを電話＃１へ送信し、さらに、ステップ４６８ａにて、音声データ（「挨拶」）を電話＃１へ送信する。
【００５２】
ステップ４６６に続く第２選択肢では、ボイスメール装置が電話＃２に「通話完了」メッセージを送信し、次に、ステップ４６８ｂでは、「通話完了」メッセージを電話＃１へ送信する。さらにステップ４６８ｂにて、ボイスメール装置が音声データ（「挨拶」）を電話＃２へ直接送信し、その後、電話＃１へ音声データ挨拶を送信する。
【００５３】
ステップ４７０では、電話＃１において、ユーザがスピーカーから「挨拶」を聞く。ステップ４７２では、ユーザが音声メッセージを録音する。
【００５４】
ステップ４７２に続く第１選択肢では、電話＃１が、ユーザが録音した音声メッセージをステップ４７４ａにてボイスメール装置へ直接送信する。
【００５５】
ステップ４７２に続く第２選択肢では、電話＃１が電話＃２に音声メッセージを送信し、次に、ステップ４７４ｂにて、電話＃２がこのメッセージをボイスメール装置へ送信する。ステップ４７６ａにて、電話＃１が「通話切断」メッセージをボイスメール装置へ送信する。ステップ４７６ｂにて、電話＃１が「通話切断」コマンドを電話＃２へ送信し、次に、電話＃２がこの「通話切断」コマンドをボイスメール装置へ送信する。
【００５６】
ステップ４７８にて、メッセージが送信された旨がディスプレイ上に表示され、ステップ４８０にて、ボイスメール装置が「音声メッセージ使用可能」コマンドを電話＃２へ送信し、その結果、電話＃２のメッセージインジケータ６７が点灯する。
【００５７】
図２０は、本発明の一実施形態による、文字データメッセージを送信する工程を示すフローチャート５００である。この工程では、電話＃１のユーザが、電話＃２を鳴らさずに、電話＃２のユーザへのデータ（または文字）メッセージを残す。ステップ５０２にて、電話＃１のユーザはＭｅｓｓａｇｅキー６６ｅを押下する。ステップ５０４で、電話＃１のディスプレイ６２が「取得（＊）または送信（＃）」と促す。ステップ５０６にて、ユーザは（＃）キーを押し、メッセージを送信する旨の選択を行う。次に、ステップ５０８にて、ディスプレイが「音声（＊）またはデータ（＃）」と促す。ステップ５１０で、ユーザは（＃）キーを押して、データを選択する。ステップ５１２にて、ディスプレイがユーザに、データメッセージをタイプして、Ｓａｖｅキー６６ａを押すよう促す。ステップ５１４で、ユーザは、「２０２５のジョンに電話すること」というメッセージをタイプし、Ｓａｖｅキーを押す。ステップ５１６にて、ディスプレイ上に、タイプされたばかりのこのメッセージが表示され、続いて、メッセージを変更する場合にはＭｅｓｓａｇｅキー６６ｅ、送信する場合にはＳｅｎｄキー６６ｄを押す旨の指示が表示される。ステップ５１８で、ユーザがＳｅｎｄキーを押下する。次に、ステップ５２０で、ディスプレイがユーザに宛先電話番号の入力を促す。ステップ５２２で、ユーザが、電話＃２の電話番号（この場合は２００３）を入力し、Ｓｅｎｄキーを押す。
【００５８】
ステップ５２４にて、電話＃１が「データメッセージ記憶要求」コマンドを電話＃２へ送信し、次に、電話＃２が「データメッセージ記憶準備完了」コマンドを電話＃１へ返信する。ステップ５２６で、電話＃１がこのデータメッセージを電話＃２へ送信する。ステップ５２８で、電話＃２が「データメッセージ記憶承認」コマンドを電話＃１へ送信し、電話＃１が「終了」コマンドを電話＃２へ送信する。ステップ５３０において、電話＃１のディスプレイ上に、メッセージ送信が完了した旨が表示され、電話＃２のメッセージインジケータ６７が点灯する。
【００５９】
図２１は、本発明の一実施形態による、会議通話の最中にあるネットワーク電話間の通信工程を示すフローチャート５５０である。この例では、ネットワーク電話Ａ  ５５２が、ネットワーク電話Ｂ  ５５４、ネットワーク電話Ｃ  ５５６、ネットワーク電話Ｄ  ５５８間における会議通話を設定する。ネットワーク電話Ｂからの音声データトラフィックが、経路５６４を通って電話Ａへ送信され、会議通話に参加しているこれ以外の全ての電話からの音声データトラフィックが、経路５６６を通り、ネットワーク電話Ａを介して電話Ｂへルーティングされる。同様に、電話Ｃからの音声データトラフィックは、経路５６２を通って電話Ａへルーティングされ、会議通話に参加しているこれ以外の全ての電話からの音声データトラフィックは、経路５６０を通り、ネットワーク電話Ａを介して電話Ｃへルーティングされる。電話Ｄからの音声データトラフィックは経路５６８を通って電話Ａへルーティングされ、会議通話に参加しているこれ以外の全ての電話からの音声データトラフィックは、経路５７０を通り、ネットワーク電話Ａを介して電話Ｄへルーティングされる。
【００６０】
図２２Ａは、イーサネットデータ送信フレームの従来技術の構造を示す線図６００である。プロトコルおよびデータ構造はＩＥＥＥ８０２．３規格に準拠したものであり、また、イーサネットＬＡＮシステム上の一装置から他の装置へデジタル情報が送信される様子を表している。イーサネットシステムにおけるデータの送信は、事実上、基本的にシリアルであるため、データ送信フレームは、シーケンス形式にアレンジされた、宛先の装置識別およびアドレス、送信するデータに関する情報、フレームの開始および終了を識別するバッファ情報に関する情報を含む。
【００６１】
データフレームの開始は、同期に使用する１値と０値を交互に有する５６ビットのシーケンスを表す、７バイトのプリアンブル６０２で始まる。これらは、ネットワーク内のコンポーネントに、信号の存在を検出し、フレームデータが到着する前にこの信号を読み取る準備をするための時間を与える。プリアンブル６０２の後には、フレームの開始を表す８ビットのシーケンス‘１０１０１０１１’である、スタートフレーム区切り文字６０４と呼ばれる１バイトのセグメントが続いている。スタートフレーム区切り文字６０４の後には、宛先媒体アクセス制御（ＭＡＣ）アドレス６０６とソースＭＡＣアドレス６０８が続く。宛先ＭＡＣアドレスフィールド６０６は、フレームを受信するステーションを識別する。ソースＭＡＣアドレスは、フレームの送信元であるステーションを識別する。ＩＥＥＥ８０２．３規格が、これらのアドレスフィールドを長さ２バイトまたは６バイトで送信することを許可するが、最新のイーサネット実現では６バイトのアドレスを使用する。宛先アドレスは、単一ステーション用である「個々のアドレス」またはステーション群用である「マルチキャストアドレス」のいずれかを規定可能である。全て１ビットの宛先アドレスは、ＬＡＮ上の全てのステーションを参照し、「ブロードキャストアドレス」と呼ばれる。タイプ／長さフィールド６１０を使用して、ＭＡＣクライアントプロトコルの性質を表示するか、続くＭＡＣクライアントデータフィールド６１２におけるデータ長を表示する。このフィールド６１０の値が１５００以下の場合には、タイプ／長さフィールド６１０が、ＭＡＣクライアントデータフィールド６１２内のバイト数を表す。このフィールドの値が１５３６以上の場合には、タイプ／長さフィールド６１０は、ＭＡＣクライアントプロトコルの性質（プロトコルタイプ）を表す。ＭＡＣクライアントデータフィールド６１２は、ソースステーションから宛先ステーション（単数または複数）へ送信されるデータを含む。このフィールドの最大サイズは１５００バイトである。このフィールドのサイズが４６バイト未満である場合には、フレームを最大で最小長さのサイズにするために、後続の“Ｐａｄ”フィールド６１４を使用する必要がある。最小のイーサネットフレームのサイズは、宛先ＭＡＣアドレスフィールド６０６からフレーム検査シーケンスフィールド６１６までを数えると６４バイトである。フレーム検査シーケンスフィールド６１６は、エラー検査に使用する４バイトの周期冗長検査（ＣＲＣ）値を含む。ソースステーションがＭＡＣフレームをアセンブルする場合には、宛先ＭＡＣアドレス６０６からパッドフィールド６１４まで（つまり、プリアンブル６０２、開始フレーム区切り文字６０４、フレーム検査シーケンス６１６を除いた全てのフィールド）のフレーム内の全てのビット上でＣＲＣ計算を実行する。ソースステーションは、これらの値をこのフィールド内に記憶し、フレームの一部として送信する。宛先ステーションがこのフレームを受信すると、識別検査を実行する。計算した値がこのフィールド内の値と合致しない場合には、宛先ステーションは、送信中にエラーが生じたと推測し、このフレームを破棄する。
【００６２】
本発明はイーサネットＬＡＮシステム内における通信用の形式およびプロトコルを使用しているが、ＩＥＥＥ８０２．３規格によって確立された従来技術によれば、イーサネットＬＡＮ上でのネットワーク電話のオペレーションを可能にするために、新規の符号化構造が確立された。図６〜図１１、図１５〜図１７において先述しているように、ネットワーク電話がイーサネットＬＡＮシステムに接続している全ての既存の装置と互換でき、これらを中断することがないように、ＩＥＥＥ８０２．３プロトコルとの互換性は維持される。
【００６３】
ここで記載しているネットワーク電話システムは、２つの基本的なデータフレームコンフィギュレーションを、ネットワーク電話システムコンポーネント間における通信の基礎として利用する。タイプ１（および１Ａ）フレームは、主に、音声または文字データを送信するために使用される。タイプ２フレームは、主にコマンドの送信に使用される。図２２Ａに示すように、各フレームコンフィギュレーションの独特の特徴がフィールド６２０内にプログラムされている。
【００６４】
図２２Ｂは、本発明の一実施形態による、タイプ１のコマンド用の、図２２Ａのデータ送信フレームのセグメント６２０ａを示す線図である。タイプ１フレームは、主に、４６バイト以上のバイト数の音声または文字データ（ＭＡＣクライアントデータ６１２）を送信するために使用される。フィールド６２２はコマンド／状態ヘッダを含む。その詳細を表２に示す。フィールド６２４は、タイプ１フレーム用の、４４以上のバイト数を有するペイロードデータを含む。図２２Ｂのフィールド６２６内には、図２２Ａのフィールド６１２、６１４内に含まれたデータが含まれている。フィールド６２６内に含まれている情報（符号化）は、本発明のネットワーク電話の実施形態固有のものである。
【００６５】
表２は、タイプ１のコマンドデータフレーム内のコマンド状態ヘッダフィールド６２２の形式とビットコード情報を含む。コマンド／状態ヘッダは、バイト１、バイト２とラベル付けされた第１カラム、第２カラム内に示されている、２バイトの情報を含んでいる。バイト１コードは、第２ロウ〜第６ロウ内のエントリによって与えられる。表４に、バイト２コード（コマンドコード／状態コード）を示す。
【００６６】
【表２】
2005538646.tif 000004
【００６７】
図２２Ｃは、本発明ある実施形態による、タイプ１Ａコマンド用の、図２２Ａのデータ送信フレームのセグメント６２０ｂを示す線図である。タイプ１Ａフレームは、主に、４６バイト未満の音声または文字データ（ＭＡＣクライアントデータ６１２）を送信するために使用される。フィールド６２２は、タイプ１フレームの場合と同様に、コマンド／状態ヘッダを含む。フィールド６３６内で重要な制御およびペイロードデータをパッドと区別するために、このフレームに追加のフィールド６３２が加えられている。この詳細を表３に示す。フィールド６３４は、４３バイト未満のペイロードデータを含む。パッドフィールド６３６は、フィールド６３８の合計長さを４６バイトにするために、非関連情報のフィルバイトを含む。
【００６８】
【表３】
2005538646.tif 000005
【００６９】
表３は、図２２Ｃのタイプ１Ａコマンドデータフレーム中のコマンド／状態ヘッダフィールド６２２とバイトカウントフィールド６３２の形式とビットコード情報を含む。コマンド／状態ヘッダは、バイト１、バイト２とラベル付けされた第１、第２カラムに示す２バイトの情報を含む。バイト１コードは、第２ロウ〜第６ロウ内のエントリ内によって与えられる。バイト２コードを表４に示す。この表は、フィールド６３４内の値を表す値０〜４３のシングルバイトの情報の、フィールド６３２に含まれる情報である「バイトカウント」とラベル付けされた追加のカラムを含む。バイトカウントは、これがないと、装置が関連データとパッドビットの間の境界を区別することができなくなるために必要である。タイプ１フレームの場合には、パッドが不要であるためバイトカウントは必要なく、また、ＭＡＣクライアントフィールド内の全てのデータは関連性を有する。
【００７０】
図２２Ｄは、本発明の一実施形態による、タイプ２コマンドのための、図２２Ａのデータ送信フレームのセグメント６２０ｃを示す線図である。タイプ２コマンドは主に、信号を送信したり、データを制御および指示するのに使用される。図２２Ｄのフィールド６４５の構造は、グループ／タイプフィールド６４１が追加されている点を除いて、先行の図２２Ｃのフィールド６３８の構造と同一である。コマンド／状態ヘッダフィールド６２２は、表２、表３に記載のとおりである。表２中では、制御データフィールド６４３が４０バイト以上の場合、カウントビットは０と等しく、表３中では、制御データフィールドが４０バイト未満である場合、カウントビットは１と等しい。バイトカウントフィールド６３２は、上述したタイプ１Ａコマンドフレームにおけるものと同一の目的を果たす。制御データフィールド６４３が４０バイト以上の場合、バイトカウントフィールド６３２は００の値を含む。パッドフィールド６４４は、タイプ１Ａコマンドフィールドにおいて記述されたものと同一の目的を果たし、また、制御データフィールドの長さが４０バイト未満である場合にのみ、非関連のフィル情報を含む。
【００７１】
表４は、表２、表３のカラム２内に示したものと同様に、バイト２の１６進法形式におけるコマンド／状態コードを示す。「コード」が、図２２Ｂ、図２２Ｃ、図２２Ｄのフィールド６２２に入力された２バイト１６進数字の第２バイトである場合、表中のエントリはコード：記述形式に従う。以下、エントリをさらに説明する。
【００７２】
【表４】
2005538646.tif 000006
2005538646.tif 000007
タイプ１、１Ａ用：
【００７３】
００：音声データ。ネットワーク電話装置によって送受信される音声データ。ネットワーク電話装置データフィールドは、デジタルオーディオデータ（音声）を含む。
【００７４】
０１：文字データ。ネットワーク電話装置によって送受信される文字（ＡＳＣＩＩ）データ。ネットワーク電話装置データフィールドはＡＳＣＩＩデータを含む。
【００７５】
０２：ＤＴＭＦデータ。ネットワーク電話装置によって送受信されるデータ。ネットワーク電話装置データフィールドは、ＤＴＭＦデータまたはキーパッドデータを含む。ＤＴＭＦ値およびキーパッド値については表１を参照。
【００７６】
０３：ビデオデータ。ネットワーク電話装置によって送受信されるデータ。ネットワーク電話装置データフィールドはビデオデータを含む。デジタルカメラまたはカメラ記録装置等のＵＳＢネットワーク電話ビデオ入力装置によって使用される。
【００７７】
０４：Ｈｅｘデータ。ネットワーク電話装置によって送受信されるＨｅｘデータ。ネットワーク電話装置データフィールドはＨｅｘデータを含んでいる。
【００７８】
０５〜０Ｆ：予約済み
タイプ２用：
【００７９】
１０：呼び出しコマンド。ネットワーク電話ソース装置によって送信された呼び出し。制御データフィールドはその電話番号、名称を含む。
【００８０】
１１：呼び出し転送コマンド。カレント呼び出しを第三者へ転送するよう発信側装置に警告するために、ネットワーク電話ソース装置によって送信されたコマンド。制御データフィールドは、ＭＡＣアドレス、電話番号、第三者の名称を含む。
【００８１】
１２：呼び出しコールバック。宛先電話のユーザが電話を切り次第（オンフック）、ネットワーク電話ソース装置にコールバックするよう指示するために、ネットワーク電話宛先電話に送信される。
【００８２】
１３：呼び出し音状態。ネットワーク電話の着信側電話によって返信された呼び出し音状態。制御データフィールドはその電話番号、名称を含む。
【００８３】
１４：ビジー状態中の呼び出し。ネットワーク電話の着信側電話によって送信されたビジー状態中の呼び出し。制御データフィールドはその電話番号、名称を含む。
【００８４】
１５：電話オフフック。ネットワーク電話の着信側電話によってオフフックであると送信される。制御データフィールドはその電話番号と名称を含む。
【００８５】
１６：電話ビジー。ネットワーク電話着信側電話によって送信されたビジー状態。制御データフィールドはその電話番号、名称を含む。
【００８６】
１７：通話接続完了。着信側装置によって通話が接続した（オフフックになった）。これは、通話接続開始の信号となる。
【００８７】
１８：通話転送。現在の通話が第三者へ転送された。制御データフィールドは、ＭＡＣアドレス電話番号、第三者の名称を含む。
【００８８】
１９：予約済み
【００８９】
１Ａ：通話切断。現在の通話が切断された（オフフックからオンフックになった）。
【００９０】
１Ｂ：アテンション要求。着信側装置のアテンションを要求。着信側装置へのリンクまたは経路を開始するために使用される。
【００９１】
１Ｃ：アテンション承認。リンクまたは接続が確立した旨を発信側装置に通報する。
【００９２】
１Ｄ：コマンド終了。最新のコマンドが終了した旨を着信側装置に通報する。
【００９３】
１Ｅ：コマンド承認。最新のコマンドが承認された旨を着信側装置に通報する。
【００９４】
１Ｆ：予約済み
【００９５】
２０：電話番号トライアウト（同報通信）。ネットワーク電話ソース側電話によって、最初にＬＡＮネットワークにフックアップした際にデータフィールド内に電話番号を備えた全てのネットワーク電話装置へ送信される。ネットワーク電話ソース側電話は、ネットワーク内に同じ番号が存在しないことを確認するために「タイムアウト」期間待ち、その番号が使用可能であることを絶対的に確認するために、同報通信メッセージを再度送信する。「番号が既に存在する応答」を受信すると、応答している同じネットワーク電話電話からの「ディレクトリ送信」コマンドを待つ。
【００９６】
２１：電話番号同報通信。ネットワーク電話ソース側電話によって、ネットワーク内の残りのネットワーク電話装置に、番号と共に送信されるので、これらの電話は、この番号をルックアップテーブル（ＬＵＴ）に記憶し、後にＬＵＴから番号をダイアルすることができる。
【００９７】
２２：電話名称同報通信。他のネットワーク装置が名称ダイアリングについてそのＬＵＴを更新できるよう、ネットワーク電話の電話によって送信される。
【００９８】
２３：予約済み
【００９９】
２４：予約済み
【０１００】
２５：電話番号は既に存在する。その電話番号がネットワーク電話宛先電話の番号と合致する旨を示すために、ネットワーク電話ソース側電話によって送信される。
【０１０１】
２６：電話ディレクトリ要求。ユーザが自分の装置の電話ディレクトリを更新できるように、ネットワーク電話装置またはユーザによって、他のネットワーク電話装置へ送信される。新規番号を使用して自分の電話を手動で構築するユーザは、このコマンドを用いて自分の電話の電話ディレクトリを更新する。ネットワーク電話トランク回線カード／デジタルアテンダント、または類似の装置がこのコマンドを使用して、その電話ディレクトリを更新することが可能である。
【０１０２】
２７：同報通信電話ディレクトリ要求。そのディレクトリを更新するために、ネットワーク電話トランク回線カード／デジタルアテンダントによって、あるいはネットワーク電話によって、最初にその電話番号をかけようと試みるが、他の装置から何のディレクトリ送信コマンドも受信しない場合に送信される。制御データバイトが、「電話ディレクトリ同報通信」コマンドの応答時間について、ｔまたは時間カウント（各カウント＝１０ｍｓ；０〜１＝１０ｍｓ、２＝２０ｍｓ、３＝３０ｍｓ、・・・ｎ＝（３０×ｎ）ｍｓ。１００Ｍｂｉｔ／秒のイーサネットシステムでは、カウント＝最低２である。１０Ｍｂｉｔ／秒のイーサネットシステムでは、カウント＝最低２０）をミリ秒単位で決定する。（以下に示す、次のコマンドを参照）
【０１０３】
２８：電話ディレクトリ同報通信。制御データフィールドは以下の通りでなければならない：ｎ個の装置の、グループ／タイプ、ＭＡＣアドレス、電話番号、名称（ある場合）、グループ／タイプ、ＭＡＣアドレス、電話番号、名称（ある場合）。「電話ディレクトリ要求同報通信」コマンド（コマンド２７）に応答して、このコマンドがネットワーク電話ソース装置によって送信される。このコマンドは、ネットワークが氾濫するのを防ぐために単一の装置のみで実行される必要がある（すべての電話ディレクトリが同一であるため）。換言すれば、１つのみの装置がこのコマンドを実行し、他の装置は、ネットワークからこのコマンドを受信した際にこのコマンドを繰り返さない。次式（ｎ−１）×ｔが適用され、この場合、ｎは電話番号の順番数（最下から最高、または、Ｎ＝電話セット数である場合には、１〜Ｎ）であり、ｔは時間（ミリ秒）であり（例えば３０ミリ秒）、どの装置がこのコマンドを実行すべきかを決定し、［（ｎ−１）×ｔ］は、装置がこのコマンドを発行できるまでのタイムアウト期間を表す。１（ｎ＝１、数字１）と等しい順番装置番号を有する装置は、そのタイムアウト期間は０ｍｓであるため、このコマンドを即座に発行する。何らかの理由で、装置番号１が現れていない場合には、ｎ＝２、ｔ＝３０を有する装置が、このコマンドを発行するまでに３０ｍｓのタイムアウトを得る。高い順序数については、より長いタイムアウトが算出される。
【０１０４】
２９：電話ディレクトリ送信。このコマンドは、「電話ディレクトリ要求」コマンド（２６）に応答して送信される。制御データフィールドは以下の通りでなければならない。ｎ個の装置の、グループ／タイプ、ＭＡＣアドレス、電話番号、名称（ある場合）、グループ／タイプ、ＭＡＣアドレス、電話番号、名称（ある場合）。
【０１０５】
２Ａ：受信した電話ディレクトリ。この状態により、他の装置は、その電話ディレクトリが受信されたことを認識する。
【０１０６】
２Ｂ：予約済み
【０１０７】
２Ｃ：予約済み
【０１０８】
２Ｄ：電話設定インベントリ要求同報通信。同報通信コマンドは、ネットワーク内の全てのネットワーク電話装置（ＬＡＮ電話セット）の存在を要求するものである。このコマンドはオプションであり、また、既に使用中でない（取り外された）装置がある可能性があるため、全ての電話装置の存在をＬＵＴと一致させるためのみに使用される。制御データバイトは、電話ディレクトリ同報通信コマンドの応答に、ｔまたは時間（ｔは０よりも大きい、デフォルト最低３０ｍｓ）（ミリ秒）を決定する。（以下に示すコマンド２７＆２Ｅを参照）
【０１０９】
２Ｅ：装置タリー同報通信。このコマンドは、上述の電話設定インベントリ要求同報通信に応答するものである。各々の電話設定インベントリは、このコマンドを発行するまでに、［（ｎ−１）＊ｔ］タイムアウト期間が経過するのを待つ必要がある。この式により、各装置は、順番にこのコマンドを実行することができ、また、各々の装置がこのコマンドを実行する機会を有する。制御データフィールドは以下の通りでなければならない。グループ／タイプ、ＭＡＣアドレス、電話番号、名称（ある場合）。
【０１１０】
２Ｆ：装置グループ／タイプ要求。ネットワーク電話の装置グループ／タイプを要求するために使用される。
【０１１１】
３０：装置グループ／タイプ状態。この状態は、装置グループ／タイプ要求コマンドに応答するために使用される。
【０１１２】
３１：装置グループ／タイプコンフィギュア。ネットワーク宛先電話へ、そのグループ／タイプを構築するために送信される。ネットワーク宛先装置のグループ／タイプを構築するために、管理者によって使用される。
【０１１３】
３２：装置グループ／タイプ。同報通信コマンドは、メールボックス、ＰＳＴＮ回線カード、または類似の装置等の非ネットワーク電話装置のためのものであるため、全てのネットワーク電話装置が、自己のＬＵＴを増強するために、そのＭＡＣアドレスを使用できる。
【０１１４】
以下は、外部通話にアクセスするために、ユーザが最初に数字９（アクセスコード）をダイアルする必要がある（数字９の後に、電話番号をダイアルする）ＬＡＮ電話システム内における「装置タイプ」コマンドを同報通信するネットワーク電話トランク回線カードの一例である。
【０１１５】
０１３２  ００００１２  ０１  ０９
【０１１６】
０１３２←−−−−−−装置タイプコマンド（コマンドヘッダ）
【０１１７】
００００１２←−−−−−−トランクカード（グループタイプ）
【０１１８】
０１←−−−−−−１バイトが続く（バイトカウント）
【０１１９】
０９←−−−−−−数字９（トランク回線カードへのアクセスコード用）
【０１２０】
３３：予約済み
【０１２１】
３４：予約済み
【０１２２】
３５：データメッセージ記憶要求。データメッセージ記憶のための、ネットワーク電話宛先装置への要求。制御データフィールドが非ブランクである場合には、これは第３パートネットワーク電話装置用となる。制御フィールドは、ＭＡＣアドレス、必要に応じて、第三者データメッセージ記憶要求の電話番号を含む。
【０１２３】
３６：音声メッセージ記憶要求。音声メッセージ記憶のための、ネットワーク電話宛先装置への要求。制御データフィールドが非ブランクである場合には、これは第３パートネットワーク電話装置用になる。この制御フィールドは、ＭＡＣアドレス、必要に応じて、第三者の音声メッセージ記憶要求の電話番号を含む。
【０１２４】
３７：データメッセージ記憶承認。「音声メッセージ記憶」承認のためにネットワーク電話宛先装置へ送信される。
【０１２５】
３８：予約済み
【０１２６】
３９：データメッセージを取得。ネットワーク電話ソース側電話が、ネットワーク電話ボイスメール装置／電話からのデータメッセージを要求する。
【０１２７】
３Ａ：音声メッセージの取得。ネットワーク電話ソース側電話が、ネットワーク電話ボイスメール装置／電話から音声メッセージを要求する。
【０１２８】
３Ｂ：次のデータメッセージを取得。ネットワーク電話ソース側電話が、ネットワーク電話ボイスメール装置／電話から次のデータメッセージを要求する。
【０１２９】
３Ｃ：次の音声メッセージを取得。ネットワーク電話ソース側電話が、ネットワーク電話ボイスメール装置／電話から次の音声メッセージを要求する。
【０１３０】
３Ｄ：前のデータメッセージを取得。ネットワークソース側電話が、ネットワーク電話ボイスメール装置／電話から前のデータメッセージを要求する。
【０１３１】
３Ｅ：前の音声メッセージを取得。ネットワーク電話ソース側電話が、ネットワーク電話ボイスメール装置／電話から前の音声メッセージを要求する。
【０１３２】
３Ｆ：データメッセージＮを取得。ネットワーク電話ソース側電話が、ネットワーク電話ボイスメール装置／電話からデータメッセージ数（Ｎ−１〜ｎ）を要求する。
【０１３３】
４０：音声メッセージＮを取得。ネットワーク電話ソース側電話が、ネットワーク電話ボイスメール装置／電話から音声メッセージ数（Ｎ＝１〜ｎ）を要求する。
【０１３４】
４１：予約済み
【０１３５】
４２：予約済み
【０１３６】
４３：データメッセージ使用可能。ネットワーク電話ソース装置（つまり、ボイスメール）が、利用可能なデータメッセージがメールボックス内に在る旨を、ネットワーク電話宛先電話に通知する。
【０１３７】
４４：音声メッセージ使用可能。ネットワーク電話ソース装置（つまり、ボイスメール）が、利用可能な音声メッセージがメールボックス内に在る旨を、宛先電話に通知する。
【０１３８】
４５：最新のデータメッセージを削除。ネットワーク電話ソース装置が、ネットワーク電話宛先装置（ボイスメール／電話）に、メールボックス内の最新のデータメッセージを削除するよう要求する。
【０１３９】
４６：最新の音声メッセージを削除。ネットワーク電話ソース装置が、ネットワーク電話宛先装置（ボイスメール／電話）に、メールボックス内でその最新の音声メッセージを削除するよう要求する。
【０１４０】
４７：全てのデータメッセージを削除。ネットワーク電話ソース装置が、ネットワーク電話宛先装置（ボイスメール／電話）に、メールボックス内に在るデータメッセージをすべて削除するよう要求する。
【０１４１】
４８：全ての音声メッセージを削除。ネットワーク電話ソース装置が、ネットワーク電話宛先装置（ボイスメール／電話）に、メールボックス内に在る全ての音声メッセージを削除するよう要求する。
【０１４２】
４９：予約済み
【０１４３】
４Ａ：予約済み
【０１４４】
４Ｂ：データメッセージ削除完了。最新のデータメッセージが既に削除された旨をネットワーク電話着信側電話に通知するよう送信される。
【０１４５】
４Ｃ：音声メッセージ削除完了。最新の音声メッセージが既に削除された旨をネットワーク電話着信側電話に通知するよう送信される。
【０１４６】
４Ｄ：データメールボックス空。ネットワーク電話着信側電話に、データボックスが空である旨を通知するよう送信される。
【０１４７】
４Ｅ：ボイスメールボックス空。ネットワーク電話着信側電話に、音声ボックスが空である旨を通知するよう送信される。
【０１４８】
４Ｆ：データメールボックス空き無し。ネットワーク電話着信側電話に、データメールボックスに空きが無い旨を通知するよう送信される。
【０１４９】
５０：ボイスメールボックス空き無し。ネットワーク電話着信側電話に、ボイスメールボックスに空きが無い旨を通知するよう送信される。
【０１５０】
５１：データメッセージ準備完了。ネットワーク電話発信側電話に、データメッセージの受信の準備ができた旨を通知する。
【０１５１】
５２：予約済み
【０１５２】
５３：パスワード要求。ネットワーク電話宛先電話にそのパスワードを要求するよう送信される。
【０１５３】
５４：パスワードエントリ。ネットワーク電話宛先電話に、そのパスワードと共に送信される。
【０１５４】
５５：パスワード確認。ネットワーク電話宛先電話に、パスワードが確認された旨を通知する。
【０１５５】
５６：パスワード確認できず。ネットワーク電話宛先電話に、パスワードが確認できない旨を通知する。
【０１５６】
５７：予約済み
【０１５７】
５８：予約済み
【０１５８】
５９：遠隔通話ピックアップ。ユーザが通話をピックアップできるようにするために、ネットワーク電話ソース側電話によって、呼び出しネットワーク電話宛先電話へ送信される。制御データフィールドは、その電話番号を含む。
【０１５９】
５Ａ：プログラム通話転送。ネットワーク電話宛先電話へ送信されるため、ネットワーク電話宛先電話が、全ての通話を第三者側電話へ転送する。電話番号は、ネットワーク電話データフィールドの部分である。
【０１６０】
５Ｂ：ページング。ネットワーク電話宛先電話（最初は呼び出し音を鳴らさずに）へ、音声データ（オーディオ）メッセージを送信する。
【０１６１】
５Ｃ：予約済み
【０１６２】
５Ｄ：予約済み
【０１６３】
５Ｅ：予約済み
【０１６４】
５Ｆ：時間送信。ネットワーク電話宛先電話に時刻を送信する。
【０１６５】
６０：日付送信。ネットワーク電話宛先電話に年月日を送信する。
【０１６６】
６１：予約済み
【０１６７】
６２：通話ログを要求。ネットワーク電話宛先電話に、通話ログ情報を要求するよう送信される。
【０１６８】
６３：通話待機を取得。通話待機を取得するべく、ネットワーク電話宛先電話（通話がパーキングしている電話）へ送信される。このコマンドを受信すると、呼び出された装置は、通話を発信側へ転送し、アイドル状態（オンフック）になる。
【０１６９】
６４：装置ポーリング。各ネットワーク電話装置の有無、またこれに関連した状態を知るべく、各ネットワーク電話装置を数秒毎にポーリングするために、トランク回線カード／アテンダントによって使用される。このコマンドはオプションである。
【０１７０】
６５：ブリッジ特徴プログラム。ブリッジ特徴プログラミングのために、ネットワーク電話宛先電話へ送信される。ブリッジ特徴の期間は、制御データフィールド中の２バイトのカウントによって決定される。このカウントは毎分減少し、カウントが０に達するとこの特徴は消滅する。この特徴でプログラムされた装置により、他の通話者が会議ミーティングに参加するべく電話することが可能になる。電話をかけた通話者は、最新のパスワードを聞かれ、その１回のみこの装置への接続を許可される。ブリッジ特徴が消滅すると、その電話が通常のグループ／タイプ特徴へ戻る。
【０１７１】
６６：装置アクティビティを要求。ネットワーク電話宛先電話にそのアクティビティ情報を要求するよう送信される。これは、管理および経理目的で使用される。
【０１７２】
６７：装置アクティビティを報告。通話期間、通話時間、宛先番号等のアクティビティ情報がネットワーク電話宛先装置へ送信される。
【０１７３】
６８：装置アカウントオープン。ネットワーク電話宛先装置に、課金および経理目的でアカウントを割り当てる。
【０１７４】
６９：装置アカウントクローズ。ネットワーク電話宛先装置へのアカウントを閉鎖する。
【０１７５】
６Ａ〜ＤＦ：予約済み
【０１７６】
Ｅ０：ファームウェアバージョンを取得。ネットワーク電話宛先装置からそのファームウェアバージョン番号を取得する。
【０１７７】
Ｅ１：ハードウェアバージョンを取得。ネットワーク電話宛先装置からそのハードウェアバージョン番号を取得する。
【０１７８】
Ｅ２：予約済み
【０１７９】
Ｅ３：予約済み
【０１８０】
Ｅ４：ファームウェアバージョン／改訂版番号。最新のファームウェアのバージョン／改訂版番号。
【０１８１】
Ｅ５：ハードウェアバージョン／改訂版番号。ハードウェアのバージョン／改訂版番号。
【０１８２】
Ｅ６：予約済み
【０１８３】
Ｅ７：予約済み
【０１８４】
Ｅ８：予約済み
【０１８５】
Ｅ９：データループを返信。ループバックデータをネットワーク電話宛先装置へ送信する。イーサネット制御データフィールドはこのループバックデータを含む。主に、デバッキング目的で使用される。
【０１８６】
ＥＡ：エコーデータループバック。ネットワーク電話宛先装置へエコーループバックデータするために使用される。イーサネット制御データフィールドは、ループバックデータを含む。主に、デバッキング目的で使用される。
【０１８７】
ＥＢ：コマンドエラー状態。ネットワーク電話宛先装置に、そのコマンドエラー状態を通知するために使用される。
【０１８８】
ＥＣ：コマンドは存在しない。ネットワーク電話宛先装置に、そのコマンドが存在しない旨を通知するために使用される。
【０１８９】
ＥＤ：要求。ネットワーク電話宛先装置へ要求を送信するために使用される。主にデバッギング目的で使用される。
【０１９０】
ＥＥ：承認。要求コマンドを承認するために使用される。主にデバッギング目的で使用される。
【０１９１】
ＥＦ：予約済み
【０１９２】
Ｆ０：ファームウェア更新ダウンロード同報通信。全てのネットワーク電話装置に、更新されたファームウェアプログラムを同報通信する。
【０１９３】
Ｆ１：ファームウェア更新ダウンロード要求。更新されたファームウェアプログラムのために、ネットワーク電話宛先装置に送信される。
【０１９４】
Ｆ２：ファームウェア更新ダウンロード。更新されたファームウェアプログラムのために、ネットワーク電話宛先装置へ送信される。
【０１９５】
Ｆ３：ファームウェアダウンロード承認。ファームウェアプログラムを受信した旨を知らせるよう、ネットワーク電話宛先装置へ送信される。
【０１９６】
Ｆ４：キーマップダウンロード要求。更新されたキーマップを要求するために、ネットワーク電話宛先装置へ送信される。
【０１９７】
Ｆ５：キーマップダウンロード。更新されたキーマップのために、ネットワーク電話宛先装置へ送信される。
【０１９８】
Ｆ６〜ＦＦ：予約済み
【０１９９】
表５は、本発明の様々な実施形態のためのグループ／タイプ情報（図２２Ｄのフィールド６４１）を示す。グループ／タイプ情報は、３バイトの情報で構成されており、バイナリで合計２４ビットである。この３バイトはバイナリ形式で、ｅｅｅｅ：ｄｄｄｄ：ｃｃｃｃ：ｂｂｂｂ：ａａａａ：ａａａａと表すことができる。コードセグメントａａａａ：ａａａａはタイプコードを表し、表５の第３カラムに示されている。コードセグメントｂｂｂｂは優先順位コードを表す。コードセグメントｃｃｃｃはグループコードを表し、表５のカラム２に、優先順位コードと共に示されている。コードセグメントｄｄｄｄはページングコードを表し、表５の第１カラムに示されている。
【０２００】
【表５】
2005538646.tif 000008
2005538646.tif 000009
【０２０１】
以下、表５中の入力を説明する。
タイプ：
【０２０２】
ＢＯ：許可されたネットワーク電話通話は、会社建物内のみで実施される。例えば、受付ロビーエリアに設置された電話。
【０２０３】
ＬＣ：例えば２人以上の人物が使用し、長距離電話が許可されていない研究所等のエリア内に設置された電話のみへの市内通話。
【０２０４】
ＤＣ：例えば、ユーザが非常に頻繁に長距離電話をかける必要のある個々の電話に、長距離通話が許可されている。
【０２０５】
ＩＣ：国際電話サービスを必要とする、例えばマーケティング部の社員が有する電話に、国際通話が許可されている。
【０２０６】
ＭＣ：マイクロフォンタイプまたは電話は聞き取り専用。倫理および法律的理由で実現されるべきではない。
【０２０７】
ＳＰ：カフェテリア、研究所、倉庫等のエリアで、スピーカフォンをページング専用に使用する。発信者はその番号をダイアルし、接続し次第、話し始めることができる。他のページングメッセージ中である場合には、後でこのサービスを使用するよう、ビジートーンによる警告がユーザに提供される。
【０２０８】
ＦＭ：標準のファックス機。
【０２０９】
ＶＭ：ボイスメール装置。これは、音声＆データメッセージを記憶および取得するＰＣであってよい。そのソフトウェアアプリケーションにより、取得＆送信ドライバ
が実現される。
【０２１０】
ＴＣ：トランク回線カード／デジタルアテンダント。ハードウェア装置はＰＣまたはスタンドアロン型ＰＣ内に常駐可能である。これにより、ネットワーク電話装置がＰＳＴＮと通信できる。
【０２１１】
ＶＣ：ＶＰＮ回線カード。ハードウェア装置はＰＣまたはスタンドアロン型ＰＣ内に常駐可能である。これにより、ネットワーク電話装置がデータネットワークと通信できる。
【０２１２】
ＵＳＢ：ユニバーサルシリアルインターフェース。
優先順位：
【０２１３】
ＮＰ：優先順位なし。
【０２１４】
Ｐｎ：任意の外部着信通話が、アテンダント（延長オプション付き）によって、最初に、最高の優先順位を有する電話へ送信される。ビジー状態である場合のみに、次の電話にルーティングされる。Ｐ０の優先順位が最下であり、Ｐ３が最高である。この特徴は、中央オフィス（電話会社）によって割り当てられた電話番号数が、電話設定の数よりも少ない場合のみに適用される。
グループ：
【０２１５】
ＤＬ：直通回線であり、着信通話が、番号が合致した電話に回されることを表す。
【０２１６】
Ｇ１、Ｇ２、Ｇ３、Ｇ４：グループ回線であり、着信通話が、グループ内の第１の使用可能電話へ回されることを意味する（グループ内で１つの共通の電話番号を使用しているため）。グループ内の全ての電話が使用されている場合にのみ、ビジートーンが発せられる。１ビットよりも大きなビット数が設定されている場合には、グループが重複しても構わない。グループ重複機能を備えている電話は、その電話回線グループ内の１つが完全にビジー状態になるまで呼び出し音は鳴らない。グループ機能を備えた電話も直通回線通話をサポートできる。直通回線機能を備えた電話はグループのサポートは行えない。グループ回線電話の例には、販売、カスタマーサポート、倉庫等の１つの共通電話番号（グループ）しか必要としない場所での使用が挙げられる。
ページング：
【０２１７】
Ｐｇ１、Ｐｇ２、Ｐｇ３、Ｐｇ４：ページングは、スピーカフォン（単数または複数）にのみ適用される。ページングが実行されると、同一のグループページングビットがオン状態にある全てのスピーカフォンに、同一のページングコマンドが送信される。
【０２１８】
図２３は、本発明の一実施形態による、ネットワークに追加された電話のコンフィギュレーション工程を示すフローチャート７００である。ステップ７０２にて、新規の電話がネットワークに接続され、ステップ７０４にて、電話番号２０００を自己割り当てする。ステップ７０６にて、この電話がネットワーク上で、「電話番号トライアウト」コマンドを初期番号‘２０００’と共にネットワーク上で同報通信する。ステップ７０８において、この新規に接続した電話はネットワークからの応答を待つ。ステップ７０８で判定されるように、ネットワーク応答タイムアウトがある場合には（つまり、タイムアウト期間内に応答がない場合には）、ステップ７３６にて、「電話番号同報通信」コマンドをネットワーク上で同報通信し、その後、ステップ７３８にて、新規に接続した電話が「電話ディレクトリ要求同報通信」コマンドを送信して、応答を待つ。ネットワーク応答タイムアウトが生じた場合には、ネットワーク内で新規に接続した電話はその１台のみである。ステップ７４０で、ネットワーク応答タイムアウト内に受信した応答は、ステップ７４２にて、電話＃１から送信されたすべての既存の電話の電話ディレクトリを含む。ステップ７４４にて、この新規に接続した電話が、「電話ディレクトリ受信」コマンドを送信することにより、ディレクトリを含んだメッセージを承認し、さらに、ステップ７４６にて、電話＃１から「終了」コマンドを受信すると工程が完了する。あるいは、ステップ７４２にて、電話＃１が再度「ディレクトリ同報通信」コマンドを送信する。ステップ７２６にて、全てのネットワーク電話装置がそのＬＵＴを更新する。
【０２１９】
ステップ７１０で判定されるように、このタイムアウト期間中に応答がある場合には、ネットワークに接続している電話は、この新規に接続した電話だけではないということになる。他に少なくとも１台の電話がネットワークに接続しており、その内の１台が、ネットワークに最初に接続された電話である。「電話番号トライアウト」コマンドと共に同報通信される番号、つまり２０００が、最初にネットワークに接続した電話によって採用される番号であるため、電話＃１で示すその電話は「電話番号トライアウト」コマンドに対して、「電話番号は既に存在する番号である」メッセージで応答する。次に、ステップ７１２にて、電話＃１は、ネットワーク上に存在する全ての既存電話の番号のディレクトリを含んだ「ディレクトリ送信コマンド」を送信し、ステップ７１４にて、新規に接続した電話が、「ディレクトリ受信」コマンドで応答する。ステップ７１６にて、電話＃１が「終了」コマンドを送信すると、新規の電話が完全なディレクトリを受信する。あるいは、ステップ７１２にて、電話＃１が再度「ディレクトリ送信コマンド」を送信する。
【０２２０】
次に、ステップ７１８にて、新規に接続した電話は、ディレクトリ内の次に使用可能な（未割り当ての）番号を採用し、別の電話と重複しないかどうかを判定するために、この採用した番号を「電話番号トライアウト」コマンドと共にネットワーク上で同報通信する。ステップ７２０で判定されるように、重複する番号がない場合には、新規に接続した電話が、ステップ７２２にて、採用した番号を含んだ「電話番号送信」コマンドをネットワークに同報通信する。その後、ステップ７２６にて、ネットワーク上の各電話装置が、自己のルックアップテーブル（ＬＵＴ）を新規の番号に更新する。ステップ７２０で判定されるように、採用した番号が重複する場合には、調査すべきネットワークエラーが生じたということであり、工程を終了する。
【０２２１】
図２４は、本発明の一実施形態による、ネットワークに追加されたボイスメール装置を構築する工程を示すフローチャート７５０である。この工程は、新規電話の追加について上述したものと類似する。この工程では、電話＃１が事前に設置され、動作状態でなければならない。ステップ７５２にて開始し、ボイスメール装置がネットワーク内でオンライン状態にされる。ステップ７５４にて、ボイスメール装置が「装置タイプ」コマンドを同報通信し、次にステップ７５６にて「電話ディレクトリ要求」コマンドを同報通信し、ステップ７５７、７５９にて応答を待つ。これに応じて、ステップ７５８にて、電話＃１が番号の電話ディレクトリを同報通信する。ステップ７６０にて、ボイスメール装置が電話ディレクトリの受信を認め、ステップ７６２にて、全てのネットワーク装置が、そのボイスメール装置情報を追加するために、自己のＬＵＴを更新する。
【０２２２】
図２５は、本発明の一実施形態による、ネットワークに追加されたトランク回線カード／デジタルアテンダントを構築する工程を示すフローチャート８００である。電話＃１が設置され、動作状態になければならない。ステップ８０２にて、トランク回線カード／デジタルアテンダントがネットワーク内にオンライン配置され、ステップ８０４にて、アテンダントが「装置タイプ」コマンドを同報通信し、その後、ステップ８０６にて、「電話ディレクトリ要求」コマンドを同報通信する。ステップ８０８にて、この「電話ディレクトリ要求」コマンドに応答して、電話＃１が電話番号のディレクトリを同報通信する。ステップ８１０にて、トランク回線カード／デジタルアテンダントがこの電話番号ディレクトリの受信を認め、ステップ８１２にて、全てのネットワーク装置が、このトランク回線カード／デジタルアテンダント情報を追加するために自己のＬＵＴを更新する。ステップ８１４にて、トランク回線カード／デジタルアテンダントが、全ての電話の通話状態を確立するために、周期的にネットワークをポーリングする。
【０２２３】
図２６は、本発明の一実施形態による、２台のネットワーク電話間の通話中に発生する工程を示すフローチャート８５０である。この通話は、ステップ８５２にて、電話１が電話２に「呼び出し音コマンド」を送信した時点で開始される。これに応答して、ステップ８５４で、電話２が「呼び出し状態」メッセージを電話１に送信する。この呼び出しに応じた後、ステップ８５６で、電話２は「通話接続完了状態」メッセージを電話１に送信し、ステップ８５８、ステップ８６０で、電話１、電話２が音声データを交換する（会話する）。会話継続中に、ステップ８５８、ステップ８６０が繰り返される。ステップ８６２で判定されるように会話が終了すると、ステップ８６４にて、電話１が電話２に「通話切断」コマンドを送信する。さらに、電話２が、同様の方法で電話２に「会話切断」コマンドを送信して会話を終了することも可能である。
【０２２４】
図２７は、本発明の一実施形態による、ネットワーク電話からの外部電話通信を完了する工程を示すフローチャート９００である。この工程では、ユーザ（電話１）が、ネットワーク電話から外部通話を行う。この工程は、ステップ９０２にて、外部回線アクセスを提供するために、電話１が、“９”またはプログラムされた他の文字をダイアルすることで「リンク要求（表４のコード１Ｂ）」を送信する。ステップ９０４にて、トランク回線カードが電話１に「リンク要求承認」を送信することでこの要求を承認する。次に、ステップ９０６にて、電話１がトランク回線カード／デジタルアテンダントに対して、ＤＴＭＦ（デュアルトーンマルチ周波数）メッセージを送信し、トランク回線カード／デジタルアテンダントが、ＰＳＴＮ内の外部電話番号と接続するためにこのメッセージを使用する（図１１、項目２０８を参照）。ステップ９０８にて、トランク回線カード／デジタルアテンダントが電話１に、中央オフィスから発せられた呼び出しトーンを送信する。この通話は、受信側が「オフフック」になることで完了し、ステップ９１０にて、トランク回線カードが「通話接続完了」状態を電話１に送信する。ステップ９１２、９１４において、トランク回線カードを介した、電話１と外部通話者の間の電話会話が発生する。ステップ９１６で判定されるように会話が終了すると、ステップ９１８にて、電話１が、トランク回線カード／デジタルアシスタント（外部通話者）へ「通話切断」メッセージを送信するか、あるいは、外部通話者側が通話を終了した場合にはこの反対を行う。
【０２２５】
図２８Ａは、本発明の一実施形態による、相互間で通信を行うネットワーク電話装置（ネットワーク電話、ネット電話、電話装置、または単純に電話や装置ともいう）を含む、例示的なネットワーク電話システム２８０２、２８２０、２８３８、２８４８のシステムブロック線図である。
【０２２６】
ネットワーク電話システム２８０２は、様々なネットワーク電話装置を示すが、これらは例えば、ファックスおよびビデオアクセサリ２８０７を装備したネットワーク電話、データネットワーク装置２８０８、ネットワーク電話１０、ボイスメールＰＣ２８０９、ＬＡＮ接続２８１２と接続するためのデジタルアテンダント２１０およびトランク回線カード２２０、および、同所に存在するこれ以外のネットワーク関連装置、例えばＰＣ２８０３、２８０４、ファイルサーバ２８０５、ネットワークプリンタ２８０６、ルータ／スイッチ２８１０＆２８１１が挙げられる。ネットワーク２８０２内の装置間の通信はＬＡＮ接続２８１２を介して実施される（簡素化の目的で、ネットワークハブ＆スイッチは図示せず）。ＬＡＮ接続２８１２は、有線、無線、または有線と無線両方の組み合わせのものあってよい。さらにシステム２８０２は、一般電話網（ＰＳＴＮ）２８４４、仮想プライベートネットワーク（ＶＰＮ）２８１８、ＩＰ２８１９ネットワークとのリンクによる外界への接続を備えていることも示している。ＶＰＮネットワーク２８１８は、ユーザがデータネットワーク装置２８０８を介して、より低い料金で長距離電話をかけることができる、専用のリース回線、フレームリレー／ＡＴＭリンク、プライベートＩＰ、あるいは、ＩＳＤＮ（統合型デジタルサービスネットワーク）およびｘＤＳＬ（デジタル加入者回線）等のＰＯＴＳ（従来の一般電話システム）サービスであってよい。次に、データネットワーク装置２８０８がルータ／スイッチ２８１１と接続する。外部通話では、システム２８０２のユーザは、さらに、トランク回線カード装置２２０を使用して、接続リンク２８１７を介し、ＰＳＴＮ２８４４ネットワークへ接続することもできる。また、トランク回線カード装置２２０は、任意で、ＬＡＮ接続２８１２を介し、またはワールドワイドウェブＩＰネットワーク２８１９と接続するための別個の接続２８１５を介して、ＩＰ上で通話をルータ／スイッチ２８１０ルーティングできる。さらに、ＬＡＮ２８１２と接続するルータ／スイッチ２８１０が、ＰＣ２８０３、２８０４からＩＰネットワーク２８１９へ、またはこの逆へ、データをルーティングする。
【０２２７】
同様に、ネットワーク電話システム２８２０内にも類似の電話装置、例えば、データネットワーク装置２８２２、デジタルアテンダント２８２３、ファックスおよびビデオを装備したネットワーク電話２８２４、ネットワーク電話２８２５、２８２９、ボイスメール装置２８２７、トランク回線カード装置２８２８が設けられている。ネットワーク２８２０内の装置間の通信は、有線、無線、または有線と無線両方の組み合わせであってよいＬＡＮ接続２８３１を介して行われる。トランク回線カード装置２８２８により、ネットワーク２８２０内のネットワーク電話装置がＰＳＴＮ２８４４へ電話をかけたり、ルータ／スイッチ２８２６を介してＩＰ通話をルーティングすることが可能である。ＬＡＮ２８３１と接続するルータ／スイッチ２８２６は、さらに、ＰＣ２８３０からＩＰネットワーク２８１９へ、およびその逆への、データのルーティングも行う。データネットワーク装置２８２２により、ネットワーク２８２０内のネットワーク電話装置は、ルータ／スイッチ２８２１によりＶＰＮ２８１８を介して電話をかけることができる。
【０２２８】
システム２８３８、２８４８はアナログ接続２８４３、２８５５を各々装備している。この接続はダイアルアップモデム（図３３）、ｘＤＳＬ（図３４）、同軸ケーブル（図３５）、またはＩＳＤＮ（図３６）であってよい。
【０２２９】
電話回線装置＆ダイアルアテンダント２８４１は、ネットワーク電話２８３９、２８４０へのＰＳＴＮ２８４４接続を提供する。ＤＳＬ電話回線装置＆ダイアルアテンダント２８５３は、ネットワーク電話２８５１、２８５２へのＰＳＴＮ２８４４接続を提供する。さらに、ＰＣ２８４９、２８５０へのＤＳＬデータ接続の提供も行う。
【０２３０】
ＰＯＴＳ（従来の一般電話システム）電話２８４５はＰＳＴＮ２８４４とも接続しているため、ネットワーク電話システム２８０２、２０２０、２８３８、２８４８のネットワーク電話装置と通信することも可能である。
【０２３１】
図２８Ｂは、本発明の一実施形態による、相互間で通信し、様々な外部回線接続とインターフェースするネットワーク電話装置を装備した例示的なネットワーク電話システム２８６０、２８７０、２８８０、２８９０のシステムブロック線図である。
【０２３２】
ネットワーク電話システム２８６０は、同軸ケーブル接続２８６７を介して、ＴＶケーブルネットワーク２８６８に外部接続している。システム２８６０はさらに、複数のネットワーク電話２８６３、２８６４を備える。ケーブルＴＶ装置／同軸ケーブル装置＆デジタルアテンダント２８６５により、接続２８６７を介したネットワーク電話２８６３と２８６４の間、ＴＶケーブルネットワーク２８６８への外部音声接続が可能になり、さらに、ＴＶケーブルネットワークによるＰＣ２８６１と２８６２の間データ通信が容易になる。様々なネットワーク電話とＰＣの間の内部通信は、有線、無線、あるいは有線と無線両方の組み合わせであってよいＬＡＮ接続２８６６を介して行われる。
【０２３３】
ネットワーク電話システム２８７０は、設備への外部接続がＩＳＤＮ接続２８７７を介して行われ、また、ネットワーク電話２８７２、２８７３、２８７４を含む。ＩＳＤＮ回線装置＆デジタルアテンダント２８７５により、接続２８７７を介した、ネットワーク電話２８７２、２８７３、２８７４とＩＳＤＮネットワーク２８７８の間の外部音声通信が可能になり、さらに、ＰＣ２８７１とＩＳＤＮネットワークの間のデータ通信が容易になる。様々なネットワーク電話とＰＣの間の内部接続は、有線、無線、および有線と無線両方の組み合わせであってよいＬＡＮ接続２８７６を介して行われる。
【０２３４】
ネットワーク電話システム２８８０は、設備との外部接続がイーサネット接続２８８７を介して行われ、ネットワーク電話２８８３、２８８４を含む。イーサネット回線装置＆デジタルアテンダント２８８５により、接続２８８７を介したネットワーク電話２８８３と２８８４の間、イーサネットネットワーク２８８８への外部音声通信が可能になり、さらに、イーサネットネットワーク２８８８によるＰＣ２８８１と２８８２間のデータ通信が容易になる。様々なネットワーク電話とＰＣの間の内部通信は、有線、無線、または有線と無線両方の組み合わせであってよいＬＡＮ接続２８８６を介して行われる。
【０２３５】
ネットワーク電話システム２８９０は、ＰＢＸ２８９６と接続しており、電話サブグループ２８９６として機能し、ネットワーク電話２８９１、２８９２を備える。ＰＢＤ回線装置＆デジタルアテンダント２８９３により、接続２８９５を介した、ネットワーク電話２８９１と２８９２の間、ＰＢＸ２８９６への音声通信が可能になる。様々なネットワーク電話と任意のＰＣ間の内部通信は、有線、無線、または有線と無線両方の組み合わせであってよいＬＡＮ接続２８９４を介して行われる。
【０２３６】
図２８Ａ、図２８Ｂの例示的なネットワーク電話システムは、適切なインターフェース装置２８０８、２２０、２８２２、２８２８、２８４１、２８５３、２８６５、２８７５、２８８５、２８９３を介した、様々な通信インフラストラクチャ環境（ＶＰＮ、ＴＣＰ／ＩＰ、ＰＳＴＮ、ｘＤＳＬ、ケーブル、ＩＳＤＮ、イーサネット回線、ＰＢＸ）における動作を示す。
【０２３７】
図２９は、本発明の一実施形態による、ファックスおよびビデオアクセサリ装置を備えたネットワーク電話システム２８０７を示す。ネットワーク電話装置２９０２は、ファックス２９０４、ビデオ入力２９０６（カメラ）、ビデオ出力部２９０８（ビデオ画面）に接続した状態で示されている。この例では、接続２９１２ａ、２９１２ｂ、２９１２ｃはＵＳＢである。接続２９１０はイーサネットであり、有線または無線であってよい。この構成によって、オーディオ（音声）とビデオ（画像）が通信に単一接続２９１０を使用する場合に、ビデオ電話会議の実施が可能になる。
【０２３８】
図３０は、本発明の一実施形態による、ネットワーク電話装置のキーパッドおよびディスプレイ３００２の例示的なレイアウト３０００を示す（これの古いバージョンは図４Ａである）。キーパッドは、キーはキー３００６、３００８を含む。キー３００６はプログラム可能な機能キーである。キー３００３ａ〜３００３ｆはタッチスクリーンＬＣＤディスプレイであり、さらなる機能へと変更または誘導を行い、また、押下されるとディスプレイ３００２上に異なるメニュー画面を表示する。表６は、表１の別バージョンであり、さらに、スケジュールキー、コンフィグキー、ディレクトリキー、イエローページキーが追加されている。
【０２３９】
【表６】
2005538646.tif 000010
【０２４０】
ディレクトリキー３００６ｍは、ローカルに、つまりネットワーク内に記憶した電話番号を取得するために使用され、一方、イエローページキー３００６ｎは、図３３〜図３７に示すような外部インターネット接続を介して、オンライン電話ディレクトリ（単数または複数）から電話番号を取得するために使用される。ユーザは、キーパッド３００６、３００８、またはオプションで取り付けられたキーボードを使用して、名称、ビジネスタイプおよび／または場所を検索し、その結果をディスプレイ３００２を介して見ることができる。任意のさらに大型のディスプレイ画面では、フルページ表示、矢印キー、スクロール制御が提供される。
【０２４１】
図３１Ａは、本発明の一実施形態による、トランク回線カード装置とデジタルアテンダントが２つの別個の装置からなる場合の、例示的なネットワーク電話システム３１００を示す。トランク回線カード装置２２０は、Ｔ１／Ｅ１接続２８１７を介して外部と接続している。デジタルアテンダント２１０は、着信した発信者が、複雑な通話メニューをオーディオ音声によって案内される自動式か、または、通話が着信すると人間のオペレータが応答するタイプのいずれかであってよい。トランク回線カード装置２２０とデジタルアテンダント２１０は、スタンドアロン装置であるか、または他の設備内に組み入れることができる。図３１Ａ中のシステム３１００が８０台の電話セットを備え、電話会社によって８１個の電話番号が割り当てられていると仮定する。電話番号は５５５−２０００〜５５５−２０８０であり、このうち主要番号５５５−２０００がデジタルアテンダント２１０に割り当てられている。次の番号５５５−２００１は電話＃１  ３１０２と、次の番号５５５−２００２は電話＃２  ３１０４と、次の番号５５５−２００３は電話＃３  ３１０６と、次の番号５５５−２００４は電話＃４  ３１０８と関連し、最後の番号５５５−２０８０は電話＃８０  ３１１０と関連している。外部発信者がシステム３１００への番号５５５−２００１をダイアルすると、トランク回線カード２２０によって、通話が開始され、経路３１１２を介して電話＃１に接続される。発信者が５５５−２００２をダイアルすると、その人物はトランク回線カード２２０によって、経路３１１４を介して電話＃２に接続される。発信者が５５５−２００３をダイアルすると、その人物は、トランク回線カード２２０によって、経路３１１６を介して電話＃３に接続される。発信者が５５５−２００４をダイアルすると、その人物は、トランク回線カード２２０により、経路３１１８を介して電話＃４に接続される。発信者が５５５−２０８０をダイアルすると、その人物は、トランク回線カード２２０により、経路３１２０を介して電話＃８０に接続される。
【０２４２】
発信者が主要番号５５５−２０００をダイアルすると、トランク回線カード装置２２０がその発信者を、経路３１２２を介してデジタルアテンダント２１０と接続する。発信者がデジタルアテンダント２１０に接続されると、目的の電話、つまり電話＃１の場合は電話内線“２００１”、電話＃２の場合は内線“２００２”、等に到達するために、その人物は、（自動アテンダントにより）内線番号をダイアルするよう指示されるか、または人間のオペレータによって内線番号について質問され、その後、デジタルアテンダント２１０が内線番号の最後の数字を受信すると、正確な電話に転送される。デジタルアテンダント２１０と電話＃１〜＃８０の間の内部通信は、有線、無線、または有線と無線両方の組み合わせであってよいＬＡＮ接続３１２４を介して実行される。
【０２４３】
図３１Ａ、図２２Ａを参照すると、内部通信には、トランク回線カード装置２２０またはデジタルアテンダント２１０の介在は不要である。内部接続では、各電話装置が、電話番号、名称＆ＭＡＣアドレス、装置タイプ、アクセスコードを含み、ユーザが宛先電話の電話番号（または名称）をダイアルすると、ソース電話によって各装置の電話番号をＭＡＣに変換するためのルックアップテーブル（ＬＵＴ）を内蔵している。変換されたＭＡＣアドレスは宛先ＭＡＣアドレスフィールド６０６に入れられ、さらに、制御または音声データはパケットデータフィールド６２０に入れられ、イーサネットパケットフィールド６００全体が宛先電話へ送信される。
【０２４４】
外線ＰＳＴＮ２８４４発信電話の場合には、発信者がアクセスコード“９”（または、トランク回線カード装置によってプログラムされた任意のアクセスコード）をダイアルすると、全ての発信通話はトランク回線カード装置を通過するため、電話がこのアクセスコードをトランク回線カード装置２２０（図２８Ａを参照）のＭＡＣアドレスに変換する。次に、トランク回線カード装置２２０が受信したパケット内に含まれているものを、外部電話ネットワーク（ＰＳＴＮ）が理解できる適切な形式に復号化する。外部ＰＳＴＮ着信通話の場合、トランク回線カード装置がその電話番号を、関連する電話のＬＵＴを使用して、この電話のＭＡＣアドレスに変換し、呼び出し電圧レベルを呼び出しコマンドパケットに、オーディオ電圧をオーディオデータパケットに変換し、これらを目的の宛先電話へ送信する。
【０２４５】
さらに図２８Ａを参照すると、外部ＶＰＮ２８１８発信通話の場合、発信者が別のアクセスコード、例えば“８”（または、“９”と区別するためにプログラムされた任意のアクセスコード）をダイアルすると、全てのＶＰＮ発信電話はデータネットワーク装置を通過するため、電話がこれをデータネットワーク装置２８０８のＭＡＣアドレスに変換する。すると、データネットワーク装置２８０８が受信したパケット内に在るものを、ＶＰＮネットワークが理解できる適切な形式に復号化する。外部ＶＰＮ着信通話の場合、データネットワーク装置が、電話番号を、関連する電話のＬＵＴを使用して、この電話のＭＡＣアドレスに変換し、呼び出し電圧レベル（または、ＡＴＭ、ＴＣＰ／ＩＰ、あるいは任意のインターフェース形式からの呼び出しコマンド）を、呼び出しコマンドパケット、オーディオ電圧（または、ＡＴＭ、ＴＣＰ／ＩＰ、あるいは任意のインターフェース形式からのオーディオデータ）をオーディオデータパケットに変換し、これらを目的の宛先電話へ送信する。
【０２４６】
表７は、ネットワーク電話のＬＵＴ（ルックアップテーブル）のコンテンツを表している。電話＃１のユーザ（第２エントリ）が、電話＃３（第４エントリ）を呼び出すよう内線番号“２００３”をダイアルすると、表７に示すように、電話＃１が、そのメモリ内のＬＵＴを使用して、内線番号“２００３”（電話＃３の内線番号）を００−０Ａ−Ｅ６−４１−Ｃ０−４９（電話＃３のＭＡＣアドレス）に変換するか、またはこれをルックアップする。次に、呼び出しコマンドパケットをデータフィールド６２０（図２２Ａ参照）にアセンブルし、電話＃３のＭＡＣアドレス（００−０Ａ−Ｅ６−４１−Ｃ０−４９）を宛先のＭＡＣアドレスフィールド６０６内に入れ、イーサネットパケットフィールド６００全体が宛先電話＃３へ送信される。さらに表７は、アクセスコード“９”、“８”は、内部電話が、トランク回線カード装置およびデータネットワーク装置の各々へダイアルする際に必要であることを示す。
【０２４７】
表８は、トランク回線カード装置２２０またはデータネットワーク装置２８０８のＬＵＴ（ルックアップテーブル）のコンテンツを表している。これは、さらに１つの機能、外部電話番号が追加されている点を除いて、ネットワーク電話のものと類似して見える。外部電話番号は、電話会社によって顧客に割り当てられた電話番号である。例えば、電話番号８００−５５５−２０００から始まる１０個の電話番号割り当ての場合には、８００−５５５−２０００〜８００−５５５−２００９までとなる。５０個の電話番号割り当ての場合は、８００−５５５−２０００〜８００−５５５−２０４９となる。１０００個の番号の場合は、８００−５５５−２ｘｘｘ（ｘｘｘは０００〜９９９）となる。各々の外部電話番号が各電話に直接マップされるため、外部からネットワーク内に外部着信通話があると、外部電話番号がトランク回線カード装置２２０によってルーティングされる。内部電話番号（内線）は外部電話番号のサブセット（内線は、外部電話番号の最も小さい数字と一致する）にすることで、トランク回線カード装置が、そのＬＵＴ内に、２つの別個の番号の組を保持する必要をなくすことが好ましい。例えば、外部電話番号５５５−１０００がネットワーク電話システムに割り当てられ、１００個の電話番号（５５５−１０００〜５５５−１０９９）が割り当てられられている場合には、４桁の国際電話番号（内線）は“１０００”〜“１０９９”となる。５桁の国際電話番号（内線）は“５−１０００”〜“５−１０９９”となる。別の例では、外部電話番号は５５５−６１００〜５５５−６１９９、３桁の内線は１００〜１９９、４桁の内線は“６１００”〜“６１９９”、５桁の内線は“５−６１００”〜“５−６１９９”となる。
【０２４８】
【表７】
2005538646.tif 000011
【０２４９】
【表８】
2005538646.tif 000012
【０２５０】
図３１Ｂは、本発明のある実施形態による、電話回線装置およびデジタルアテンダント２８４１を単一装置として装備しているネットワーク電話システム３１４０を示す。ネットワーク電話システム３１４０は、１本の外線２８４３または複数の回線を備えることができる。システム３１４０は、より小型であり、電話セット数もより少なく、必要な外線は１本のみ、または数本で済む。このタイプのシステムは、小規模ビジネス向けまたは家庭向けである。図３３〜図３８は、単一装置としての外線装置＆デジタルアテンダント機能を説明している。外線装置＆デジタルアテンダントは、スタンドアロン型装置であっても、または別の装置内に組み込まれていてもよい。システム３１４０は１０台の電話セットを備え、回線は２本のみで、２個の電話番号（５５５−２０００と５５５−２００１）を有するため、１度に実施できる外部通話は最大で２つであると仮定する。外部発信者が番号５５５−２０００または５５５−２００１のいずれかをダイアルすると、電話回線装置＆デジタルアテンダントが応答する。次に、発信者が内線“１００１”をダイアルすると、デジタルアテンダントがこの発信者を電話＃１  ３１４２へ回し、内線“１００２”をダイアルすると、電話＃２  ３１４４へ回し、内線“１００３”をダイアルすると、電話＃３  ３１４６へ回し、内線“１００４”をダイアルすると、電話＃４  ３１４８へ回し、または内線“１０１０”をダイアルすると＃１０  ３１５０へ回す。
【０２５１】
システム３１４０に１１個の番号（５５５−２０００〜５５５−２０１０）が割り当てられている場合には、各番号を各電話に直接マップすることができ、つまり、番号５５５−２０００を電話回線装置＆デジタルアテンダント２８４１に、番号５５５−２００１を電話＃１  ３１４２に、番号５５５−２００２を電話＃２  ３１４４に、番号５５５−２００３を電話＃３  ３１４６に、番号５５５−２００４を電話＃４  ３１４８に直接マップし、最後に番号５５５−２０１０を電話＃１０  ３１５０に直接マップする。次に、外部発信者は、５５５−２００１をダイアルすると電話＃１に、５５５−２００２をダイアルすると電話＃２に、５５５‐２００３をダイアルすると電話＃３に、５５５−２００４をダイアルすると電話＃４につながり、最後に、５５５−２０１０をダイアルすると電話＃１０につながる。
【０２５２】
図３１Ｃは、本発明による、別個のデジタルアテンダント２１０に接続した一次トランク回線カード装置と二次トラック回線カード装置３１６２を装備したネットワーク電話システム３１６０を示す。装置２２０、３１６２の機能冗長性によって、ネットワーク電話システム３１６０の信頼性が高まる。システム３１６０にフェールオーバをプログラムすることができる。
【０２５３】
図３１Ｄは、本発明による、組み合わせた一次および二次電話回線装置と、デジタルアテンダント２８４１、２８８１を装備したネットワーク電話システム３１８０を示す。冗長電話回線装置とデジタルアテンダント２８４１、２８８１は、フェイルオーバ機能を提供することで、システム３１８０の信頼性を高める。
【０２５４】
図３２は、本発明の一実施形態による、データネットワーク装置２８０８の機能ブロック線図である。この実施形態は、接続２８１３を介してＶＰＮ（仮想プライベートネットワーク）との接続を提供するが、別の専用プライベートリース回線（アナログ電話回線（単数または複数）、Ｔ３／Ｅ３、ＯＣ−１）あるいは任意の高速有線または光ファイバ接続（図示せず）に構築することも可能である。この場合はギガビット光接続である接続２８１３へのインターフェースは、モジュール３２０４、ＧＢＩＣ（ギガビットインターフェースコントローラ）である。コントローラ３２０４の商業的な例には、Ｆｉｎｉｓａｒ  ＦＴＲ−１５１９延長ＧＢＩＣトランシーバモジュールが含まれる。モジュール２８０８は、イーサネット形式パケットを、ＡＴＭ、ＴＣＰ／ＩＰ、または、データネットワークが理解可能な何らかの形式に変換する機能を提供する。モジュール３２０６、３２０８、３２１０は、図１２Ａのモジュール２２６、２２８、２３０の各々と類似の機能を備えている。イーサネットコントローラ３２１０は、ネット電話および／またはＰＣを接続するための１つまたは複数の接続３２１２・・・３２１４を提供する。
【０２５５】
図３３〜図３８は、電話通信インターフェース、ネットワークインターフェース、ローカルエリアネットワーク（ＬＡＮ）を提供する、本発明のいくつかの実施形態を示す。電話通信インターフェースは、ネット電話と、ＰＳＴＮ電話システム等の外部電話ネットワークとの間の接続性を提供する。ネットワークインターフェースは、コンピュータ（ＰＣ）と、インターネット等の外部コンピュータネットワークとの間の接続性を提供する。ローカルエリアネットワーク、例えばイーサネットベースの有線および／または無線ＬＡＮは、ネット電話、コンピュータ、電話通信インターフェース、ネットワークインターフェースの間の相互接続性を提供する。
【０２５６】
図３３は、本発明の一実施形態による、ダイアルアップインターネット接続を備えた電話回線装置＆デジタルアテンダント２８４１のブロック線図である。その回路要素は、図１２Ｂにて例証した実施形態のものと類似しているが、追加的特徴も加えられている。電話回線装置＆デジタルアテンダント２８４１は、標準電話回線２８４３を介してＰＣインターネット接続を可能にするための、モデム回路要素およびファームウェア３３１８等の追加の特徴を含む。モジュール３３１８は、ＲＪ４５接続３３３４に接続しているＰＣへの／からのインターネットデータ（コンピュータデータ）を調整（変調および復調）するためのものである。さらにモジュール２８４１に、ボイスメール記憶装置として機能できるハードドライブ３３０８、複数のＲＪ４５接続３３３４、サポート有線／無線プロトコルを備えることができるため、完全かつ簡素で、いつでも使用可能な、家庭および小規模ビジネス向けの音声およびデータネットワークソリューションが提供される。ＩＰ電話特徴（図３０のキー３００３ｆを参照）により、ユーザは任意で、（ＰＳＴＮを介した）標準通話、または、そのＩＳＰ（インターネットサービスプロバイダ）が接続の品質および伝搬を提供する必要があるボイスオーバーＩＰ通話のいずれかを選択することが可能になる。この場合は、イーサネット音声パケットデータがＶｏＩＰ（ボイスオーバーＩＰ）形式に変換され、モデム回路要素３３１８によって調整され、また、着信したＩＰデータの場合にはこれを反転させる。３３３２を介し、ＣＰＵによって制御されるアナログスイッチ３３１６は、通常、閉じた状態に維持されるため、データフローが経路２８４３と３３２６の間を流れる。停電によって電力供給が停止し、バックアップバッテリが作動していない場合には、２８４３と３３３０の間の接続によって、緊急事態の目的で、標準アナログ電話セットの使用を容易にする。イーサネットコントローラ３３２０が、ネット電話および／またはＰＣを接続するための１つまたは複数の接続３３３４・・・３３３８を提供する。
【０２５７】
図３４は、本発明の一実施形態による、ｘＤＳＬ回線とインターフェースするｘＤＳＬ回線装置＆デジタルアテンダント２８５３のブロック線図である。この回路要素は、図３３で例証した実施形態のものと類似しているが、専用のＤＳＰ、メモリ、バスインターフェースを備えたｘＤＳＬモデムモジュール３４０６を介して、ｘＤＳＬ回線とインターフェースする点が異なる。スイッチ３４０８により、３４０８のＰ１（３４１８）を介したＲＪ４５接続３４３４とｘＤＳＬモジュール３４０６の間のインターフェースデータが可能になる。さらに、３４０８のＰ２（３４２０）を介したＲＪ４５接続３４３４とイーサネットコントローラ３３２０の間の音声データが可能になる。３３３２バスを介してＣＰＵ３３１０により制御される３方式アナログスイッチ＆マルチプレクサ３４０４により、通常、２つの経路、２８５５、３４１０間（音声データ）と、２８５５、３４１６間（ＰＣデータ）が得られる。接続２８５５、３４１４は、停電およびバックアップバッテリ不作動の状態において、標準アナログ電話セットを使用する同一の緊急目的を提供する。イーサネットスイッチ３４０８は、ネット電話および／またはＰＣを接続するための、１つまたは複数の接続３４３４・・・３４３８を提供する。
【０２５８】
図３５は、本発明の一実施形態による、ケーブルＴＶ／ケーブルＴＶ同軸ケーブルとインターフェースする同軸ケーブル装置＆デジタルアテンダント２８６５のブロック線図である。この回路要素は、図３４に示した実施形態と類似しているが、しかし、モジュール３５０４を介してＴＶ同軸ケーブルインターフェースを実施する点が異なる。ケーブルモデム回路要素３５０４は、モジュール３３１０（音声＆ＰＣデータ）から、そのメモリバッファ内にパケットデータを受信し、これを、同軸ケーブル２８６７専用のベースバンド方式のアナログ信号に変調する。受信側では、多数の情報チャネル（ＴＶチャネル）を携えた、受信アナログ信号が、３５０４の受信帯域内にある１つの情報チャネルを備えている。このアナログがパケットデータに変調され、ＣＰＵによって読み出されて、そのヘッダＩＤに従い、音声データまたはＰＣデータに処理される。イーサネットコントローラ３３２０は、ネット電話および／ＰＣを接続する１つまたは複数の接続３３３４・・・３３３８を提供する。
【０２５９】
図３６は、本発明の一実施形態による、モジュール３６０４を介してＩＳＤＮ回線とインターフェースするための、ＩＳＤＮ回線装置＆デジタルアテンダント２８７５のブロック線図である。この回路要素は、図３３の実施形態のものと類似しているが、ＩＳＤＮ回線とインターフェースする点が異なる。イーサネットコントローラ３３２０は、ネット電話および／またはＰＣを接続するための、１つまたは複数の接続３３３４・・・３３３８を提供する。
【０２６０】
図３７は、本発明の一実施形態による、イーサネットスイッチ３４０８を介して高速イーサネット接続２８８７とインターフェースしているイーサネット回線装置＆デジタルアテンダント２８８５のブロック線図である。この例では、接続２８８７は１０／１００Ｍｂｉｔのイーサネット接続であるが、イーサネット回線装置＆デジタルアテンダント２８８５は、１ギガビットまたは１０ギガビットのイーサネットまたは１０ギガビットのファイバチャネル等のギガビットイーサネットについても構築できる。イーサネットスイッチ３４０８の商業的な例としては、Ｇａｌｉｌｅｏ  ＧＴ−４８３３０  ＢｒｉｄｇｅとＩｎｔｅｌ  Ｐｈｙｓ  ＬＸＴ９７６１が挙げられる。ネットワーク電話装置間の内部通信はコントローラ３４０８と接続したイーサネットバス３４３４、３４３６、３４３８内で実施される。イーサネットバス３４３４と接続している装置から送信された内部通話コマンドと同報通信コマンドが、バス３４３４、３４３６、３４３８に接続している装置へ送られるが、接続２８８７または接続３７１２へは送られない。同様に、イーサネットバス３４３６に接続している装置から送信された内部通話コマンドと同報通信コマンドは、バス３４３４、３４３６、３４３８に接続している装置へ送られるが、接続２８８７、接続３７１２へは送られない。イーサネットバス３４３８に接続している装置から送信された内部通話コマンドと同報通信コマンドは、バス３４３４、３４３６、３４３８に接続した装置へ送られるが、接続２８８７、接続３７１２へは送られない。イーサネットバス３４３４、３４３６、３４３８からの外部通話は接続２８８７へルーティティングされる。外部装置からイーサネット接続２８８７を介して送信された着信通話は、バス３４３４、３４３６、および／または３４３８へルーティングされる。換言すれば、モジュール３４０８は、イーサネット接続２８８７に接続している外部装置からの全ての内部通話（アクティビティ）のリンクを隔離し、また、バス３４３４、３４３６、および／または３４３８への／からのイーサネット接続２８８７のリンクは外部通話用のものである。
【０２６１】
図３８は、本発明の一実施形態による、ＰＢＸトランク装置２８９３の機能ブロック線図である。この実施形態によって、ＰＢＸ（構内交換機）への接続が得られるが、この例では、これはＴＤＭ（時間分割マルチプレクス）インターフェース２８９５である。この設定において、ネットワーク電話システムが、ＰＢＸの電話サブセットとして機能し、また、アクティブな回線（ＰＢＸへのネットワーク電話システム）がＰＢＸデジタル回線カード装置によって制限される。モジュール２８９３は、ネットワーク電話装置とＰＢＸの間で、変換パケットの全てのハードウェア／ソフトウェア機能を回路スイッチングに切り換えるか、またはこの反対を実施する。イーサネットコントローラ３２１０は、ネット電話および／またはＰＣを接続するための１つまたは複数の接続３１２１・・・３２１４を提供する。
【０２６２】
なお、ユーザの要求に応じて、上述した多様な実施形態の各々のイーサネットコントローラおよびスイッチ３２１０、３３２０、３４０８に接続している様々なイーサネットバスは、ポイントトゥポイント接続であってもよく、また、これは有線あるいは無線であってよい。
【０２６３】
図３９は、本発明の一実施形態による、複数のＬＡＮネットワークに接続したネットワーク電話番号ルータ３９００の機能ブロック線図である。装置３９００に装備するモジュール数はより少なくてもよいし、該装置３９００の機能を、この場合はＬＡＮ１〜ＬＡ４間の通話のルーティングのみに狭域化することもできる。電話番号ルータ３９００はより高い処理能力が要求されるため、電話番号ルータ３９００には、ＡＲＭ７  Ｓ３Ｃ４５１０Ｘ０１等のよりパワフルなＣＰＵを使用することがさらに好ましい。高速イーサネットスイッチモジュール３９０４は、イーサネット接続ＬＡＮ１  ３９０６と、イーサネット接続ＬＡＮ２  ３９０８、ＬＡＮ３  ３９１０および／またはＬＡＮ４  ３９１２のいずれかとの間の通話のルーティングを実施する。同様に、高速イーサネットスイッチモジュール３９０４は、イーサネット接続ＬＡＮ２と、イーサネット接続ＬＡＮ１、ＬＡＮ３および／またはＬＡＮ４のいずれかとの間の通話をルーティングする。さらに、ＬＡＮ３と、ＬＡＮ１、ＬＡＮ２および／またはＬＡＮ４のいずれかとの間でのルーティングも実施し、また、ＬＡＮ４と、ＬＡＮ１、ＬＡＮおよび／またはＬＡＮ３のいずれかとの間でのルーティングも行う。モジュール３９０４によって使用される装置の一例には、Ｇａｌｉｌｅｏ  ＧＴ−４８３３０  Ｂｒｉｄｇｅ、Ｉｎｔｅｌ  Ｐｈｙｓ  ＬＸＴ９７６１が挙げられる。ネットワーク電話番号ルータ３９００は、ＬＡＮ１  ３９０６に接続している全てのネットワーク電話に対して、この場合には２ｘｘｘｘ、３ｘｘｘｘ、４ｘｘｘｘ、６ｘｘｘｘ等の番号への全ての通話がイーサネットスイッチ３９０４のイーサネットポートＰ１へ転送される旨を通知する。通話は、ポートＰ１に到達すると、各々ルーティングされる（２ｘｘｘｘおよび６ｘｘｘｘはＬＡＮ２へ、３ｘｘｘｘはＬＡＮ３へ、４ｘｘｘｘはＬＡＮ４へ）。同様に、ルータ３９００は、ＬＡＮ２  ３９０８内の全ての電話装置に対して、１ｘｘｘｘ、３ｘｘｘｘ、４ｘｘｘｘ等の番号への通話は全てスイッチ３９０４のイーサネットポートＰ２へ転送される旨を通知する。通話は、ポートＰ２に到達すると、各々ルーティングされる（１ｘｘｘｘはＬＡＮ１へ、３ｘｘｘｘはＬＡＮ３へ、４ｘｘｘｘはＬＮＡ４へ）。同様に、ルータ３９００は、ＬＡＮ３９１０内の全ての電話装置に対して、１ｘｘｘｘ、２ｘｘｘｘ、４ｘｘｘｘ、６ｘｘｘｘ等の番号への通話は全てスイッチ３９０４のイーサネットポート３へ転送される旨を通知する。通話は、ポート３に到達すると、各々ルーティングされる（１ｘｘｘｘはＬＡＮ１へ、２ｘｘｘｘおよび６ｘｘｘｘはＬＡＮ２へ、４ｘｘｘｘはＬＡＮ４へ）。同様に、ルータ３９００は、ＬＡＮ４  ３９１２内の全ての電話装置に対して、１ｘｘｘｘ、２ｘｘｘｘ、３ｘｘｘｘ、６ｘｘｘｘ等の番号への全ての通話は、スイッチ３９０４のイーサネットポートＰ４へ転送される旨を通知する。通話は、ポートＰ４に到達すると、各々ルーティングされる（１ｘｘｘｘはＬＡＮ１へ、２ｘｘｘｘおよび６ｘｘｘｘはＬＡＮ２へ、３ｘｘｘｘはＬＡＮ３へ）。ルータ３９００は、最初にＬＡＮネットワーク（つまりＬＡＮ１）内にオンライン配置されると、図４５、図４６で実施したステップと類似したＬＡＮ１ネットワークのディレクトリを構築する。またルータ３９００は、新規にオンラインになった任意の装置を、図４２Ａのステップ４２２０、４２２６に示すように、監視し、新規装置からの「電話番号同報通信コマンド」を受信することで追跡し、さらに、図４２Ａのステップ４２２２に示すように、そのＬＵＴを更新する。次に、他のＬＡＮネットワーク（ＬＡＮ２）に接続している場合、ルータ３９００は、ＬＡＮ１の１ｘｘｘｘ等の電話番号（データフィールド内に含める）と共に、装置タイプコマンドを同報通信することで、ＬＡＮ２内の全ての装置に通知を行う。ネットワーク電話装置は、１ｘｘｘｘ等の“ｘ・・・”番号システムをサポートし、ｘｘｘｘは１００００〜１９９９９の範囲を表す。ルータ３９００はさらに、ＬＡＮ２の２ｘｘｘｘおよび６ｘｘｘｘ等の電話番号と共に、装置タイプコマンドを同報通信することで、ＬＡＮ１内の全ての装置に通知を行う。
【０２６４】
図４０は、本発明の一実施形態による、ネットワーク電話装置、例えばネットワーク電話１０の動作を示す、例示的な階層機能ブロック線図４０００である。ブロック４００２では、ネットワーク電話装置はアイドル状態、つまりスタンバイモードにある。ネット電話の機能性には、機能４００４、コンフィギュレーション４００６、システム４０９０が含まれる。ネット電話機能モジュール４００４は、電話機能４００８、アクセサリ機能４０１０を含む。ネット電話コンフィギュレーションモジュール４００６は、手動コンフィギュレーション４０１２、自己コンフィギュレーション４０１４を含む。手動コンフィギュレーション４０１２により、管理者またはユーザは、ネットワーク電話装置および対応する各々のアクセサリを手動で構成することができるようになる。自己コンフィギュレーション４０１４によって、装置は、ユーザが介在することなく自己を構成することができる。システム機能４０９０は、ＬＵＴ更新、ファームウェアバージョンナンバー、ファームウェア更新、発信者側料金カウントアクティビティ、診断目的を含む。
【０２６５】
ネット電話のいくつかの実施形態では、図４０により例証された機能ブロックは、ファームウェアを使用して実現される。しかしながら、これらのネット電話機能は、ハードウェア、ファームウェア、および／またはこれらの組み合わせを使用して実現することも可能である。図４０の機能ブロックの記述は以下の通りである。
【０２６６】
通話処理４０１６は、以下に示す１１個のサブ機能を備える。
【０２６７】
電話をかける４０１７：電話をかける接続。
【０２６８】
通話転送４０１８：最新の通話を他の番号に転送するか、あるいは、他の電話から転送された通話を受信する。
【０２６９】
再ダイアル４０１９：最後の電話番号を再ダイアルする。
【０２７０】
通話会議４０２０：３方またはそれ以上の会話を行うために、最新の通話を他の電話と接続する。
【０２７１】
ブリッジ会議４０２１：ブリッジ会話通話へのダイアルイン。
【０２７２】
通話待機４０２２：最新の通話を待機させる。
【０２７３】
通話待機取得４０２３：待機している通話を取得する。
【０２７４】
ページング４０２４：他の電話番号をページングする。
【０２７５】
通話保留４０２５：最新の通話を保留する。
【０２７６】
通話ピックアップ４０２６：呼び出されている電話を他の内線からピックアップする。
【０２７７】
その他４０２７：将来的な機能
【０２７８】
通話プログラム４０３２は、以下に示す１０個のサブ機能を備える。
【０２７９】
ディレクトリ４０３３：電話名称および番号ディレクトリの入力および取り消し。
【０２８０】
テキストメッセージング４０３４：例えば、発信者があなたの電話を呼び出した際に、「昼食のため外出中」のようにあなたが席に居ない理由を発信者に知らせる。
【０２８１】
メールの取得４０３５：個人のボイスメールを取得する。
【０２８２】
通話転送のプログラム４０３６：全ての通話を他の電話へ転送する。
【０２８３】
通話転送の取り消し４０３７：通話転送を取り消す。
【０２８４】
音声メッセージの送信４０３８：宛先電話を鳴らさずに、ユーザがボイスメールを送信できるようにする。
【０２８５】
データメッセージの送信４０３９：宛先電話を鳴らさずに、ユーザがデータメッセージを送信できるようにする。
【０２８６】
通話ブリッジの設定４０４０：通話ブリッジ会話を設定する。
【０２８７】
外部制御４０４１：外部電話が、ネットワーク電話を制御し、これを遠隔電話として使用できるようにする（図５４および以下の説明を参照）。
【０２８８】
その他４０４２：将来的な機能
【０２８９】
スケジュール４０５０（図５５および以下の説明を参照）。
【０２９０】
ＵＳＢ４０５６は、以下に示す７個のサブ機能を備える。
【０２９１】
ビデオ４０５７：ビデオアクセサリ機能
【０２９２】
オーディオ４０５８：オーディオアクセサリ機能
【０２９３】
ファックス４０５９：ファックスアクセサリ機能
【０２９４】
モデム４０６０：クレジットカード読取装置機能等のモデムアクセサリ機能。
【０２９５】
ＰＣ４０６１：ＰＣアクセサリ機能
【０２９６】
キーボード４０６２：キーボードアクセサリ機能
【０２９７】
その他４０６３：その他のアクセサリ
【０２９８】
ディスプレイ４０６８：電話装置ディスプレイ
【０２９９】
汎用Ｉ／Ｏ４０７０：汎用ネットワーク電話Ｉ／Ｏアクセサリ装置
【０３００】
手動４０１２：ネットワーク電話装置の手動コンフィギュレーション
【０３０１】
電話４０７２：ネットワーク電話コンフィギュレーション
【０３０２】
アクセサリ４０７３：ネットワーク電話アクセサリ装置コンフィギュレーション
【０３０３】
トランク回線カード４０７４：トランク回線カードコンフィギュレーション
【０３０４】
デジタルアテンダント４０７５：デジタルアテンダントコンフィギュレーション
【０３０５】
データネットワーク装置４０７６：データネットワーク装置コンフィギュレーション
【０３０６】
回線装置＆デジタルアテンダント４０７７：回線装置＆デジタルアテンダントコンフィギュレーション
【０３０７】
電話番号ルータ４０７８：電話番号ルータコンフィギュレーション
【０３０８】
その他４０７９：その他の将来的なコンフィギュレーション
【０３０９】
自己４０１４：ネットワーク電話装置の自己コンフィギュレーション
【０３１０】
電話４０８２：ネットワーク電話自己コンフィギュレーション
【０３１１】
トランク回線カード４０８３：トランク回線カード自己コンフィギュレーション
【０３１２】
デジタルアテンダント４０８４：デジタルアテンダント自己コンフィギュレーション
【０３１３】
データネットワーク装置４０８５：データネットワーク装置自己コンフィギュレーション
【０３１４】
回線装置＆デジタルアテンダント４０８６：回線装置＆デジタルアテンダント自己コンフィギュレーション
【０３１５】
電話番号ルータ４０８７：電話番号ルータ自己コンフィギュレーション
【０３１６】
システム４０９０：電話装置システム関連機能
【０３１７】
ＬＵＴ更新４０９１：ネットワーク電話装置／ユーザによるＬＵＴの更新
【０３１８】
パスワード４０９２：ユーザのパスワード入力および確認
【０３１９】
ファームウェア更新４０９３：更新されたバージョンの新規ファームウェアを受信およびプログラムする。
【０３２０】
ファームウェアバージョン４０９４：ファームウェアバージョンナンバー
【０３２１】
アカウントオープン／クローズ４０９５：新規ユーザのアカウント作成、およびユーザのアカウントの閉鎖
【０３２２】
アカウントアクティビティ４０９６：管理者によって要求された通話コスト計算アクティビティ
【０３２３】
診断４０９７：ファームウェア自己診断
【０３２４】
その他４０９８：将来的な使用
【０３２５】
図４１は、本発明の一実施形態による、例えば図２８Ａのネットワーク電話１０等のネットワーク電話用の電話番号の例示的なコンフィギュレーションを示すフローチャート４０７２である。この工程では、ユーザは、ステップ４１０２にて、構築キー３００６ｇを押下し、促された場合にパスワードを入力することで、特定の電話内線番号“４３０５”をユーザの内線に手動で構築する。いくつかの実施形態では、不適当な電話装置が故意に／無意識にネットワークへのエントリを取得してしまう、および／または、ネットワークを構築してしまうことを防止するために、同一のネットワーク内の全ての電話装置に同一のパスワードが設けられている。これにより、特に、ネットワークの一部が無線によるものである場合に、ネットワーク電話システムをより安全化することができる。
【０３２６】
次のステップ４１０４において、電話ディスプレイ３００２が、手動（“１”キー）または自己（“２”キー）コンフィギュレーションの選択を表示する。ステップ４１０６では、ユーザは、手動を選択するために“１”キーを押下する。ステップ４１０８にて、ディスプレイが、これが電話のためのものか、アクセサリのためのものかを質問する。ステップ４１１０にて、ユーザは、電話をプログラムするために“１”キーを押下する。ステップ４１１２にて、ディスプレイが番号または名称のいずれを選択するかを質問する。ステップ４１１４にて、ユーザは、“１”を押下して番号を選択する。ステップ４１１６にて、ディスプレイが、ユーザがデフォルト番号の使用を希望するか、あるいは新規の番号を入力するかを質問する。ステップ４１１８にて、ユーザは、新規の番号を入力するべく“２”を押下する。ステップ４１２０で、ディスプレイがユーザに、番号を入力して、入力が終了したら、図３０中の保存キー３００６ａを押すように促す。ステップ４１２２では、ユーザが“４、３、０、５”のキーを押し、その後、保存キーを押す。ステップ４１２４にて、ディスプレイがユーザに、電話が、ＬＡＮ上のどこかでその電話番号が重複していないかどうかを調べるまで待つよう指示する。
【０３２７】
ステップ４１２６にて、ネットワーク電話が、ＬＡＮ上の全ての他のネットワーク電話装置に「電話番号トライアウト」コマンドを送信して、パスワード確認の実行を待つ。ネットワーク内に既存の電話からパスワード確認要求がない場合には、この電話がＬＡＮへの接続を試みている最初の電話だということであり、したがって、内線番号“４３０５”をそのユーザに割り当てることができる。パスワード確認要求があり、このパスワード確認要求を行っている電話がパスワードを受信しない場合には、パスワード確認要求を行っているその電話はおそらく付近のＬＡＮに接続しており、この電話は該ＬＡＮに接続を試みる最初の電話であるため、内線番号“４３０５”をユーザに割り当てることが可能である。あるいは、ステップ４１２８、４１３０では、ネットワーク電話は、他のネットワーク電話からの応答を待っている。タイムアウト期間内に別の電話が「電話番号が存在する」コマンドで応答してきた場合には、ステップ４１３２にて、内線番号“４３０５”がユーザに割り当てられる。図４２Ａ中のステップ４２２２に示すように、これ以外の全ての装置は、そのルックアップテーブル（ＬＵＴ）を新規番号で更新する。ステップ４１３４にて、ユーザの電話上にこの番号が表示される。最後に、ステップ４１４０に示すように、この電話がアイドル状態になる。番号が重複する場合には、ステップ４１３６にて、「電話番号は既に存在するメッセージ」がディスプレイ上に表示される。次に、ステップ４１３８にて、ユーザは異なる電話番号を入力し、ステップ４１２４にて工程が再開する。最終的に重複していない電話番号が受領され、ステップ４１３２、４１３４にて、新規に割り当てられ、表示された電話番号が反映される。
【０３２８】
図４２Ａは、本発明の一実施形態による、ネットワークとの接続を試みる電話、例えば図２８Ａのネットワーク電話１０を構築する工程を示すフローチャート４０８２である。ステップ４２０２にて、新規の電話がネットワークに接続される。促進された場合にユーザがパスワードを入力すると、電話が３０秒以内に自己を構築する。キー“１”を押していなくても、ステップ４２０４にて、３０秒のタイムアウト後に、電話がネットワーク上で「電話番号トライアウト」コマンドを初期番号“２０００”（メモリ内のデフォルト番号）と共に同報通信し、パスワードの承認を待つ。ステップ４２０６にて、新規に接続した電話が、ネットワークからの応答を待つ。ステップ４２０６で判定されるように、ネットワーク応答タイムアウトを設けている場合には（つまり、タイムアウト期間中に応答がなく、パスワード要求がない、またはパスワードが承認されない場合には）、ステップ４２２４にて、新規に接続した電話が番号“２０００”を自己に割り当てる。ステップ４２２６にて、新規に接続した電話が、「電話番号同報通信」コマンドをネットワーク上で同報通信し、その後、ステップ４２２８にて「電話ディレクトリ要求同報通信」コマンドを送信し、ステップ４２３０にて応答を待つ。さらにステップ４２２８にて、パスワード確認がない場合には、その電話がネットワークに接続を試みた最初の装置であるため、電話は直接ステップ４２４０へ進む。ネットワークは、応答タイムアウトが発生した場合には、新規に接続した電話がネットワーク内の最初の電話である（ボイスメールまたはトランク回線カード装置が存在する可能性はある）。ステップ４２３０にてネットワーク応答タイムアウト中に受信した応答は、ステップ４２３２にて電話＃１（デジタルアテンダント、または最下値の内線番号を有する電話）から送信された、存在する全ての電話の電話ディレクトリを含む。次に、新規に接続した電話が、ステップ４２３４にて、「電話ディレクトリ受信」コマンドを送信することで、このディレクトリを含むメッセージを承認し、ステップ４２３６にて、電話＃１から「終了」コマンドを受信すると工程が完了する。あるいは、ステップ４２３２にて、電話＃１が「ディレクトリ同報通信」コマンドを再度送信する。ステップ４２２２にて、全てのネットワーク電話装置がそのＬＵＴを更新する。
【０３２９】
ステップ４２０８で判定されるように、パスワード確認後の、タイムアウト期間中に応答があった場合には、新規に接続した電話は、ネットワークへの接続を試みる第１電話ではない。少なくとも１台の別の電話がネットワークに接続しており、その内の１台が、ネットワークに最初に接続した電話である。電話＃１と示されたその電話（またはデジタルアテンダント）が、「電話番号トライアウト」コマンドに、「電話番号は既に存在する番号である」メッセージで応答するが、これは、「電話番号トライアウト」コマンド内に含めて同報通信された番号、つまり内線“２０００”が、ネットワークに最初に接続した電話（またはデジタルアテンダント）によって採用された番号だからである。次に、ステップ４２１０において、電話番号＃１（またはデジタルアテンダント）は、ネットワーク上の全ての既存電話の番号のディレクトリを含む「ディレクトリ送信コマンド」を送信し、ステップ４２１２にて、新規に接続した電話が「ディレクトリ受信」コマンドで応答する。ステップ４２１４にて、電話＃１が「終了」コマンドを送信すると、新規の電話が完全なディレクトリを受信する。あるいは、ステップ４２１０にて、電話＃１（またはデジタルアテンダント）が、「ディレクトリ送信コマンド」を再度送信する。
【０３３０】
ステップ４２１６にて、新規に接続した電話は、ディレクトリ内で次に使用可能な（未割り当ての）番号を採用し、この採用した番号と共に、「電話番号トライアウト」コマンドをネットワーク上で再び同報通信して、他の電話と重複しないかを確認する。ステップ４２１８に定義するように、重複する番号がない場合には、ステップ４２２０にて、新規に接続した電話が、採用した番号を含んだ「電話番号送信」コマンドをネットワークへ同報通信する。その後、ステップ４２２２にて、ネットワーク上の各電話装置がそのルックアップテーブル（ＬＵＴ）を新規の番号で更新する。ステップ４２１８に定義するように、採用した番号が重複する番号である場合には、ステップ４２３８にてネットワークエラーが生じたということであり（ディスプレイに表示される）、調査が必要であるため、工程が終了する。
【０３３１】
図４２Ｂは、本発明の一実施形態による、ネットワークへの接続を試みるネットワーク電話、例えば図２８Ａの電話１０を構築する他の工程を示すフローチャート４０８２である。図４２Ｂは、ステップ４２０４、４２０６、４２２４、４２２６を省略することで電話が自己構築を行うためのより短い方法を示しており、そのため、ステップ４２０８、４２１０、４２１２、４２１４は不要となる。新規の電話は、ステップ４２０２にて開始した後に、その後のステップを飛ばしてステップ４２２８へ進むことで自己構築を行い、ステップ４２２８で、全ての装置に「電話ディレクトリ要求」を同報通信する。さらに、ステップ４２２８にて、この電話はパスワード承認要求を待つ。ネットワーク（単数または複数）内のいずれの装置（単数または複数）からもパスワード要求コマンドが無い、またはパスワードが一致しない場合には、その電話がネットワークへの接続を最初に試みた電話であるため、直接ステップ４２４２へ進む。あるいは、ステップ４２３０にて、新規の電話が、電話＃１またはデジタルアテンダント（最小値の内線番号を有する電話）からの応答を待つ。電話が全くない場合には、ステップ４２３２にて、電話＃１またはデジタルアテンダント（最小値を有する方の電話）が、新規の電話に電話ディレクトリを送信し、ステップ４２３４にて、新規の電話がこれを承認する。ステップ４２３６で判定されるように、新規の電話が電話ディレクトリ全体を受信すると、その電話ディレクトリ内の次に使用可能な（未割り当ての）電話番号を自己に割り当て、ステップ４２１６にて、電話番号トライアウトコマンドを同報通信する。次に、ステップ４２１８にて、ネットワーク内の別の装置からの応答を待つ。応答がない場合には、ステップ４２２０にて、新規に取得したその電話番号を同報通信し、ステップ４２２２にて、ネットワーク上の全ての装置がそのＬＵＴを更新する。
【０３３２】
一般に、有線イーサネットネットワークでは、管理者が自分のネットワークの不法使用を心配していない限り、パスワード承認は不要である。無線ネットワークでは、ネットワークハブ／スイッチがその周辺動作環境にある場合には、ネットワーク電話装置がシステム内に、故意または偶然に構築されてしまう可能性があるため、パスワード承認は重要である。電話＃１（最下値の電話番号を有する電話またはデジタルアテンダント）がパスワード要求を発行する。ネットワークに接続した電話＃１がない場合には、トランク回線カード装置が次にパスワードコマンドを発行する装置である。
【０３３３】
図４３は、本発明の一実施形態による、１つまたは複数の電話アクセサリに接続したネットワーク電話、例えば電話２８０７を構築する工程を示すフローチャート４０７３である。この工程で、ユーザは、図２９に示したように、ネットワーク電話２９０２のアクセサリポート（ＵＳＢ）に接続したファックス機２９０４に、特定の電話内線番号“４３１０”を手動で構築する。ユーザは、ステップ４３０２から開始し、構築キー３００６ｇを押下する。次のステップ４３０４では、電話ディスプレイ３００２が、手動コンフィギュレーション“１”または自己コンフィギュレーション“２”の選択を表示する。ステップ４３０６にて、ユーザは手動を選択するべく“１”キーを押下する。ステップ４３０８にて、ディスプレイが、そのコンフィギュレーション選択が電話のためのものか、またはアクセサリのものかを質問する。ステップ４３１０にて、ユーザは、アクセサリをプログラムするために“２”を押す。ステップ４３１２にて、ディスプレイが、異なるタイプのアクセサリから選択を行うよう表示する。ステップ４３１４にて、ユーザは“１”キーを押してファックスを選択する。ステップ４３１６にて、ディスプレイが番号または名称を選択するよう表示する。ステップ４３１８にて、ユーザは“１”を押して番号を選択する。ステップ４３２０において、ディスプレイがユーザに、デフォルトの番号を使用するか、または新規の番号を入力するかを質問する。ステップ４３２２にて、ユーザは“２”キーを押して、新規の番号を入力できるようにする。ステップ４３２４にて、ディスプレイが、番号を入力して、その後保存キー３００６ａを押すようユーザに促す。ステップ４３２６にて、ユーザは“４”、“３”、“１”、“０”を押し、保存キーを押す。ステップ４３２８にて、ディスプレイがユーザに、電話が、ＬＡＮ上のどこかでその番号が重複していないかを調べる間待つように指示する。ステップ４３３０にて、ネットワーク電話（ファックス）が、ＬＡＮ上の他の全てのネットワーク電話に、「電話番号トライアウト」コマンドを送信する。ステップ４３３２、４３３４では、ネットワークファックスが、別のネットワーク電話およびアクセサリからの応答を待っている。別の電話が「電話番号が存在する」コマンドで応答しない場合には、ステップ４３３６にて、内線番号“４３１０”がそのユーザのファックスに割り当てられる。ステップ４２２２に示すように、他の全ての装置は、そのルックアップテーブル（ＬＵＴ）を新規の番号で更新する。ステップ４３３８にて、ユーザの電話にこの番号が表示される。重複する番号がある場合には、ステップ４３４０にて、その電話番号が既に存在する旨のメッセージがディスプレイによって示される。その後、ステップ４３４２にて、ユーザは、そのファックス装置用の別の電話番号を入力し、ステップ４３２８にて、工程が再開する。そのネットワーク電話は既にシステムに構築されているため、パスワード承認は不要である。
【０３３４】
図４４は、本発明の一実施形態による、ネットワークへの接続を試みる電話回線装置＆デジタルアテンダント、例えば装置２８４１を構築する工程を示すフローチャート４０７７である。この工程では、ユーザは、ステップ４４０２にて、構築キー３００６ｇを押下し、促されたらパスワードを入力することで、この電話回線装置＆デジタルアテンダントを手動で構築する。ステップ４４０４にて、手動または自己構築の選択がディスプレイに表示される。次に、ステップ４４０６にて、ユーザは“１”キーを押して、手動を選択する。次に、ディスプレイが、それが電話回線装置（トランク回線装置）が、デジタルアテンダント、またはアクセサリのうちいずれのコンフィギュレーションであるかを質問する。次に、ユーザは“１”キーを押して電話回線装置（トランク回線）を選択する。ステップ４４１２にて、ディスプレイは、外部アクセスコードが必要であるか否かを質問する。ステップ４４１４にて、ユーザは“１”キーを押して、アクセスコード必要を選択する。ステップ４４１６にて、ディスプレイがユーザに、アクセスコードを入力するよう指示し、ステップ４４１８にて、ユーザがアクセスコードとして使用するためにキー“９”を押す。パスワードの要求がない場合や、パスワードが承認されない場合には、ステップ４４２２で判定されるように、電話回線装置＆デジタルアテンダントはステップ４４２８へ直接進む。あるいは、ステップ４４２０で判定されるように、電話＃１から電話ディレクトリを受信し、ステップ４４２４にて承認する。ステップ４４２６にて、全てのネットワーク装置がそのＬＵＴを更新し、ステップ４４２８にて、電話回線装置＆デジタルアテンダントがコンフィギュレーションを完了する。ステップ４４２８にて、電話回線装置＆デジタルアテンダント（または、電話回線＆デジタルアテンダントの実際の電話回線部分）がコンフィギュレーションを終了し、該終了がそのディスプレイ上に表示される。最後に、ステップ４４３０にて、装置が、表示されているとおりにアイドル状態になる。デジタルアテンダント（その電話番号）は、以下に説明するとおりに構築される必要がある。
【０３３５】
ステップ４４０８の選択“２”に示すように、デジタルアテンダントは、電話監視アクティビティ、電話装置のイネーブル／ディスエーブル、料金の課金、その他さらなる特徴を備えた電話でもあるため、デジタルアテンダントに別の内線を手動で割り当てることができる。ステップ４４０８にて、ユーザが“２”を選択すると、デジタルアテンダント電話が、ステップ４１１６から開始し、ステップ４１４０にて終了する形で示されているように構築される。
【０３３６】
図４５は、本発明の一実施形態により、ネットワークへの接続を試みるトランク回線カード装置、例えば装置２２０を構築する工程を示すフローチャート４０８３である。ステップ４５０２にて、ネットワーク内でトランク回線カード装置がオンラインにされ、ユーザがパスワードを入力する。これにより、ステップ４５０４に示すように、ユーザが手動コンフィギュレーションを選択するか、または、３０秒後に（この例では）トランク回線カード装置が自己構築を行うことが可能になる。ステップ４５０６にて、トランク回線カード装置が「装置タイプ」コマンドを同報通信し、その後「電話ディレクトリ要求」コマンドを送信し、ステップ４５０８にて、パスワードの承認を待つ。パスワード承認がない場合、または承認されない場合には、トランク回線カード装置は直接ステップ４５１４へ進む。あるいは、ステップ４５１０、４５１２にて、トランク回線カード装置は、ネットワーク電話からの応答を待つ。ステップ４５１０にて、「電話ディレクトリ要求」コマンドに応答して、電話＃１（またはデジタルアテンダント）が電話番号のディレクトリを同報通信する。ステップ４５１６にて、トランク回線カード装置が電話ディレクトリの受信を確認すると、ステップ４５１８にて、全てのネットワーク装置がそのＬＵＴを更新して、そのトランク回線カード装置情報を取り込む。トランク回線カード装置は、ステップ４５２０に示すように、アイドル状態に戻る。
【０３３７】
図４６は、本発明の一実施形態により、ネットワークに接続したボイスメール／ネットワーク記憶装置、例えば装置２８０９のコンフィギュレーションを示すフローチャート４６００である。この工程は、新規電話またはトランク回線装置の追加について上述したものと類似する。この工程では、電話＃１（またはデジタルアテンダント）は、好ましくは設置され、動作状態になければならない。ステップ４６０２にて開始し、ボイスメール／ネットワーク記憶装置がネットワーク上でオンラインにされる。ボイスメール／ネットワーク記憶装置が、ステップ４６０４にて「装置タイプ」コマンドを、ステップ４６０６にて「電話ディレクトリ要求」コマンドを同報通信し、ステップ４６０８、４６１０にて応答（電話＃１またはデジタルアテンダントからのディレクトリ同報通信）を待つ。ステップ４６１４にて、ボイスメール／ネットワーク記憶装置が電話ディレクトリの受信を確認し、ステップ４６１６にて、全てのネットワーク装置がそのＬＵＴを更新して、そのボイスメール／ネットワーク記憶装置情報を取り込む。
【０３３８】
応答がない場合には、ステップ４６１２にて工程が終了するが、これは、そのネットワーク内に他の電話が存在しないことを意味する。ステップ４６１２に示すように、電話ディレクトリの受信に失敗したネットワーク装置は、ネットワーク電話がプラグインされ次第、「装置タイプ同報通信」コマンドを再度送信し、ネットワーク上でのその自己構築を終了する。この工程は、ステップ４６０４から開始する形で示されている。
【０３３９】
ボイスメール／ネットワーク記憶装置は、さらに、通話履歴、請求明細、クライアント電話ファックス番号、カスタマのプロフィール、後で取り出し、送信を行うための着信ファックス送信ファックスを記憶することもできる。一アプリケーションは、入手可能な最高のサービスを受けるためにアクセサリとしてＰＣを電話に接続しているエージェントに転送された電話番号に基づいたカスタマプロフィールおよび履歴のためのものである。
【０３４０】
表９、表１０は、カラム１の第２エントリにより示すように、１ビットの上位４ビットを定義している。装置番号により、複数のネットワーク電話が、１つのＲＪ４５（有線または無線）を介して、他の装置と通信することが可能になる。４ビットを装置番号として使用することで、最大で１６台の装置（１５台のアクセサリ装置と１台のネットワーク電話）が、１台のネットワーク電話を介して、同時に接続を行うことが可能になる。
【０３４１】
【表９】
2005538646.tif 000013
【０３４２】
【表１０】
2005538646.tif 000014
【０３４３】
【表１１】
2005538646.tif 000015
2005538646.tif 000016
【０３４４】
表１１は、表４に新規のコマンドをいくつか追加した別バージョンであり、以下、この表１１について説明する（全てのコマンドについての説明は省く）。
【０３４５】
２３：電話番号削除同報通信。現在の電話番号を放棄する旨を宛先装置に通知するために、ネットワーク電話によって全てのネットワーク装置に同報通信される。全てのネットワーク装置が、そのネットワーク電話の電話番号とＭＡＣアドレスをＬＵＴから除去する。このコマンドは、自己構築された電話が、そのデフォルト電話番号で、ネットワークに連続的に接続する場合に必要である。次に、該電話が、その番号がディレクトリ内の番号によって完全に禁止されていることを発見する。その後、取得したばかりの番号を放棄するためにコマンドを発行し、同電話ディレクトリから次に利用可能な番号を新規の番号として使用する。この後に、図４２Ａに示すように、新規の電話番号を構築する工程を完了するために必要な全てのステップが続く。表８の記述段落において先述したように、内部電話（内線）番号は、外部電話番号のサブセットでなければならない。このコマンドにより、ネットワーク電話が、その範囲内で、（ディレクトリ内の）次に使用可能な電話番号を選択することにより、自己を構築することが可能になり、その結果、要求が満たされる。換言すれば、ユーザは、ネットワーク内に第１電話（電話＃１またはデジタルアテンダント）を、その内線が、（電話会社によって）割り当てられた電話番号の最も小さい数字と一致するよう、手動で構築する必要がある。その後、これ以外の全ての電話が、電話会社によって割り当てられた範囲内で、次に使用可能な内線を自己構築および割り当てることができる。
【０３４６】
２Ｂ：電話装置をディスエーブルにする。ネットワーク電話装置（データフィールド内のその電話番号およびＭＡＣ番号）が該電話ディレクトリから除去される（ＬＵＴからパージされる）旨を通知するべく、トランク回線カード装置／デジタルアテンダント、または全てのネットワーク装置への電話＃１によって、全てのネットワーク装置へ同報通信される。システム内において手動または自動で構築されることはもうない。
【０３４７】
２Ｃ：電話装置をイネーブルにする。後にネットワーク内に構築できるようにするべく、ネットワーク電話装置（データフィールド内のその電話番号とＭＡＣ番号）がイネーブルにされる旨を通知するべく、トランク回線カード装置／デジタルアテンダント、または全てのネットワーク装置への電話＃１によって、全てのネットワーク装置へ同報通信される。このコマンドは先にディスエーブルした装置をイネーブルするのに使用される。
【０３４８】
５３：パスワード要求。宛先電話が最初にオンラインになった時に、電話＃１またはトランク回線カード装置（電話＃１がない場合）によってこの宛先電話に送信される。宛先電話は、パスワード送信コマンドでこれに応答する。以下の説明を参照。
【０３４９】
５４：パスワード送信。パスワードを要求したネットワーク電話宛先電話へ送信される。このコマンドは、パスワード確認、パスワード確認できず（コード５５、５６）と共に、パスワード承認プロトコルの一部であるため、望まない電話装置がネットワーク内に構築されることを防止することができる。これは、ハブ／スイッチが付近の電話の動作距離内にある無線ＬＡＮにおいて発生する。
【０３５０】
５７：通話待機取得。通話待機取得のために、ネットワーク電話宛先電話装置（通話が待機している場所）へ送信される。待機している通話が１つしか使用できない場合、着信側の装置は、このコマンドを受信すると、その通話を発信者に転送する。複数の待機中の通話を利用できる場合には、以下のコード５８を参照。
【０３５１】
５８：通話待機（取得）使用可能。２つ以上の通話が待機している場合に、通話部分取得を要求するネットワーク電話宛先電話に送信される。適切な通話を転送するために、回線番号と共に通話部分取得コマンドが発行される。
【０３５２】
５Ｃ：通話待機要求。後の取得時の通話待機のために、ネットワーク電話装置（電話またはデジタルアテンダント）に送信される。宛先電話装置が、通話待機承認でソース電話に応答する。
【０３５３】
５Ｄ：通話待機承認。その通話がソース電話によって待機中になっていることを承認するために、ネットワーク電話宛先電話に送信される。
【０３５４】
図４７は、本発明の一実施形態による、ネットワーク電話、例えば図２８Ａの電話１０を使用してボイスメールメッセージを取得する工程を示すフローチャート４０３５である。この工程において、ユーザは、ステップ４７０２にて、ハンドセットを持ち上げるか、ハンドフリーキー３００６ｈを押し、次に、メッセージキー３００６ｅを押す。ユーザは、ステップ４７０６、４７１０にて、“＊”キーを押して音声メッセージの取得を選択する。ステップ４７１４、４７１８にて、ユーザは、内線番号とパスワードを各々入力する。ステップ４７２０にて、ハンドセットスピーカが、音声メニュー上で様々な選択を行うよう促す。ステップ４７２２にて、ユーザは“５”キーを押して、ステップ４７２４にてメッセージを聞く。ユーザは、メッセージを聞き終わると、ステップ４７２８にて、“３”キーを選択してこのメッセージの削除を決定する。ステップ４７３２にて、メッセージが削除され、ステップ４７３４にて、ユーザはハンドセットを置く。他の機能と同様に、ネットワーク内外の別の電話によって、ボイスメールの取得を制御することができる。その一例として、ユーザが、外部電話から自分のネットワーク電話に電話をかける場合を挙げる。電話に出る者はいないため、この通話は、しばらく後にボイスメール装置に接続される（発信者が他の電話から自分の電話に電話をかける）。次に、発信者は“＃”キーを３回押し、ボイスメール装置がこの接続を（ユーザの）ネットワーク電話へ再度転送する。その後、発信者は自分のパスワードを入力する。すると、電話が発信者に選択式の音声メニュー、すなわち、ボイスメールを聞くダイアル“１”、自分のネットワーク上で制御するダイアル“２”を提供するため、発信者は、図５４に例示すように、会社の電話を介して、会社に長距離料金を負担させることなく、自宅電話を使用して別の電話に電話をかけることができる。この人物は、“３”をダイアルして、会社の自分の電話に着信した全ての通話を、他の電話等に転送することができる。
【０３５５】
図４８〜図５３では、ネット電話の様々な機能を、図面の右側におけるフローチャートで示し、各々のネット電話機能ステップに関連した対応するネット電話ディスプレイ画面（図面中では点線でつながれている）を図面の左側に示している。
【０３５６】
図４８は、本発明の一実施形態による、ネットワーク電話、例えば電話１０を使用して、他の内線にいる誰かをページングする工程を示すフローチャート４０２４である。ユーザは、ステップ４８０２にて電話がアイドルモードにある際に、ステップ４８０４にて、ハンドセットを持ち上げ、ページキー３００６ｃを押すことでこの工程を開始する。ステップ４８０６にて、ディスプレイが、選択を行うようユーザを促す。カフェテリア、研究所、グループ、電話内線、または全部（全ての電話）を選択できる。この例では、ユーザは、ステップ４８０８にて、内線キー３００３ｅを押して電話内線を選択する。ステップ４８１０にて、ディスプレイが、ページングを行う内線電話番号の入力を促す。この例では、ステップ４８１２にて、ユーザが“２”、“７”、“８”、“０”キーを押して‘２７８０’と入力する。ステップ４８１４にて、電話‘２７８４’が電話‘２７８０’へページングコマンドを送信する。ステップ４８１６にて、電話‘２７８０’が「通話接続完了」コマンドを電話‘２７８４’に送信する。ステップ４８１８にて、‘２７８４’の電話が、ユーザの音声データを‘２７８０’の電話に送信し、ステップ４８２０にて、ディスプレイ上でその旨が表示される。ステップ４８２２にて、ユーザが話し終わり、ハンドセットを置いた後に、ステップ４８２４にて、最後に電話は再びアイドルモードになる。
【０３５７】
図４９Ａは、本発明の一実施形態による、デジタルアテンダントにて通話を待機させる工程を示すフローチャート４０２２である。この例では、ユーザが、外部発信側（８００−５５５−１２１２）からの通話に応答し、その電話が、席を外しているジョン・ウィリアム氏へのものであることを知る。次に、ユーザは、その通話をダイアルアテンダントにて待機させ、その通話がどの回線にて待機しているかを知るために、デジタルアテンダントからの応答を待ち、その後、ジョンをページングする。この工程は、ステップ４９０２で電話が鳴り、ステップ４９０４にてユーザがこの電話を取って応答した際に開始する。ユーザは、その通話が、現在姿が見えないジョン・ウィリアム氏へのものであることを知る。次に、ステップ４９０６にて、ユーザはその通話を待機させようと決める。ステップ４９０８にて、通話を待機させる先を示す、Ｄ．Ａ．（デジタルアテンダント）キー３００３ｂ、ここ（この内線）キー３００３ｃ、別の内線キー３００３ｄ等の複数の選択がディスプレイ上に表示される。ステップ４９１０にて、ユーザはキー３００３ｂを押して、デジタルアテンダントを選択する。ステップ４９１２にて、この電話が通話待機要求をデジタルアテンダントへ送信する。ステップ４９１４にて、デジタルアテンダントが、通話待機承認コマンドを返信して、回線１を、その電話への通話を待機させられるようにし、次に、ステップ４９１６にて、通話をデジタルアテンダントへ転送する。ステップ４９１８にて、ユーザはこの結果をディスプレイ上で見る。次に、ステップ４９２０にて、ユーザはページキー３００６ｃを押して、ページングを開始する。その後、誰または何処をページングするかの選択がディスプレイ上に表示される。ステップ４９２２に示すように、この選択肢にはカフェテリア、研究所、グループ、電話内線、または全部（全ての電話）が含まれる。ステップ４９２４にて、ユーザは全部キーを押して、ジョン・ウィリアム氏を捕まえられるよう、社内の全ての場所（全ての電話）をページングできるようにする。ステップ４９２８にて、ディスプレイが指示するとページングが開始される。ステップ４９２６にて、ユーザがページングを実施すると、電話２７８４がネットワーク内の全ての電話に同報通信を行い、ステップ４９３０にて、その終了後に電話を切る。ステップ４９３２にて、この電話はアイドルモードを表示する状態に戻る。
【０３５８】
図４８のステップ４８０６、図４９Ａのステップ４９２２に示すように、このネットワーク電話システムはページング機能を提供するため、別個のスピーカ配線を設ける必要がない。大企業または中規模の企業では、グループページング（つまり、マーケティング、営業、エンジニアリング等）機能（表５の第１カラム：グループページング機能を参照）によって、特定グループをページングすることで、付近に居ると思われるそのグループの誰かに注目させることが可能である。研究所およびカフェテリアについては、機能キーに内線が既にプログラムされているネットワーク電話であるため、研究所またはカフェテリアをページングするために、わざわざ内線（番号）をダイアルする必要がない。さらにこの機能は、建物内のページングスピーカや、小規模企業または家庭用インターコムの役割を果たす。
【０３５９】
図４９Ｂは、本発明のある実施形態により、通話を回線＃１に待機させる他の工程を示すフローチャート４０２２である。電話が鳴り、ユーザが、他の人物が応答できるようにするべく通話を待機させる場合、図４９Ａのものと同様のシナリオが実施される（但し工程は異なる）。ステップ４９５２〜４９５６は、図４９Ａのステップ４９０２〜４９０６と同様である。ステップ４９５８にて、電話は、その通話を待機させるための多くの回線をユーザに提供する。回線＃２、＃４の選択が抜けているが、これは、現在、これらの回線にて他の通話が待機しているためである。これらの回線は全て論理回線であり、ネットワーク内のどの電話にも使用できる。この例では、ネットワーク内で、回線＃２で待機している通話が一方の電話あり、回線＃４で待機している通話が別の電話にある。ステップ４９６０にて、ユーザは、通話を回線＃１で待機させるために、回線＃１キー３００３ａを押す。ステップ４９６２にて、電話が全てのネットワーク装置「通話が回線＃１で待機中」を同報通信するが、これは換言すれば、ステップ４９６４に示すように、その電話には、回線＃１に待機中の通話が着信しているということであり、したがって、回線＃１は使用不能となる（回線＃２、＃４の場合も同様）。ステップ４９２０〜４９３２の説明については図４９Ａを参照。
【０３６０】
図４９Ｂは、通話が待機している回線を、デジタルアテンダントを介在させることなく、任意の電話によって制御でき、ネットワーク内の任意の電話（単数または複数）に常駐させることができることを示しているが、これは、これらの回線が、固定キーによって制御される、現在のＰＢＸシステム等の物理的回線ではないためである。そのため、回線数がキーパッドによって制約されることがない。
【０３６１】
図５０Ａは、本発明のある実施形態により、デジタルアテンダントにて待機している通話のピックアップを示すフローチャート４０２３である。図５０Ａは、図４９Ａのフォローアップである。ステップ５００４にて、ユーザは、この例では電話ｘ２２００をピックアップし、ピックアップキー３００６ｊを押下する。ステップ５００６にて、ディスプレイがユーザに、キー３００３ａ（Ｄ．Ａ．ソフトキー）を使用して、デジタルアテンダントから通話をピックアップするか、あるいは、キー３００３ｂを使用して、他の内線からピックアップするように指示する。ステップ５００８にて、ユーザは、デジタルアテンダントから通話を取り出すためにＤ．Ａ．キーを押す。ステップ５０１０にて、電話がデジタルアテンダントに通話待機取得コマンドを要求し、デジタルアテンダントが、回線１、２の使用可能性と共に、通話取得を送信する。ステップ５０１２にて、ディスプレイが、回線１、回線２に、ピックアップを待っている待機中の通話が２つある旨を表示する。図４９Ａでページングされているとおりに、ステップ５０１４にて、ユーザは回線１キーを押す。電話が、回線１からの「通話待機取得」をデジタルアテンダントへ送信し、次に、ステップ５０１６にて、デジタルアテンダントが通話を承認し、これを該電話に接続する。ステップ５０１８にて、通話が接続され、ユーザは発信者と会話をすることができるようになり、ステップ５０２０にて、この状態がディスプレイ上に表示される。最後に、ステップ５０２２にて、ユーザが電話を切り、ステップ５０２４に示すように、電話が再びアイドル状態に戻る。
【０３６２】
図５０Ｂは、本発明の一実施形態により、回線１に待機している通話をピックアップする他の工程を示すフローチャート４０２３である。図５０Ｂは、図４９Ｂのフォローアップである。ステップ５０５４にて、ユーザが、この例では電話内線“２２００”をピックアップし、ピックアップキー３００６ｊを押す。ステップ５０５６に示すように、ピックアップする回線は回線１、回線２、回線４から選択する。ユーザは、図４９Ｂでページングされているとおりに、ステップ５０５８にて回線１キーを押下する。ステップ５０６０にて、電話内線“２２００”が「回線１における通話待機取得コマンド」を全ての装置に同報通信し、電話内線“２０８４”が「通話待機承認コマンド」を同報通信し、別の電話が回線１を使用できるようにする。現在、会話は電話ユーザと外部発信者の間で内線“２７８４”によって転送されているため、ステップ５０６２、５０６４にて、ユーザは外部発信者（８００−５５５−１２１２）と会話をする。ステップ５０６２における他の選択肢は、電話内線“２７８４”が、「通話転送要求コマンド」をデジタルアテンダント装置（またはトランク回線装置）へ送信して、通話を電話内線“２２００”へ直接転送することで、会話の通信リンクを提供する必要をなくすというものである。ステップ５０６６、５０６８は、会話が終了し、電話内線“２２００”が再びアイドル状態に戻る状態を示す。ステップ５０６２では、電話内線“２７８４”は両者の会話を転送しているが、別のユーザがこの回線を使用することも可能である。ユーザは、電話内線“２２００”と外部通話者との間の接続に干渉することなく、電話内線“２７８４”をリフトアップして、電話をかけるか、または通話に応答する。換言すれば、ネットワーク電話内の全てのリンクは論理的である。
【０３６３】
図５１は、本発明のある実施形態により、２台のネットワーク電話間におけるビデオ通話中に発生する工程を示すフローチャート４０５７である。この工程は、ディスプレイがデフォルト電話メニュー画面を表示している状態で、ステップ５１０２にて開始する。さらに、ディスプレイは、ビデオ３００３ｂ、オーディオ３００３ｃ、ファックス３００３ｄ等のアクセサリを表示する。ステップ５１０４にて、ユーザは、３００３ｂキー（ビデオキー機能）を押し、ステップ５１０６にて、ビデオフォン内線番号“２０１０”で、ディスプレイメニューが表示されているビデオ機能を選択する。次に、ステップ５１０８にて、ユーザは、内線番号“２０３８”をダイアルして、ビデオ接続を行う（この時点では、ビデオおよび／またはアクセサリ接続（単数または複数）はアクティブ状態または非アクティブ状態にある）。ステップ５１１０にて、ビデオフォン内線“２０１０”は呼び出しコマンドをビデオフォン内線“２０３８”に送信して、該ビデオフォン内線“２０３８”から呼び出し状態を受信する。ステップ５１１２にて、ディスプレイは作業状況を表示する。ステップ５１１４では、ビデオフォン内線“２０３８”が通話接続状態をビデオフォン内線“２０１０”へ送信する。ステップ５１１６にて、ビデオ接続が完了し、通信がオンになり、ステップ５１１８にて、その状態が表示される。この接続は、ステップ５１２０にて、ユーザが停止３００３ｆキーを押下するまで継続されるか、または、ステップ５１２２に示すように、ビデオ内線“２０３８”がその通信を停止して、装置がアイドルモードに戻るまで継続する。
【０３６４】
図５２は、本発明の一実施形態により、会議ブリッジの設定中に発生する工程を示すフォローチャート４０４０である。会議ブリッジは、電話内線“２００３”から内線“２０４９”に設定されているため、参加者は電話会議に参加するために、電話内線“２０４９”に電話をかけることができる。この工程は、電話内線“２００３”がアイドルモードにある状態で、ステップ５２０２にて開始する。ステップ５２０４にて、ユーザはブリッジキー３００６ｋを押下する。ディスプレイ上に、ステップ５２０６にて、会議ブリッジを設定する（設定キー３００３ａ）、または会議通話に電話をかける（会議キー３００３ｂ）の中から選択を行うようユーザに促す。ユーザは、ステップ５２０８にて、設定キー３００３ａを押して、通話会議設定をプログラムできるようにする。ステップ５２１０にて、ディスプレイは、それが新規の会議ブリッジ（新規キー３００３ａ）のためのものか、あるいは、既存の会議ブリッジ（既存キー３００３ｂ）のためのものかを質問する。既存の会議ブリッジを選択することで、ユーザは、以前にプログラムされたブッリッジ会議の変更または取り消しを行うことができる。ステップ５２１２にて、ユーザは新規キーを選択して、完全に新しい会議会議を設定できるようにする。ステップ５２１４にて、ディスプレイが、その会議ブリッジがこの電話内線“２００３”のものか（この内線キー３００３ａ）、または別の内線のものか（別の内線キー３００３ｂ）を質問する。ステップ５２１６にて、ユーザは別の内線キーを選択する。次に、ステップ５２１８にて、ディスプレイがユーザにその内線番号をダイアルするよう促す。ステップ５２２０にて、ユーザは内線“２０４９”をダイアルして、その内線に会議ブリッジを設定できるようにする。ステップ５２２２にて、会議ブリッジ設定のためのディスプレイが表示される。ユーザが設定している会議の時間、日付、期間の入力をユーザに促す指示がディスプレイ上に表示される。さらに、そのスケジュールを見る（ビュースケジュールキー３００３ｂ）オプションが得られるため、ユーザは、既にスケジュールされたものと重複しない時間と日付を選択することができる。ステップ５２２４にて、ユーザは、時間、日付、期間を入力して、完了キー３００３ａを押す。電話内線“２００３”が、ブリッジ機能プログラムコマンドを電話内線“２０４９”へ送信する。すると、電話内線“２０４９”がブリッジ機能プログラムをダイアルアテンダントへ送信する。ステップ５２２６にて、デジタルアテンダントがブリッジ機能応答を電話内線“２０４９”へ返送する。ステップ５２２８で、電話内線“２０４９”がブリッジ特徴応答を電話内線“２００３”へ送信する。ステップ５２３０において、ディスプレイが、内線“２０４９”に既に会議ブリッジが設定されている旨を表示する。会議期間は１時間である。日付は２００４年６月１９日、時間は午前９時３０分である。さらに、ディスプレイにブリッジ番号が表示されるので、ネットワーク内部からの発信者は、この番号を使用して会議通話に電話をかけることができる。外部発信者は、ダイアルアテンダントに接続した後に、主要番号（デジタルアテンダント）に電話をかけ、次に、会議通話用のブリッジ番号をダイアルする。ステップ５２３０から、ディスプレイは、ステップ５２３２で示すように、３０秒（または任意の所定時間）以内にアイドルモードに戻る。
【０３６５】
図５３は、本発明のある実施形態により、他の電話とのブリッジ会議への着信通話間に発生する工程を示すフローチャート４０２１である。この工程では、電話内線“２０１０”からのユーザが会議通話（図５２で、一例として設定されたもの）に電話をかける。この工程は、電話内線“２０１０”がアイドルモードにある状態で、ステップ５３０２から開始する。ステップ５３０４にて、ユーザはブリッジキー３００６ｋを押す。ステップ５３０６にて、このディスプレイは、それが会議通話設定（設定３００３ａ）のためのものか、または会議通話に電話をかける（会議３００３ｂ）ためのものか質問する。ステップ５３０８にて、ユーザは会議キー３００３ｂを押して、会議通話に電話をかけられるようにする。ステップ５３１０で、ディスプレイがブリッジ番号の入力を促す。ステップ５３１２にて、ユーザはブリッジ番号を入力する。電話内線“２０１０”が、ブリッジ会議要求コマンドをデジタルアテンダントに送信する。すると、ステップ５３１４にて、デジタルアテンダントが、ブリッジ会議要求コマンドを電話内線“２０４９”へ送信し、通話転送要求を電話内線“２０４９”へ転送する。ステップ５３１６にて、電話内線“２０１０”と“２０４９”の間に会議通話が確立される。ステップ５３１８にて、ディスプレイ上に、その会議通話がアクティブ状態にある旨が表示される。会議通話が終わると、ステップ５３２０にて、ユーザが電話を切ると、ステップ５３２２に示すように、電話がアイドル状態に戻る。
【０３６６】
図５４は、本発明の一実施形態により、ネットワーク電話に電話をかけ、これを他の電話に電話するための遠隔電話として使用している最中に発生する工程を示すフローチャート４０４１である。この機能により、ユーザは、他の電話からネットワーク電話を制御し、これを、別の電話に電話をかけるため、またはネットワーク電話を遠隔プログラムするための遠隔電話として使用することができるようになる。ステップ５４０２では、発信者が自分のネットワーク電話、例えば電話＃１に電話をする。応答が無いので、ボイスメール装置に接続される。次に、ステップ５４０４にて、発信者は“＃”キーを３回押して、電話＃１をアテンションモードにする（ステプ５４０６にて、ボイスメールは、“＃”トーンを３回検出すると、この通話を電話＃１に転送して戻す）。ステップ５４０８にて、発信者はハンドセットのスピーカを通して、電話＃１から、パスワードを入力するよう促す音声を聞き、ステップ５４１０にて、自分のパスワードを入力する。ステップ５４１２にて、電話＃１（ハンドセットスピーカを介して）、電話機能については“１”を、またはアクセサリ機能については“２”を選択するよう促す。次に、ステップ５４１４にて、発信者が電話機能の“１”をダイアルする。ステップ５４１６にて、電話１（ハンドセットスピーカを介して）が別の選択をアナウンスすると、発信者は、現在使っているその電話のハンドセットを使用してネットワーク電話＃１の制御を行い、ステップ５４２２で説明しているように、これをあたかも電話＃１を使用しているかのように使いたいと希望しているため、ステップ５４１８にて、通話制御のための“２”を選択する。ステップ５４２４にて、発信者が電話８００−５５５−１２１２をダイアルすると、接続は、発信者がネットワーク電話＃１を介して使用しているその電話から電話８００−５５５−１２１２へのものということになる。電話＃１が属している、ネットワーク電話システム内のトランク回線カード装置は、ユーザの電話の電話＃１への接続点であり、さらに、電話＃１の電話８００−５５５−１２１２への接続点であるため、２本またはそれ以上の外部電話回線を備えていなければならない。電話＃１がＤＴＭＦデータ（８００−５５５−１２１２）をトランク回線カード装置に送信すると、次に、ステップ５４２６に示すように、トランク回線カード装置が電話８００−５５５−１２１２を呼び出す。ステップ５４２８にて、トランク回線カード装置が、電話８００−５５５−１２１２から電話＃１へ呼び出しトーンを送信すると、電話＃１が、トランク回線カード装置を介して、ユーザの電話へ呼び出しトーンを送信する。ステップ５４３０にて、誰かが電話８００−５５５−１２１２に応答すると、ステップ５４３２で、トランク回線装置が通話接続完了状態を電話＃１へ送信する。ステップ５４３４、５４３６にて、会話が実施される。このアプリケーションは、自宅（または小規模の駐在事務所）で仕事をしている従業員は、長距離のビジネス通話をかける必要がある場合に有利である。この従業員は、地方の事務所に電話をかけて、会社のネットワークを使用することで、より低料金で長距離電話をかけることができる。ステップ５４３８に示しているように、会話が終わると、ユーザは電話を切り、電話がアイドルモード（終了状態）になる。
【０３６７】
図５５は、本発明の一実施形態により、ネットワーク電話へのスケジューリング工程中にネットワーク電話が行うプログラムステップを示すフローチャート４０５０である。ネットワークは、ユーザが、予約のリマインダ５５０６、会議のリマインダ５５０８、イベントのリマインダ５５１０、およびアラームのリマインダ５５１２をスケジューリングできるようにするオプションを備えている。図５５は、さらに、後日または後の時間にて、任意の目的で使用するために、スケジュールを変更可能であり５５１８、または取り消し５５２０可能であり、ファックス送信のスケジューリング（ステップ５５１６）を行うことが可能であることを示している。
【０３６８】
図５６は、本発明ある実施形態による、予約スケジューリングリマインダ工程中にネットワークが実施するプログラムステップを示すフローチャート５５０６である。この工程は、ステップ５６０２にて、ユーザが図３０中のスケジュールキー３００６ｆを押すと開始する。ステップ５６０４に示すように、ディスプレイ上に幾つかのオプションが表示される。新規のスケジュールについては“１”を、スケジュールの変更については“２”を、過去のスケジュールに破棄については“３”を押す。ステップ５６０６にてユーザは“１”を押し、ステップ５６０８にてディスプレイは予約リマインダの選択のリストを挙げる。ステップ５６１０にて、ユーザは予約リマインダスケジュールを選択する。ステップ５６１４、５６１８にて、ユーザは、スケジュールの日付と時間を入力する。次に、ステップ５６２２にて、宛先電話番号を入力することで、使用中の電話が（宛先電話）に電話をし、スケジュールについてユーザに注意を促すことができるようにする。ステップ５６２４にて、ユーザは、個人的またはプライベートな事柄でスケジュールの注意促しを行うためにパスワードが必要な場合に、パスワードを使用するか否かのオプションが得られる。ユーザは、ステップ５６１４、５６１８で自分が入力した日時に病院予約の注意促しを受けられるように、ステップ５６３０で「病院予約」と入力する。すると、ステップ５６３２にて、ディスプレイ上に病院予約スケジュールリマインダの概要が表示され、ユーザに、保存キーを押すよう促す。ステップ５６３４でユーザが保存キーを押すと、ステップ５６３６に示すように、スケジュール工程が終了する。
【０３６９】
本発明を、例示的な実施形態を参照しながら詳細に説明したが、本発明の課題および精神の範囲を逸脱しない限り、開示した実施形態に改良および変更を加えることが可能である。したがって、添付の請求項の精神および範囲は、この説明に含まれる好ましいバージョンの記載に限定されるべきではない。
【図面の簡単な説明】
【０３７０】
【図１】本発明の一実施形態による、ＬＡＮに接続するための電話装置の機能ブロック線図。
【図２】本発明の一実施形態による、アナログ電話をＬＡＮとインターフェースする装置の機能ブロック線図。
【図３】本発明の一実施形態による、デジタル電話をＬＡＮにインターフェースする装置の機能ブロック線図。
【図４Ａ】本発明の一実施形態による、ネットワーク電話装置のキーパッドとディスプレイの配置を示す。
【図４Ｂ】本発明の一実施形態による、図４Ａのディスプレイに文字を入力する工程ブロック線図。
【図５】本発明の一実施形態による、ＬＡＮハブに接続している一対のネットワーク電話を示すブロック線図。
【図６】本発明の一実施形態による、ＬＡＮハブに接続している一対のネットワーク電話と一対のパーソナルコンピュータを示すブロック線図。
【図７Ａ】本発明の一実施形態による、ＬＡＮハブに接続している、２台のネットワーク電話と、ボイスメール／ネットワーク記憶装置を備えたＰＣを示すブロック線図。
【図７Ｂ】本発明の一実施形態による、２台のネットワーク電話と、ボイスメール／ネットワーク記憶装置ＰＣとの間のボイスメールメッセージ経路を示すブロック線図。
【図８】本発明の一実施形態による、イーサネットＬＡＮスイッチを介した、複数のネットワーク電話の、ボイスメールネットワーク記憶装置ＰＣへの接続を示す概略ブロック線図。
【図９】本発明の一実施形態による、複数のネットワーク電話の、イーサネットＬＡＮハブおよびスイッチへの接続を示す概略ブロック線図。
【図１０】本発明の一実施形態による、イーサネットＬＡＮスイッチに接続した複数のネットワーク電話とボイスメール／ネットワーク記憶装置ＰＣを示す概略ブロック線図。
【図１１】本発明の一実施形態による、外部ネットワークと加入電話回線ネットワークの、ネットワーク電話を備えたＬＡＮへの接続を示す概略ブロック線図。
【図１２Ａ】本発明の一実施形態による、トランク回線カードの機能ブロック線図。
【図１２Ｂ】本発明の一実施形態による、デジタルアテンダントの機能ブロック線図。
【図１３】本発明の一実施形態による、電話番号をプログラムする工程を示すフローチャート。
【図１４】本発明の一実施形態による、ページングを行う工程を示すフローチャート。
【図１５】本発明の一実施形態による、２本の外部電話回線と、２つの電話番号による、複数のネットワーク電話の接続を示すブロック線図。
【図１６】本発明の一実施形態による、複数の電話番号を有する図１５のシステムのブロック線図。
【図１７】本発明の一実施形態による、１台の電話に最高の優先順位を指定した、図１５のシステムのブロック線図。
【図１８】本発明の一実施形態による、ボイスメール機能の工程ステップを示すフローチャート。
【図１９】本発明の一実施形態による、ネットワーク電話間で音声メッセージを送信する工程を示すフローチャート。
【図２０】本発明の一実施形態による、文字データメッセージを送信する工程を示すフローチャート。
【図２１】本発明の一実施形態による、会議通話中にネットワーク電話間で通信を行う工程を示すフローチャート。
【図２２Ａ】イーサネットデータ送信フレームの従来技術の構造を示す線図。
【図２２Ｂ】本発明の一実施形態による、タイプ１コマンドのための、図２２Ａのデータ送信フレームのセグメントを示す線図。
【図２２Ｃ】本発明の一実施形態による、タイプ１Ａコマンドのための、図２２Ａのデータ送信フレームのセグメントを示す線図。
【図２２Ｄ】本発明の一実施形態による、タイプ２コマンドのための、図２２Ａのデータ送信フレームのセグメントを示す線図。
【図２３】本発明の一実施形態による、ネットワークに追加した電話を構築する工程を示すフローチャート。
【図２４】本発明の一実施形態による、ネットワークに追加したボイスメール装置を構築する工程を示すフローチャート。
【図２５】本発明の一実施形態による、ネットワークに追加したトランク回線カード／デジタルアテンダントを構築する工程を示すフローチャート。
【図２６】本発明の一実施形態による、２台のネットワーク電話間における通話中に発生する工程を示すフローチャート。
【図２７】本発明の一実施形態による、外線通話をネットワーク電話から終了する工程を示すフローチャート。
【図２８Ａ】本発明の一実施形態による、複数のネットワーク電話装置を備えた例示的なネットワーク電話システムのシステムブロック線図。
【図２８Ｂ】本発明の一実施形態による、複数のネットワーク電話装置を備えた例示的なネットワーク電話システムのシステムブロック線図。
【図２９】本発明の一実施形態による、ファックス装置とビデオアクセサリ装置を装備したネットワーク電話を示す。
【図３０】本発明の一実施形態による、ネットワーク電話装置のキーパッドとディスプレイの例示的な配置を示す。
【図３１Ａ】本発明の一実施形態による、トランク回線およびデジタルアテンダントを２つの別個の装置として備えたネットワーク電話システムを示す。
【図３１Ｂ】本発明の一実施形態による、電話回線装置とデジタルアテンダントを、１つの単体装置として備えたネットワーク電話システムを示す。
【図３１Ｃ】本発明の一実施形態による、冗長トランク回線カードと、別個のデジタルアテンダントを備えたネットワーク電話システムを示す。
【図３１Ｄ】本発明の一実施形態による、冗長組合せ電話回線装置およびデジタルアテンダントを備えたネットワーク電話システムを示す。
【図３２】本発明の一実施形態による、データネットワーク装置の機能ブロック線図。
【図３３】本発明の一実施形態による、中央オフィス回線（単数または複数）にインターフェースするダイアルアップインターネット接続を備えた、電話回線装置およびデジタルアテンダントの機能ブロック線図。
【図３４】本発明の一実施形態による、ｘＤＳＬ回線にインターフェースする、ｘＤＳＬ回線装置およびデジタルアテンダントの機能ブロック線図。
【図３５】本発明の一実施形態による、ケーブルＴＶ／同軸ケーブルにインターフェースする、ケーブルＴＶ／同軸ケーブル装置およびデジタルアテンダントの機能ブロック線図。
【図３６】本発明の一実施形態による、ＩＳＤＮ回線にインターフェースする、ＩＳＤＮ回線装置およびデジタルアテンダントの機能ブロック線図。
【図３７】本発明の一実施形態による、高速イーサネット回線にインターフェースする、イーサネット回線装置およびデジタルアテンダントの機能ブロック線図。
【図３８】本発明の一実施形態による、ＰＢＸシステムにインターフェースする、ＰＢＸトランク回線装置の機能ブロック線図。
【図３９】本発明の一実施形態による、複数のＬＡＮネットワークに接続したネットワーク電話番号ルータの機能ブロック線図。
【図４０】本発明の一実施形態による、ネットワーク電話装置の全てのファームウェアモジュールを示す階層ブロック線図。
【図４１】本発明の一実施形態による、ネットワーク電話装置に電話番号を手動構築する工程を示すフローチャート。
【図４２Ａ】本発明の一実施形態による、ネットワークに追加したネットワーク電話を自己構築する工程を示すフローチャート。
【図４２Ｂ】本発明の一実施形態による、ネットワークに追加したネットワーク電話を自己構築する他の工程を示すフローチャート。
【図４３】本発明の一実施形態による、ネットワーク電話装置アクセサリに電話番号を手動構築する工程を示すフローチャート。
【図４４】本発明の一実施形態による、ネットワークに追加した電話回線装置およびデジタルアテンダントを手動構築する工程を示すフローチャート。
【図４５】本発明の一実施形態による、ネットワークに追加したトランク回線カード装置を自己構築する工程を示すフローチャート。
【図４６】本発明の一実施形態による、ネットワークに追加したボイスメール装置を構築する工程を示すフローチャート。
【図４７】本発明の一実施形態による、ネットワーク電話から音声メッセージを取得する工程を示すフローチャート。
【図４８】本発明の一実施形態による、ページングを行う工程を示すフローチャート。
【図４９Ａ】本発明の一実施形態による、デジタルアテンダントにて通話をパーキングする工程を示すフローチャート。
【図４９Ｂ】本発明の一実施形態による、通話をパーキングする他の工程を示すフローチャート。
【図５０Ａ】本発明の一実施形態による、デジタルアテンダントにパーキングされている通話をピックアップする工程を示すフローチャート。
【図５０Ｂ】本発明の一実施形態による、パーキングされている通話をピックアップする他の工程を示すフローチャート。
【図５１】本発明の一実施形態による、２台のネットワーク電話（ビデオアクセサリ）間におけるビデオ通話（ビデオ通信）の最中に生じる工程を示すフローチャート。
【図５２】本発明の一実施形態による、他の電話に会議ブリッジを設定している最中に生じる工程を示すフローチャート。
【図５３】本発明の一実施形態による、他の電話にブリッジされた会議への着信通話中に生じる工程を示すフローチャート。
【図５４】本発明の一実施形態による、ネットワーク電話に電話をかけ、これを他の電話に電話をかけるための遠隔電話として使用している最中に生じる工程を示すフローチャート。
【図５５】本発明の一実施形態による、スケジューリング工程中にネットワーク電話が実施するプログラムステップを示すフローチャート。
【図５６】本発明の一実施形態による、予約スケジューリングリマインダ工程中にネットワーク電話が実施するプログラムステップを示すフローチャート。
【図１】
2005538646.tif 000017
【図２】
2005538646.tif 000018
【図３】
2005538646.tif 000019
【図４Ａ】
2005538646.tif 000020
【図４Ｂ】
2005538646.tif 000021
【図５】
2005538646.tif 000022
【図６】
2005538646.tif 000023
【図７Ａ】
2005538646.tif 000024
【図７Ｂ】
2005538646.tif 000025
【図８】
2005538646.tif 000026
【図９】
2005538646.tif 000027
【図１０】
2005538646.tif 000028
【図１１】
2005538646.tif 000029
【図１２Ａ】
2005538646.tif 000030
【図１２Ｂ】
2005538646.tif 000031
【図１３】
2005538646.tif 000032
【図１４】
2005538646.tif 000033
【図１５】
2005538646.tif 000034
【図１６】
2005538646.tif 000035
【図１７】
2005538646.tif 000036
【図１８】
2005538646.tif 000037
【図１９】
2005538646.tif 000038
【図２０】
2005538646.tif 000039
【図２１】
2005538646.tif 000040
【図２２Ａ】
2005538646.tif 000041
【図２２Ｂ】
2005538646.tif 000042
【図２２Ｃ】
2005538646.tif 000043
【図２２Ｄ】
2005538646.tif 000044
【図２３】
2005538646.tif 000045
【図２４】
2005538646.tif 000046
【図２５】
2005538646.tif 000047
【図２６】
2005538646.tif 000048
【図２７】
2005538646.tif 000049
【図２８Ａ】
2005538646.tif 000050
【図２８Ｂ】
2005538646.tif 000051
【図２９】
2005538646.tif 000052
【図３０】
2005538646.tif 000053
【図３１Ａ】
2005538646.tif 000054
【図３１Ｂ】
2005538646.tif 000055
【図３１Ｃ】
2005538646.tif 000056
【図３１Ｄ】
2005538646.tif 000057
【図３２】
2005538646.tif 000058
【図３３】
2005538646.tif 000059
【図３４】
2005538646.tif 000060
【図３５】
2005538646.tif 000061
【図３６】
2005538646.tif 000062
【図３７】
2005538646.tif 000063
【図３８】
2005538646.tif 000064
【図３９】
2005538646.tif 000065
【図４０】
2005538646.tif 000066
【図４１】
2005538646.tif 000067
【図４２Ａ】
2005538646.tif 000068
【図４２Ｂ】
2005538646.tif 000069
【図４３】
2005538646.tif 000070
【図４４】
2005538646.tif 000071
【図４５】
2005538646.tif 000072
【図４６】
2005538646.tif 000073
【図４７】
2005538646.tif 000074
【図４８】
2005538646.tif 000075
【図４９Ａ】
2005538646.tif 000076
【図４９Ｂ】
2005538646.tif 000077
【図５０Ａ】
2005538646.tif 000078
【図５０Ｂ】
2005538646.tif 000079
【図５１】
2005538646.tif 000080
【図５２】
2005538646.tif 000081
【図５３】
2005538646.tif 000082
【図５４】
2005538646.tif 000083
【図５５】
2005538646.tif 000084
【図５６】
2005538646.tif 000085
【国際調査報告】
2005538646.tif 000086
2005538646.tif 000087
2005538646.tif 000088